(57)【特許請求の範囲】
【請求項１】
電機子コアに対して周方向に並設した複数のティースが、基端側で径方向に延びる内側巻回部と、該内側巻回部の先端から周方向に二股状に分岐して径方向に延びる第１分岐部及び第２分岐部とを備えるとともに、前記電機子コアと一体回転する整流子に前記ティースの数の２倍の数のセグメントを周方向に並設し、
前記各ティースの内側巻回部に集中巻線がそれぞれ導線にて巻回され、隣り合うティースの一方のティースの第１分岐部と他方のティースの第２分岐部との間に分布巻線がそれぞれ導線にて巻回された電機子の巻線巻回方法であって、
１８０°相対向するように相対配置された２つの巻線機にて、集中巻線を巻回した後、分布巻線を巻回し、
２つの前記巻線機が半分ずつ分担して、それぞれ半分の集中巻線を巻回するとき、複数の集中巻線の始端及び終端が整流子側と反整流子側に分かれて引き出されるように巻回するとともに、セグメントに設けたライザに掛け止めされる集中巻線間の導線は、他の集中巻線間の導線が掛け止めされていないライザに掛け止めし、
２つの前記巻線機が半分ずつ分担して、それぞれ半分の分布巻線を巻回するとき、複数の分布巻線の始端及び終端が整流子側と反整流子側に分かれて引き出されるように巻回するとともに、セグメントに設けたライザに掛け止めされる分布巻線間の導線は、他の集中巻線間又は分布巻線間の導線が掛け止めされていないライザに掛け止めする電機子の巻線巻回方法において、
２つの前記巻線機が半分ずつ分担して集中巻線を巻回するとき、それぞれ半分の集中巻線は連続して巻回され、その連続して巻回される各集中巻線間のうち、予め定めた集中巻線間を前記ライザに掛け止めした後に次の集中巻線を巻回するものであり、
２つの前記巻線機が半分ずつ分担して分布巻線を巻回するとき、それぞれ半分の分布巻線は連続して巻回され、その連続して巻回される各分布巻線間のうち、予め定めた分布巻線間を前記ライザに掛け止めした後に次の分布巻線を巻回するものであり、
前記分布巻線を巻回した後、連続して巻回された各集中巻線間において、不要な導線部分を切断除去するとともに、連続して巻回された各分布巻線間において、不要な導線部分を切断除去することを特徴とする電機子の巻線巻回方法。
【請求項２】
請求項１に記載の特徴とする電機子の巻線巻回方法において、
前記集中巻線間の不要な導線部分は、その両側部がそれぞれ先の工程で巻回された集中巻線の最外周に配置されるように引き回され、その切断除去は、前記不要な導線部分の整流子側両端を切断して反整流子側から抜き取るものであり、
前記分布巻線間の不要な導線部分は、その両側部がそれぞれ先の工程で巻回された分布巻線の最外周に配置されるように引き回され、その切断除去は、前記不要な導線部分の整流子側両端を切断して反整流子側から抜き取るものであることを特徴とする電機子の巻線巻回方法。
【請求項３】
請求項１に記載の特徴とする電機子の巻線巻回方法において、
前記集中巻線間の不要な導線部分は、その両側部がそれぞれ後の工程で巻回される集中巻線にて径方向内側に埋め込まれ、その切断除去は、前記集中巻線にて埋め込まれた両側部を残して前記不要な導線部分の反整流子側両端を切断して除去するものであり、
前記分布巻線間の不要な導線部分は、その両側部がそれぞれ後の工程で巻回される分布巻線にて径方向内側に埋め込まれ、その切断除去は、前記分布巻線にて埋め込まれた両側部を残して前記不要な導線部分の反整流子側両端を切断して除去するものであることを特徴とする電機子の巻線巻回方法。
【請求項４】
請求項１〜３のいずれか１項に記載の電機子の巻線巻回方法にて製造した電機子を有したことを特徴とする直流モータ。
【発明の詳細な説明】
【技術分野】
【０００１】
本発明は、電機子の巻線巻回方法及び直流モータに関するものである。
【背景技術】
【０００２】
直流モータの電機子には、電機子コアに対して周方向に並設された各ティースが、二股状に分岐形成された一対の分岐部を有したものがある（特許文献１）。各ティースは、そのティースの基端部位に集中巻きの巻線を施している。また、各ティースの二股状に形成した一対の分岐部を利用して隣接するティースの分岐部間に分布巻きの巻線を施している。これによって、巻線に使用される銅線の使用量が削減でき、しかも、コギングの少ない直流モータを実現させている。
【０００３】
また、電機子には、電機子コアに並設して整流子が設けられ、その整流子にはスロットの数と同じ数のセグメントが設けられている。各セグメントに設けたライザには、対応する複数個のセグメントを同電位にするためにその複数個のセグメント間を電気的に導通状態に接続する短絡線が引っ掛けられ結線される。また、ライザには、各ティースに巻回される巻線が引っ掛けられ結線されるようになっている。
【先行技術文献】
【特許文献】
【０００４】
【特許文献１】特開２０１０−９８９２７号公報
【発明の概要】
【発明が解決しようとする課題】
【０００５】
ところで、セグメントの数は巻線の数が多くなるに伴って多くなり、各セグメントの周方向の幅は短くなる。つまり、隣接するセグメントのライザ間の距離が短くなる。そのため、短絡線の他に複数本の巻線を掛け止めしたライザが隣り合う場合には、その絶縁性を確保することが難しかった。
【０００６】
そこで、隣接するセグメントのライザ間の絶縁性を確保するために、セグメントの周方向の幅を長くすることが考えられるが、整流子の径が大径となって電機子の大型化、ひいては直流モータの大型化につながり限界があった。
【０００７】
本発明は上記問題点を解消するためになされたものであって、その目的は、整流子を大径にすることなく隣り合うライザ間の絶縁性を確保することができる電機子の巻線巻回方法及び直流モータを提供することにある。
【課題を解決するための手段】
【０００９】
上記課題を解決する電機子の巻線巻回方法は、電機子コアに対して周方向に並設した複数のティースが、基端側で径方向に延びる内側巻回部と、該内側巻回部の先端から周方向に二股状に分岐して径方向に延びる第１分岐部及び第２分岐部とを備えるとともに、前記電機子コアと一体回転する整流子に前記ティースの数の２倍の数のセグメントを周方向に並設し、前記各ティースの内側巻回部に集中巻線がそれぞれ導線にて巻回され、隣り合うティースの一方のティースの第１分岐部と他方のティースの第２分岐部との間に分布巻線がそれぞれ導線にて巻回された電機子の巻線巻回方法であって、１８０°相対向するように相対配置された２つの巻線機にて、集中巻線を巻回した後、分布巻線を巻回し、２つの前記巻線機が半分ずつ分担して、それぞれ半分の集中巻線を巻回するとき、複数の集中巻線の始端及び終端が整流子側と反整流子側に分かれて引き出されるように巻回するとともに、セグメントに設けたライザに掛け止めされる集中巻線間の導線は、他の集中巻線間の導線が掛け止めされていないライザに掛け止めし、２つの前記巻線機が半分ずつ分担して、それぞれ半分の分布巻線を巻回するとき、複数の分布巻線の始端及び終端が整流子側と反整流子側に分かれて引き出されるように巻回するとともに、セグメントに設けたライザに掛け止めされる分布巻線間の導線は、他の集中巻線間又は分布巻線間の導線が掛け止めされていないライザに掛け止めする電機子の巻線巻回方法において、２つの前記巻線機が半分ずつ分担して集中巻線を巻回するとき、それぞれ半分の集中巻線は連続して巻回され、その連続して巻回される各集中巻線間のうち、予め定めた集中巻線間を前記ライザに掛け止めした後に次の集中巻線を巻回するものであり、２つの前記巻線機が半分ずつ分担して分布巻線を巻回するとき、それぞれ半分の分布巻線は連続して巻回され、その連続して巻回される各分布巻線間のうち、予め定めた分布巻線間を前記ライザに掛け止めした後に次の分布巻線を巻回するものであり、前記分布巻線を巻回した後、連続して巻回された各集中巻線間において、不要な導線部分を切断除去するとともに、連続して巻回された各分布巻線間において、不要な導線部分を切断除去する。
【００１０】
上記構成によれば、各セグメントのライザに掛け止めされる導線の掛け止め本数を低減でき、隣り合うライザ間の絶縁性を確保することができる。
【００１１】
上記構成によれば、全ての巻線を巻回した後に、不要な部分を切断除去することから、巻線作業に要する時間が短縮できる。
上記構成において、前記集中巻線間の不要な導線部分は、その両側部がそれぞれ先の工程で巻回された集中巻線の最外周に配置されるように引き回され、その切断除去は、前記不要な導線部分の整流子側両端を切断して反整流子側から抜き取るものであり、
前記分布巻線間の不要な導線部分は、その両側部がそれぞれ先の工程で巻回された分布巻線の最外周に配置されるように引き回され、その切断除去は、前記不要な導線部分の整流子側両端を切断して反整流子側から抜き取るものである。
【００１２】
上記構成によれば、不要な導線部分にて巻線を傷付けることなくスムーズに抜き取ることができる。
上記構成において、前記集中巻線間の不要な導線部分は、その両側部がそれぞれ後の工程で巻回される集中巻線にて径方向内側に埋め込まれ、その切断除去は、前記集中巻線にて埋め込まれた両側部を残して前記不要な導線部分の反整流子側両端を切断して除去するものであり、前記分布巻線間の不要な導線部分は、その両側部がそれぞれ後の工程で巻回される分布巻線にて径方向内側に埋め込まれ、その切断除去は、前記分布巻線にて埋め込まれた両側部を残して前記不要な導線部分の反整流子側両端を切断して除去するものである。
【００１３】
上記構成によれば、不要な導線部分を切断除去しても、巻回した巻線が緩んで解けることはない。
【００１４】
上記課題を解決する直流モータは、上記いずれかの電機子の巻線巻回方法にて製造した電機子を有した直流モータである。
【００１５】
上記構成によれば、直流モータの電機子は、隣り合うセグメント間の絶縁性を確保さすることができる。
【発明の効果】
【００１６】
本発明によれば、隣り合うライザ間の絶縁性を確保することができる。
【図面の簡単な説明】
【００１７】
【図１】第１実施形態の直流モータの軸方向から見た断面図。
【図２】同じく、電機子コアの軸方向から見た正面図。
【図３】同じく、各短絡線の結線状態を示す軸方向から見た正面図。
【図４】同じく、第１及び第５短絡線の結線順序を示す説明図。
【図５】同じく、第２及び第６短絡線の結線順序を示す説明図。
【図６】同じく、第３及び第７短絡線の結線順序を示す説明図。
【図７】同じく、第４及び第８短絡線の結線順序を示す説明図。
【図８】同じく、（ａ）はＡフライヤーの巻線巻回工程１〜７の巻回説明図、（ｂ）はＢフライヤーの巻線巻回工程１〜７の巻回説明図。
【図９】同じく、（ａ）はＡフライヤーの巻線巻回工程８〜１３の巻回説明図、（ｂ）はＢフライヤーの巻線巻回工程８〜１３の巻回説明図。
【図１０】同じく、（ａ）はＡフライヤーの巻線巻回工程１４〜１９の巻回説明図、（ｂ）はＢフライヤーの巻線巻回工程１４〜１９の巻回説明図。
【図１１】同じく、（ａ）はＡフライヤーの巻線巻回工程２０〜２６の巻回説明図、（ｂ）はＢフライヤーの巻線巻回工程２０〜２６の巻回説明図。
【図１２】第２実施形態の巻線の巻回順序を示す説明図であって、（ａ）はＡフライヤーの巻線巻回工程１〜７の巻回説明図、（ｂ）はＢフライヤーの巻線巻回工程１〜７の巻回説明図。
【図１３】同じく、（ａ）はＡフライヤーの巻線巻回工程８〜１４の巻回説明図、（ｂ）はＢフライヤーの巻線巻回工程８〜１４の巻回説明図。
【図１４】同じく、（ａ）はＡフライヤーの巻線巻回工程１４〜２０の巻回説明図、（ｂ）はＢフライヤーの巻線巻回工程１４〜２０の巻回説明図。
【図１５】同じく、（ａ）はＡフライヤーの巻線巻回工程２１〜２６の巻回説明図、（ｂ）はＢフライヤーの巻線巻回工程２１〜２６の巻回説明図。
【図１６】第３実施形態の巻線の巻回順序を示す説明図であって、（ａ）はＡフライヤーの巻線巻回工程１〜１１の巻回説明図、（ｂ）はＢフライヤーの巻線巻回工程１〜１１の巻回説明図。
【図１７】同じく、（ａ）はＡフライヤーの巻線巻回工程１３〜２３の巻回説明図、（ｂ）はＢフライヤーの巻線巻回工程１３〜２３の巻回説明図。
【図１８】同じく、（ａ）はＡフライヤーの巻線巻回工程２３〜３３の巻回説明図、（ｂ）はＢフライヤーの巻線巻回工程２３〜３３の巻回説明図。
【図１９】同じく、（ａ）はＡフライヤーの巻線巻回工程３５〜４５の巻回説明図、（ｂ）はＢフライヤーの巻線巻回工程３５〜４５の巻回説明図。
【発明を実施するための形態】
【００１８】
（第１実施形態）
以下、本発明を具体化した第１実施形態を図１〜図１１に従って説明する。
図１に示すように、直流モータ１は、固定子２と、該固定子２の内側に配置された電機子３とを備えている。
【００１９】
（固定子２）
固定子２を構成する略円筒状のヨークハウジング２ａの内周面には、磁極としての３個の第１永久磁石ＭＧ１と３個の第２永久磁石ＭＧ２が、周方向に交互に等ピッチ（本実施形態では６０°間隔）となるように固着されている。
【００２０】
３個の第１永久磁石ＭＧ１は、径方向に磁化されていて、径方向内側がＮ極、径方向外側がＳ極となるように磁化されている。一方、３個の第２永久磁石ＭＧ２は、径方向に磁化されていて、径方向内側がＳ極、径方向外側がＮ極となるように磁化されている。
【００２１】
従って、固定子２には、径方向内側がＮ極の３個の第１永久磁石ＭＧ１は、径方向内側がＳ極の第２永久磁石ＭＧ２を挟んで１２０°間隔でそれぞれ配置されている。換言すれば、径方向内側がＳ極の３個の第２永久磁石ＭＧ２は、径方向内側がＮ極の第１永久磁石ＭＧ１を挟んで１２０°のピッチでそれぞれ配置されている。そして、直流モータ１は、３個の第１永久磁石ＭＧ１と３個の第２永久磁石ＭＧ２を周方向に交互に配置することにより磁極の数が「６」となっている。つまり、極数対が「３」になっている。
【００２２】
（電機子３）
図１に示すように、電機子３は、回転軸４と、該回転軸４に固定された略円筒状の整流子５と、同じく回転軸４に固定された電機子コア６とを備えている。この電機子３は、回転軸４が固定子２によって軸支されることにより、固定子２に対して回転可能に支持されている。そして、整流子５及び電機子コア６は、共に回転軸４に固定されることにより、回転軸４の回転に伴って一体回転される。
【００２３】
（整流子５）
図１に示すように、整流子５は、回転軸４に固着された絶縁性樹脂材料よりなる円筒状の保持部材５ａを有し、その保持部材５ａの外周面周方向に２４個のセグメントＳが時計回り方向に順番に互いに離間した状態で配置されている。
【００２４】
ここで、図２に示すように、２４個のセグメントＳをそれぞれ特定するために、以後、第１〜第２４セグメントＳ１〜Ｓ２４という。そして、図２に示すように、第１〜第２４セグメントＳ１〜Ｓ２４は、保持部材５ａの外周面を時計回り方向に順番に互いに離間した状態で配置されている。従って、２４個の第１〜第２４セグメントＳ１〜Ｓ２４は、周方向に等ピッチ（１５°間隔）となるように配置されている。
【００２５】
図１に２点鎖線で示すように、整流子５の外周には、陽極側ブラシＢ１及び陰極側ブラシＢ２が第１〜第２４セグメントＳ１〜Ｓ２４に摺接可能に配置されている。陽極側ブラシＢ１と陰極側ブラシＢ２は、周方向に１８０°相対向する位置配置されていて、陽極側ブラシＢ１は、第１永久磁石ＭＧ１の周方向中心位置と対応する位置に配置されているとともに、陰極側ブラシＢ２は、第２永久磁石ＭＧ２の周方向中心位置と対応する位置に配置されている。そして、電機子３には、これら陽極側ブラシＢ１及び陰極側ブラシＢ２を介して電流が供給される。
【００２６】
図３に示すように、整流子５において、同じ極の磁極が配置される角度間隔と同じ角度間隔で配置されたセグメントＳ（Ｓ１〜Ｓ２４）同士は、短絡線によって短絡されている。即ち、固定子２においてＮ極の第１永久磁石ＭＧ１は、１２０°間隔で配置されているため、１２０°間隔を開けて配置された３つのセグメントＳは、１つの組となってそれぞれ対応する第１〜第８短絡線Ｌ１〜Ｌ８によって互いに短絡されて同電位となる。
【００２７】
ちなみに、図３に示すように、第１、第１７、第９セグメントＳ１，Ｓ１７，Ｓ９の組が第１短絡線Ｌ１によって互いに短絡されて同電位となる。
また、第１０、第２、第１８セグメントＳ１０，Ｓ２，Ｓ１８の組が第２短絡線Ｌ２によって互いに短絡されて同電位となる。
【００２８】
また、第１９、第１１、第３セグメントＳ１９，Ｓ１１，Ｓ３の組が第３短絡線Ｌ３によって互いに短絡されて同電位となる。
また、第４、第２０、第１２セグメントＳ４，Ｓ２０，Ｓ１２の組が第４短絡線Ｌ４によって互いに短絡されて同電位となる。
【００２９】
また、第１３、第５、第２１セグメントＳ１３，Ｓ５，Ｓ２１の組が第５短絡線Ｌ５によって互いに短絡されて同電位となる。
また、第２２、第１４、第６セグメントＳ２２，Ｓ１４，Ｓ６の組が第６短絡線Ｌ６によって互いに短絡されて同電位となる。
【００３０】
また、第７、第２３、第１５セグメントＳ７，Ｓ２３，Ｓ１５の組が第７短絡線Ｌ７によって互いに短絡されて同電位となる。
また、第１６、第８、第２４セグメントＳ１６，Ｓ８，Ｓ２４の組が第８短絡線Ｌ８によって互いに短絡されて同電位となる。
【００３１】
（電機子コア６）
図１に示すように、電機子コア６は、円筒状のコアバック７と、該コアバック７の外周面から径方向外側に向かって延びる１２本のティースＴとが一体に形成されてなるとともに、コアバック７が回転軸４に外嵌されることにより同回転軸４に対して固定されている。ちなみに、第１〜第２４セグメントＳ１〜Ｓ２４の数は、１２本のティースＴの数の２倍となるように設定されている。
【００３２】
図１に示すように、各ティースＴの先端部には、周方向の時計回り方向に分岐し径方向外側に延出形成された第１分岐部Ｔａと、周方向の反時計回り方向に分岐し径方向外側に延出形成された第２分岐部Ｔｂとが設けられている。そして、各ティースＴにそれぞれ二股状の一対の第１及び第２分岐部Ｔａ，Ｔｂを形成することによって、電機子コア６には、２４個のスロットＳＬが形成される。なお、各ティースＴにおいて、それぞれ一対の第１及び第２分岐部Ｔａ，Ｔｂよりも径方向内側となる基端部側の部位を、内側巻回部Ｔｃとしている。
【００３３】
ここで、図２に示すように、１２本のティースＴをそれぞれ特定するために、以後、第１〜第１２ティースＴ１〜Ｔ１２という。また、第１〜第１２ティースＴ１〜Ｔ１２の第１及び第２分岐部Ｔａ，Ｔｂを、第１及び第２分岐部Ｔ１ａ，Ｔ１ｂ〜Ｔ１２ａ，Ｔ１２ｂという。さらに、第１〜第１２ティースＴ１〜Ｔ１２の内側巻回部Ｔｃを、内側巻回部Ｔ１ｃ〜Ｔ１２ｃという。
【００３４】
そして、図２に示すように、１２本の第１〜第１２ティースＴ１〜Ｔ１２は、コアバック７に対し周方向に等ピッチ（３０°間隔）となる位置において、時計回り方向に順番に形成されている。このとき、第１〜第１２ティースＴ１〜Ｔ１２は、第１〜第２４セグメントＳ１〜Ｓ２４のうち、それぞれ２個が径方向において相対向するように相対配置されている。
【００３５】
詳述すると、図２に示すように、第１ティースＴ１は、第１及び第２セグメントＳ１，Ｓ２がそれぞれ対峙する。第２ティースＴ２は、第３及び第４セグメントＳ３，Ｓ４がそれぞれ対峙する。第３ティースＴ３は、第５及び第６セグメントＳ５，Ｓ６がそれぞれ対峙する。第４ティースＴ４は第７及び第８セグメントＳ７，Ｓ８がそれぞれ対峙する。
【００３６】
また、第５ティースＴ５は、第９及び第１０セグメントＳ９，Ｓ１０がそれぞれ対峙する。第６ティースＴ６は、第１１及び第１２セグメントＳ１１，Ｓ１２がそれぞれ対峙する。第７ティースＴ７は、第１３及び第１４セグメントＳ１３，Ｓ１４がそれぞれ対峙する。第８ティースＴ８は、第１５及び第１６セグメントＳ１５，Ｓ１６がそれぞれ対峙する。
【００３７】
さらに、第９ティースＴ９は、第１７及び第１８セグメントＳ１７，Ｓ１８がそれぞれ対峙する。第１０ティースＴ１０は、第１９及び第２０セグメントＳ１９，Ｓ２０がそれぞれ対峙する。第１１ティースＴ１１は、第２１及び第２２セグメントＳ２１，Ｓ２２がそれぞれ対峙する。第１２ティースＴ１２は、第２３及び第２４セグメントＳ２３，Ｓ２４がそれぞれ対峙する。
【００３８】
また、第１〜第１２ティースＴ１〜Ｔ１２に一対の第１及び第２分岐部Ｔ１ａ，Ｔ１ｂ〜Ｔ１２ａ，Ｔ１２ｂを形成することによって、電機子コア６に２４個のスロットＳＬを形成される。ここで、説明の便宜上、電機子コア６に形成される２４個のスロットＳＬを特定するために、スロット番号「１」〜「２４」で特定し、その番号を図２、図８〜図１１に付す。
【００３９】
ちなみに、本実施形態では、一対の第１及び第２分岐部Ｔ１ａ，Ｔ１ｂ〜Ｔ１２ａ，Ｔ１２ｂの周方向の幅は、内側巻回部Ｔ１ｃ〜Ｔ１２ｃの周方向の幅の半分である。
ここで、各ティースにおいて、それぞれ一対の第１及び第２分岐部Ｔ１ａ，Ｔ１ｂ〜Ｔ１２ａ，Ｔ１２ｂが形成する間隔（スロットＳＬ）の中間位置は、その中間位置と回転軸４の中心軸線を結ぶ線上に、相対配置された２個のセグメントとの間隔の中間位置が位置するようになっている。
【００４０】
つまり、第１ティースＴ１の第１及び第２分岐部Ｔ１ａ，Ｔ１ｂとの間隔（スロット番号「２」のスロットＳＬ）の中間位置と回転軸４の中心軸線を結ぶ線上には、第１及び第２セグメントＳ１，Ｓ２との間隔の中間位置が位置する。
【００４１】
以下、第２ティースＴ２の第１及び第２分岐部Ｔ２ａ，Ｔ２ｂとの間隔（スロット番号「４」のスロットＳＬ）の中間位置と回転軸４の中心軸線を結ぶ線上には、第３及び第４セグメントＳ３，Ｓ４との間隔の中間位置が位置する。
【００４２】
第３ティースＴ３の第１及び第２分岐部Ｔ３ａ，Ｔ３ｂとの間隔（スロット番号「６」のスロットＳＬ）の中間位置と回転軸４の中心軸線を結ぶ線上には、第５及び第６セグメントＳ５，Ｓ６との間隔の中間位置が位置する。
【００４３】
第４ティースＴ４の第１及び第２分岐部Ｔ４ａ，Ｔ４ｂとの間隔（スロット番号「８」のスロットＳＬ）の中間位置と回転軸４の中心軸線を結ぶ線上には、第７及び第８セグメントＳ７，Ｓ８との間隔の中間位置が位置する。
【００４４】
第５ティースＴ５の第１及び第２分岐部Ｔ５ａ，Ｔ５ｂとの間隔（スロット番号「１０」のスロットＳＬ）の中間位置と回転軸４の中心軸線を結ぶ線上には、第９及び第１０セグメントＳ９，Ｓ１０との間隔の中間位置が位置する。
【００４５】
第６ティースＴ６の第１及び第２分岐部Ｔ６ａ，Ｔ６ｂとの間隔（スロット番号「１２」のスロットＳＬ）の中間位置と回転軸４の中心軸線を結ぶ線上には、第１１及び第１２セグメントＳ１１，Ｓ１２との間隔の中間位置が位置する。
【００４６】
第７ティースＴ７の第１及び第２分岐部Ｔ７ａ，Ｔ７ｂとの間隔（スロット番号「１４」のスロットＳＬ）の中間位置と回転軸４の中心軸線を結ぶ線上には、第１３及び第１４セグメントＳ１３，Ｓ１４との間隔の中間位置が位置する。
【００４７】
第８ティースＴ８の第１及び第２分岐部Ｔ８ａ，Ｔ８ｂとの間隔（スロット番号「１６」のスロットＳＬ）の中間位置と回転軸４の中心軸線を結ぶ線上には、第１５及び第１６セグメントＳ１５，Ｓ１６との間隔の中間位置が位置する。
【００４８】
第９ティースＴ９の第１及び第２分岐部Ｔ９ａ，Ｔ９ｂとの間隔（スロット番号「１８」のスロットＳＬ）の中間位置と回転軸４の中心軸線を結ぶ線上には、第１７及び第１８セグメントＳ１７，Ｓ１８との間隔の中間位置が位置する。
【００４９】
第１０ティースＴ１０の第１及び第２分岐部Ｔ１０ａ，Ｔ１０ｂとの間隔（スロット番号「２０」のスロットＳＬ）の中間位置と回転軸４の中心軸線を結ぶ線上には、第１９及び第２０セグメントＳ１９，Ｓ２０との間隔の中間位置が位置する。
【００５０】
第１１ティースＴ１１の第１及び第２分岐部Ｔ１１ａ，Ｔ１１ｂとの間隔（スロット番号「２２」のスロットＳＬ）の中間位置と回転軸４の中心軸線を結ぶ線上には、第２１及び第２２セグメントＳ２１，Ｓ２２との間隔の中間位置が位置する。
【００５１】
第１２ティースＴ１２の第１及び第２分岐部Ｔ１２ａ，Ｔ１２ｂとの間隔（スロット番号「２４」のスロットＳＬ）の中間位置と回転軸４の中心軸線を結ぶ線上には、第２３及び第２４セグメントＳ２３，Ｓ２４との間隔の中間位置が位置する。
【００５２】
また、隣り合うティースにおいて、隣り合う一方のティースの第１分岐部と他方のティースの第２分岐部が形成する間隔（スロットＳＬ）の中間位置は、その中間位置と回転軸４の中心軸線を結ぶ線上に、隣り合うティースに相対配置された片方ずつのセグメントとの間隔の中間位置が位置するようになっている。
【００５３】
詳述すると、第１ティースＴ１の第１分岐部Ｔ１ａと第２ティースＴ２の第２分岐部Ｔ２ｂとの間隔（スロット番号「３」のスロットＳＬ）の中間位置と回転軸４の中心軸線を結ぶ線上には、第２及び第３セグメントＳ２，Ｓ３との間隔の中間位置が位置する。
【００５４】
以下、第２ティースＴ２の第１分岐部Ｔ２ａと第３ティースＴ３の第２分岐部Ｔ３ｂとの間隔（スロット番号「５」のスロットＳＬ）の中間位置と回転軸４の中心軸線を結ぶ線上には、第４及び第５セグメントＳ４，Ｓ５との間隔の中間位置が位置する。
【００５５】
第３ティースＴ３の第１分岐部Ｔ３ａと第４ティースＴ４の第２分岐部Ｔ４ｂとの間隔（スロット番号「７」のスロットＳＬ）の中間位置と回転軸４の中心軸線を結ぶ線上には、第６及び第７セグメントＳ６，Ｓ７との間隔の中間位置が位置する。
【００５６】
第４ティースＴ４の第１分岐部Ｔ４ａと第５ティースＴ５の第２分岐部Ｔ５ｂとの間隔（スロット番号「９」のスロットＳＬ）の中間位置と回転軸４の中心軸線を結ぶ線上には、第８及び第９セグメントＳ８，Ｓ９との間隔の中間位置が位置する。
【００５７】
第５ティースＴ５の第１分岐部Ｔ５ａと第６ティースＴ６の第２分岐部Ｔ６ｂとの間隔（スロット番号「１１」のスロットＳＬ）の中間位置と回転軸４の中心軸線を結ぶ線上には、第１０及び第１１セグメントＳ１０，Ｓ１１との間隔の中間位置が位置する。
【００５８】
第６ティースＴ６の第１分岐部Ｔ６ａと第７ティースＴ７の第２分岐部Ｔ７ｂとの間隔（スロット番号「１３」のスロットＳＬ）の中間位置と回転軸４の中心軸線を結ぶ線上には、第１２及び第１３セグメントＳ１２，Ｓ１３との間隔の中間位置が位置する。
【００５９】
第７ティースＴ７の第１分岐部Ｔ７ａと第８ティースＴ８の第２分岐部Ｔ８ｂとの間隔（スロット番号「１５」のスロットＳＬ）の中間位置と回転軸４の中心軸線を結ぶ線上には、第１４及び第１５セグメントＳ１４，Ｓ１５との間隔の中間位置が位置する。
【００６０】
第８ティースＴ８の第１分岐部Ｔ８ａと第９ティースＴ９の第２分岐部Ｔ９ｂとの間隔（スロット番号「１７」のスロットＳＬ）の中間位置と回転軸４の中心軸線を結ぶ線上には、第１６及び第１７セグメントＳ１６，Ｓ１７との間隔の中間位置が位置する。
【００６１】
第９ティースＴ９の第１分岐部Ｔ９ａと第１０ティースＴ１０の第２分岐部Ｔ１０ｂとの間隔（スロット番号「１９」のスロットＳＬ）の中間位置と回転軸４の中心軸線を結ぶ線上には、第１８及び第１９セグメントＳ１８，Ｓ１９との間隔の中間位置が位置する。
【００６２】
第１０ティースＴ１０の第１分岐部Ｔ１０ａと第１１ティースＴ１１の第２分岐部Ｔ１１ｂとの間隔（スロット番号「２１」のスロットＳＬ）の中間位置と回転軸４の中心軸線を結ぶ線上には、第２０及び第２１セグメントＳ２０，Ｓ２１との間隔の中間位置が位置する。
【００６３】
第１１ティースＴ１１の第１分岐部Ｔ１１ａと第１２ティースＴ１２の第２分岐部Ｔ１２ｂとの間隔（スロット番号「２３」のスロットＳＬ）の中間位置と回転軸４の中心軸線を結ぶ線上には、第２２及び第２３セグメントＳ２２，Ｓ２３との間隔の中間位置が位置する。
【００６４】
第１２ティースＴ１２の第１分岐部Ｔ１２ａと第１ティースＴ１の第２分岐部Ｔ１ｂとの間隔（スロット番号「１」のスロットＳＬ）の中間位置と回転軸４の中心軸線を結ぶ線上には、第２４及び第１セグメントＳ２４，Ｓ１との間隔の中間位置が位置する。
【００６５】
図１に示すように、上記のように構成された電機子コア６の各ティースＴ（第１〜第１２ティースＴ１〜Ｔ１２）には、電機子巻線が巻回されている。
ここで、説明の便宜上、第１〜第１２ティースＴ１〜Ｔ１２の内側巻回部Ｔ１ｃ〜Ｔ１２ｃに巻回されている電機子巻線ついて、第１ティースＴ１の内側巻回部Ｔ１ｃから図１において時計回り方向に第１２ティースＴ１２の内側巻回部Ｔ１２ｃまでそれぞれ巻回されている各巻線を、順番に第１〜第１２巻線Ｃ１〜Ｃ１２を呼ぶ。
【００６６】
また、隣り合うティースの第１分岐部と第２分岐部との間に巻回されている電機子巻線について、第１ティースＴ１の第１分岐部Ｔ１ａと第２ティースＴ２の第２分岐部Ｔ２ｂから図１において時計回り方向に第１２ティースＴ１２の第１分岐部Ｔ１２ａと第１ティースＴ１の第２分岐部Ｔ１ｂまでそれぞれ巻回されている各巻線を、順番に第１３〜第２４巻線Ｃ１３〜Ｃ２４と呼ぶ。
【００６７】
従って、第１〜第１２ティースＴ１〜Ｔ１２の内側巻回部Ｔ１ｃ〜Ｔ１２ｃに巻回された第１〜第１２巻線Ｃ１〜Ｃ１２は、集中巻きとなる。また、隣り合う一方のティースの第１分岐部と他方のティースの第２分岐部との間に巻回された第１３〜第２４巻線Ｃ１３〜Ｃ２４は、分布巻きとなる。
【００６８】
（短絡線結線工程）
次に、第１〜第８短絡線Ｌ１〜Ｌ８の結線方法について、以下の表１に示す短絡線結線工程表と図４〜図７に示す短絡線結線図に従って説明する。
【００６９】
【表１】
0006409395.tif 000002
本実施形態では、表１に示す短絡線結線工程表と図４〜図７に示す結線図から明らかなように、１８０°対向する位置に配置された一方の短絡線と他方の短絡線を同時に結線していく方法であって、ダブルフライヤー巻線機が用いられる。
【００７０】
従って、短絡線結線工程表において、Ａフライヤー（巻線機）とＢフライヤー（巻線機）が分担して第１〜第８短絡線Ｌ１〜Ｌ８を結線する。
短絡線結線工程１（セグメント：Ｓ１→Ｓ１７→Ｓ９、Ｓ１３→Ｓ５→Ｓ２１）
図４に示すように、Ａフライヤーは、絶縁被膜された第１導線Ｗ１の始端部を、第１セグメントＳ１のライザＲに引っ掛けて掛け止めした後、図４において反時計回り方向に１２０°離間した第１７セグメントＳ１７まで反時計回り方向に引き回す。そして、Ａフライヤーは、引き回した第１導線Ｗ１を、同第１７セグメントＳ１７のライザＲにクロスさせて引っ掛ける。Ａフライヤーは、同第１７セグメントＳ１７のライザＲに引っ掛けた第１導線Ｗ１を、反時計回り方向に１２０°離間した第９セグメントＳ９まで反時計回り方向に引き回し同第９セグメントＳ９のライザＲに引っ掛けて掛け止めする。
【００７１】
一方、図４に示すように、Ｂフライヤーは、絶縁被膜された第２導線Ｗ２の始端部を、第１３セグメントＳ１３のライザＲに引っ掛けて掛け止めした後、図４において反時計回り方向に１２０°離間した第５セグメントＳ５まで反時計回り方向に引き回す。そして、Ｂフライヤーは、引き回した第２導線Ｗ２を、同第５セグメントＳ５のライザＲにクロスさせて引っ掛ける。Ｂフライヤーは、同第５セグメントＳ５のライザＲに引っ掛けた第２導線Ｗ２を、反時計回り方向に１２０°離間した第２１セグメントＳ２１まで反時計回り方向に引き回し同第２１セグメントＳ２１のライザＲに引っ掛けて掛け止めする。
【００７２】
短絡線結線工程２（断線）
Ａフライヤーは、第９セグメントＳ９のライザＲに掛け止めした第１導線Ｗ１を切断（断線）する。これによって、その中間部（非端末部）が第１７セグメントＳ１７のライザＲに引っ掛けられた第１導線Ｗ１は、その始端部が第１セグメントＳ１のライザＲに掛け止めされ、その終端部が第９セグメントＳ９のライザＲに掛け止めされてなる第１短絡線Ｌ１となる。
【００７３】
Ｂフライヤーは、第２１セグメントＳ２１のライザＲに掛け止めした第２導線Ｗ２を切断（断線）する。これによって、その中間部（非端末部）が第５セグメントＳ５のライザＲに引っ掛けられた第２導線Ｗ２は、その始端部が第１３セグメントＳ１３のライザＲに掛け止めされ、その終端部が第２１セグメントＳ２１のライザＲに掛け止めされてなる第５短絡線Ｌ５となる。
【００７４】
短絡線結線工程３（セグメント：Ｓ１０→Ｓ２→Ｓ１８、Ｓ２２→Ｓ１４→Ｓ６）
図５に示すように、Ａフライヤーは、切断した第１導線Ｗ１の始端部を、第１０セグメントＳ１０のライザＲに引っ掛けて掛け止めした後、図５において反時計回り方向に１２０°離間した第２セグメントＳ２まで反時計回り方向に引き回す。そして、Ａフライヤーは、引き回した第１導線Ｗ１を、同第２セグメントＳ２のライザＲにクロスさせて引っ掛ける。Ａフライヤーは、同第２セグメントＳ２のライザＲに引っ掛けた第１導線Ｗ１を、反時計回り方向に１２０°離間した第１８セグメントＳ１８まで反時計回り方向に引き回し同第１８セグメントＳ１８のライザＲに引っ掛けて掛け止めする。
【００７５】
一方、図５に示すように、Ｂフライヤーは、切断した第２導線Ｗ２の始端部を、第２２セグメントＳ２２のライザＲに引っ掛けて掛け止めした後、図５において反時計回り方向に１２０°離間した第１４セグメントＳ１４まで反時計回り方向に引き回す。そして、Ｂフライヤーは、引き回した第２導線Ｗ２を、同第１４セグメントＳ１４のライザＲにクロスさせて引っ掛ける。Ｂフライヤーは、同第１４セグメントＳ１４のライザＲに引っ掛けた第２導線Ｗ２を、反時計回り方向に１２０°離間した第６セグメントＳ６まで反時計回り方向に引き回し同第６セグメントＳ６のライザＲに引っ掛けて掛け止めする。
【００７６】
短絡線結線工程４（断線）
Ａフライヤーは、第１８セグメントＳ１８のライザＲに掛け止めした第１導線Ｗ１を切断（断線）する。これによって、その中間部（非端末部）が第２セグメントＳ２のライザＲに引っ掛けられた第１導線Ｗ１は、その始端部が第１０セグメントＳ１０のライザＲに掛け止めされ、その終端部が第１８セグメントＳ１８のライザＲに掛け止めされてなる第２短絡線Ｌ２となる。
【００７７】
Ｂフライヤーは、第６セグメントＳ６のライザＲに掛け止めした第２導線Ｗ２を切断（断線）する。これによって、その中間部（非端末部）が第１４セグメントＳ１４のライザＲに引っ掛けられた第２導線Ｗ２は、その始端部が第２２セグメントＳ２２のライザＲに掛け止めされ、その終端部が第６セグメントＳ６のライザＲに掛け止めされてなる第６短絡線Ｌ６となる。
【００７８】
短絡線結線工程５（セグメント：Ｓ１９→Ｓ１１→Ｓ３、Ｓ７→Ｓ２３→Ｓ１５）
図６に示すように、Ａフライヤーは、切断した第１導線Ｗ１の始端部を、第１９セグメントＳ１９のライザＲに引っ掛けて掛け止めした後、図６において反時計回り方向に１２０°離間した第１１セグメントＳ１１まで反時計回り方向に引き回す。そして、Ａフライヤーは、引き回した第１導線Ｗ１を、同第１１セグメントＳ１１のライザＲにクロスさせて引っ掛ける。Ａフライヤーは、同第１１セグメントＳ１１のライザＲに引っ掛けた第１導線Ｗ１を、反時計回り方向に１２０°離間した第３セグメントＳ３まで反時計回り方向に引き回し同第３セグメントＳ３のライザＲに引っ掛けて掛け止めする。
【００７９】
一方、図６に示すように、Ｂフライヤーは、切断した第２導線Ｗ２の始端部を、第７セグメントＳ７のライザＲに引っ掛けて掛け止めした後、図６において反時計回り方向に１２０°離間した第２３セグメントＳ２３まで反時計回り方向に引き回す。そして、Ｂフライヤーは、引き回した第２導線Ｗ２を、同第２３セグメントＳ２３のライザＲにクロスさせて引っ掛ける。Ｂフライヤーは、同第２３セグメントＳ２３のライザＲに引っ掛けた第２導線Ｗ２を、反時計回り方向に１２０°離間した第１５セグメントＳ１５まで反時計回り方向に引き回し同第１５セグメントＳ１５のライザＲに引っ掛けて掛け止めする。
【００８０】
短絡線結線工程６（断線）
Ａフライヤーは、第３セグメントＳ３のライザＲに掛け止めした第１導線Ｗ１を切断（断線）する。これによって、その中間部（非端末部）が第１１セグメントＳ１１のライザＲに引っ掛けられた第１導線Ｗ１は、その始端部が第１９セグメントＳ１９のライザＲに掛け止めされ、その終端部が第３セグメントＳ３のライザＲに掛け止めされてなる第３短絡線Ｌ３となる。
【００８１】
Ｂフライヤーは、第１５セグメントＳ１５のライザＲに掛け止めした第２導線Ｗ２を切断（断線）する。これによって、その中間部（非端末部）が第２３セグメントＳ２３のライザＲに引っ掛けられた第２導線Ｗ２は、その始端部が第７セグメントＳ７のライザＲに掛け止めされ、その終端部が第１５セグメントＳ１５のライザＲに掛け止めされてなる第７短絡線Ｌ７となる。
【００８２】
短絡線結線工程７（セグメント：Ｓ４→Ｓ２０→Ｓ１２、Ｓ１６→Ｓ８→Ｓ２４）
図７に示すように、Ａフライヤーは、切断した第１導線Ｗ１の始端部を、第４セグメントＳ４のライザＲに引っ掛けて掛け止めした後、図７において反時計回り方向に１２０°離間した第２０セグメントＳ２０まで反時計回り方向に引き回す。そして、Ａフライヤーは、引き回した第１導線Ｗ１を、同第２０セグメントＳ２０のライザＲにクロスさせて引っ掛ける。Ａフライヤーは、同第２０セグメントＳ２０のライザＲに引っ掛けた第１導線Ｗ１を、反時計回り方向に１２０°離間した第１２セグメントＳ１２まで反時計回り方向に引き回し同第１２セグメントＳ１２のライザＲに引っ掛けて掛け止めする。
【００８３】
一方、図７に示すように、Ｂフライヤーは、切断した第２導線Ｗ２の始端部を、第１６セグメントＳ１６のライザＲに引っ掛けて掛け止めした後、図７において反時計回り方向に１２０°離間した第８セグメントＳ８まで反時計回り方向に引き回す。そして、Ｂフライヤーは、引き回した第２導線Ｗ２を、同第８セグメントＳ８のライザＲにクロスさせて引っ掛ける。Ｂフライヤーは、同第８セグメントＳ８のライザＲに引っ掛けた第２導線Ｗ２を、反時計回り方向に１２０°離間した第２４セグメントＳ２４まで反時計回り方向に引き回し同第２４セグメントＳ２４のライザＲに引っ掛けて掛け止めする。
【００８４】
短絡線結線工程８（断線）
Ａフライヤーは、第１２セグメントＳ１２のライザＲに掛け止めした第１導線Ｗ１を切断（断線）する。これによって、その中間部（非端末部）が第２０セグメントＳ２０のライザＲに引っ掛けられた第１導線Ｗ１は、その始端部が第２セグメントＳ２のライザＲに掛け止めされ、その終端部が第１２セグメントＳ１２のライザＲに掛け止めされてなる第４短絡線Ｌ４となる。
【００８５】
Ｂフライヤーは、第２４セグメントＳ２４のライザＲに掛け止めした第２導線Ｗ２を切断（断線）する。これによって、その中間部（非端末部）が第８セグメントＳ８のライザＲに引っ掛けられた第２導線Ｗ２は、その始端部が第１６セグメントＳ１６のライザＲに掛け止めされ、その終端部が第２４セグメントＳ２４のライザＲに掛け止めされてなる第８短絡線Ｌ８となる。
【００８６】
そして、ＡフライヤーとＢフライヤーからなるダブルフライヤー巻線機を使っての第１〜第８短絡線Ｌ１〜Ｌ８の結線作業は終了する。
このとき、ＡフライヤーとＢフライヤーを備えたダブルフライヤー巻線機は、短絡線結線工程１〜短絡線結線工程８の短絡線結線作業において、ＡフライヤーとＢフライヤーが１８０°対峙して結線作業を行う。そのため、短絡線結線工程１〜短絡線結線工程８において、結線作業途中で、ＡフライヤーとＢフライヤーが衝突することなく、それぞれ分担の結線作業が行われる。
【００８７】
（巻線巻回工程）
短絡線結線工程が完了すると、第１〜第２４巻線Ｃ１〜Ｃ２４の巻回作業に移る。
ここで、第１〜第２４巻線Ｃ１〜Ｃ２４の巻回を、以下の表２に示す巻線巻回工程表と図８〜図１１に示す巻回図に従って説明する。
【００８８】
【表２】
0006409395.tif 000003
本実施形態では、表２に示す工程表と図８〜図１１に示す巻回説明図から明らかなように、１８０°対向する位置に配置された一方の巻線と他方の巻線を同時に巻回していく方法であって、上記と同じダブルフライヤー巻線機（ＡフライヤーとＢフライヤー）が用いられる。
【００８９】
巻線巻回工程１（セグメント：Ｓ１、Ｓ１３）
図８（ａ）に示すように、Ａフライヤーは、第１導線Ｗ１の始端部を第１セグメントＳ１のライザＲに掛け止めする。
【００９０】
一方、図８（ｂ）に示すように、Ｂフライヤーは、第２導線Ｗ２の始端部を第１３セグメントＳ１３のライザＲに掛け止めする。
巻線巻回工程２（スロット：第１２巻線Ｃ１２、第６巻線Ｃ６）
図８（ａ）に示すように、Ａフライヤーは、第１セグメントＳ１のライザＲに掛け止めした第１導線Ｗ１を、軸方向整流子５側から見て反時計回り方向（以下、単に反時計回り方向という）にスロット番号「２３」のスロットＳＬまで引き回す。そして、Ａフライヤーは、スロット番号「２３」と「１」のスロットＳＬとの間おいて、その引き回した第１導線Ｗ１にて第１２ティースＴ１２の内側巻回部Ｔ１２ｃに対して径方向外側から見て巻回方向が時計回り方向（以下、単に順巻方向という）の第１２巻線Ｃ１２を巻回する。
【００９１】
一方、図８（ｂ）に示すように、Ｂフライヤーは、第１３セグメントＳ１３のライザＲに掛け止めした第２導線Ｗ２を、反時計回り方向にスロット番号「１１」のスロットＳＬまで引き回す。そして、Ｂフライヤーは、スロット番号「１１」と「１３」のスロットＳＬとの間おいて、その引き回した第２導線Ｗ２にて第６ティースＴ６の内側巻回部Ｔ６ｃに対して順巻方向の第６巻線Ｃ６を巻回する。
【００９２】
巻線巻回工程３（スロット：第２巻線Ｃ２、第８巻線Ｃ８）
図８（ａ）に示すように、Ａフライヤーは、内側巻回部Ｔ１２ｃに第１２巻線Ｃ１２を巻回した第１導線Ｗ１を、スロット番号「１」のスロットＳＬから整流子側（以下、単にコンミ側という）に引き出す。続いて、Ａフライヤーは、そのコンミ側に引き出した第１導線Ｗ１を、スロット番号「５」のスロットＳＬまで軸方向整流子５側から見て時計回り方向（以下、単に時計回り方向という）に引き回す。そして、Ａフライヤーは、スロット番号「５」と「３」のスロットＳＬとの間おいて、その引き回した第１導線Ｗ１にて第２ティースＴ２の内側巻回部Ｔ２ｃに対して径方向外側から見て巻回方向が反時計回り方向（以下、単に逆巻方向という）の第２巻線Ｃ２を巻回する。
【００９３】
一方、図８（ｂ）に示すように、Ｂフライヤーは、内側巻回部Ｔ６ｃに第６巻線Ｃ６を巻回した第２導線Ｗ２を、スロット番号「１３」のスロットＳＬからコンミ側に引き出す。続いて、Ｂフライヤーは、そのコンミ側に引き出した第２導線Ｗ２を、スロット番号「１７」のスロットＳＬまで時計回り方向に引き回す。そして、Ｂフライヤーは、スロット番号「１７」と「１５」のスロットＳＬとの間おいて、その引き回した第２導線Ｗ２にて第８ティースＴ８の内側巻回部Ｔ８ｃに対して逆巻方向の第８巻線Ｃ８を巻回する。
【００９４】
巻線巻回工程４（スロット：第４巻線Ｃ４、第１０巻線Ｃ１０）
図８（ａ）に示すように、Ａフライヤーは、内側巻回部Ｔ２ｃに第２巻線Ｃ２を巻回した第１導線Ｗ１を、スロット番号「５」のスロットＳＬから反整流子側（以下、単に反コンミ側という）に引き出す。続いて、Ａフライヤーは、その反コンミ側に引き出した第１導線Ｗ１を、スロット番号「９」のスロットＳＬまで時計回り方向に引き回す。そして、Ａフライヤーは、スロット番号「９」と「７」のスロットＳＬとの間おいて、その引き回した第１導線Ｗ１にて第４ティースＴ４の内側巻回部Ｔ４ｃに対して順巻方向の第４巻線Ｃ４を巻回する。
【００９５】
一方、図８（ｂ）に示すように、Ｂフライヤーは、内側巻回部Ｔ８ｃに第８巻線Ｃ８を巻回した第２導線Ｗ２を、スロット番号「１７」のスロットＳＬから反コンミ側に引き出す。続いて、Ｂフライヤーは、その反コンミ側に引き出した第２導線Ｗ２を、スロット番号「２１」のスロットＳＬまで時計回り方向に引き回す。
【００９６】
そして、Ｂフライヤーは、スロット番号「２１」と「１９」のスロットＳＬとの間おいて、その引き回した第２導線Ｗ２にて第１０ティースＴ１０の内側巻回部Ｔ１０ｃに対して順巻方向の第１０巻線Ｃ１０を巻回する。
【００９７】
巻線巻回工程５（セグメント：Ｓ１０、Ｓ２２）
図８（ａ）に示すように、Ａフライヤーは、内側巻回部Ｔ４ｃに第４巻線Ｃ４を巻回した第１導線Ｗ１をスロット番号「９」のスロットＳＬを介してコンミ側に引き出す。続いて、Ａフライヤーは、そのコンミ側に引き出した第１導線Ｗ１を、時計回り方向に第１０セグメントＳ１０まで引き回し、該第１０セグメントＳ１０のライザＲに引っ掛ける。
【００９８】
一方、図８（ｂ）に示すように、Ｂフライヤーは、内側巻回部Ｔ１０ｃに第１０巻線Ｃ１０を巻回した第２導線Ｗ２をスロット番号「２１」のスロットＳＬを介してコンミ側に引き出す。続いて、Ｂフライヤーは、そのコンミ側に引き出した第２導線Ｗ２を、時計回り方向に第２２セグメントＳ２２まで引き回し、該第２２セグメントＳ２２のライザＲに引っ掛ける。
【００９９】
巻線巻回工程６（スロット：スロット番号「１１」、スロット番号「２３」）
図８（ａ）に示すように、Ａフライヤーは、第１０セグメントＳ１０のライザＲに引っ掛けた第１導線Ｗ１を、直近のスロット番号「１１」のスロットＳＬを介してコンミ側から反コンミ側に引き出す。
【０１００】
なお、先の巻線巻回工程２において、Ｂフライヤーによってスロット番号「１１」と「１３」の間に、即ち、第６ティースＴ６の内側巻回部Ｔ６ｃに第６巻線Ｃ６が巻回されている。そのため、第１導線Ｗ１は、スロット番号「１１」のスロットＳＬを介してコンミ側から反コンミ側に回り込んで引き出されるとき、第６ティースＴ６の内側巻回部Ｔ６ｃに巻回されている第６巻線Ｃ６の最外周を通って反コンミ側に引き出されるようになっている。
【０１０１】
一方、図８（ｂ）に示すように、Ｂフライヤーは、第２２セグメントＳ２２のライザＲに引っ掛けた第２導線Ｗ２を、直近のスロット番号「２３」のスロットＳＬを介してコンミ側から反コンミ側に引き出す。
【０１０２】
なお、先の巻線巻回工程２において、Ａフライヤーによってスロット番号「２３」と「１」の間に、即ち、第１２ティースＴ１２の内側巻回部Ｔ１２ｃに第１２巻線Ｃ１２が巻回されている。そのため、第２導線Ｗ２は、スロット番号「２３」のスロットＳＬを介してコンミ側から反コンミ側に回り込んで引き出されるとき、第１２ティースＴ１２の内側巻回部Ｔ１２ｃに巻回されている第１２巻線Ｃ１２の最外周を通って反コンミ側に引き出されるようになっている。
【０１０３】
巻線巻回工程７（スロット：スロット番号「２１」、スロット番号「９」）
図８（ａ）に示すように、Ａフライヤーは、スロット番号「１１」のスロットＳＬから反コンミ側に引き出した第１導線Ｗ１を、時計回り方向にスロット番号「２１」のスロットＳＬまで引き回す。そして、Ａフライヤーは、スロット番号「２１」のスロットＳＬまで引き回した第１導線Ｗ１を、該スロット番号「２１」のスロットＳＬからコンミ側に引き出す。
【０１０４】
なお、先の巻線巻回工程４において、Ｂフライヤーによってスロット番号「２１」と「１９」の間に、即ち、第１０ティースＴ１０の内側巻回部Ｔ１０ｃに第１０巻線Ｃ１０が巻回されている。そのため、第１導線Ｗ１は、スロット番号「２１」のスロットＳＬを介して反コンミ側からコンミ側に回り込んで引き出されるとき、第１０ティースＴ１０の内側巻回部Ｔ１０ｃに巻回されている第１０巻線Ｃ１０の最外周を通ってコンミ側に引き出されるようになっている。
【０１０５】
一方、図８（ｂ）に示すように、Ｂフライヤーは、スロット番号「２３」のスロットＳＬから反コンミ側に引き出した第２導線Ｗ２を、時計回り方向にスロット番号「９」のスロットＳＬまで引き回す。そして、Ｂフライヤーは、スロット番号「９」のスロットＳＬまで引き回した第２導線Ｗ２を、該スロット番号「９」のスロットＳＬからコンミ側に引き出す。
【０１０６】
なお、先の巻線巻回工程４において、Ａフライヤーによってスロット番号「９」と「７」の間に、即ち、第４ティースＴ４の内側巻回部Ｔ４ｃに第４巻線Ｃ４が巻回されている。そのため、第２導線Ｗ２は、スロット番号「９」のスロットＳＬを介して反コンミ側からコンミ側に回り込んで引き出されるとき、第４ティースＴ４の内側巻回部Ｔ４ｃに巻回されている第４巻線Ｃ４の最外周を通ってコンミ側に引き出されるようになっている。
【０１０７】
巻線巻回工程８（セグメント：Ｓ１６、Ｓ４）
図９（ａ）に示すように、Ａフライヤーは、スロット番号「２１」のスロットＳＬからコンミ側に引き出した第１導線Ｗ１を、反時計回り方向に第１６セグメントＳ１６まで引き回し、該第１６セグメントＳ１６のライザＲに引っ掛ける。
【０１０８】
一方、図９（ｂ）に示すように、Ｂフライヤーは、スロット番号「９」のスロットＳＬからコンミ側に引き出した第２導線Ｗ２を、反時計回り方向に第４セグメントＳ４まで引き回し、該第４セグメントＳ４のライザＲに引っ掛ける。
【０１０９】
巻線巻回工程９（スロット：スロット番号「１５」、スロット番号「３」）
図９（ａ）に示すように、Ａフライヤーは、第１６セグメントＳ１６のライザＲに引っ掛けた第１導線Ｗ１を、反時計回り方向にスロット番号「１５」のスロットＳＬまで引き回し、スロット番号「１５」のスロットＳＬを介してコンミ側から反コンミ側に引き出す。
【０１１０】
一方、図９（ｂ）に示すように、Ｂフライヤーは、第４セグメントＳ４のライザＲに引っ掛けた第２導線Ｗ２を、反時計回り方向にスロット番号「３」スロットＳＬまで引き回し、スロット番号「３」のスロットＳＬを介してコンミ側から反コンミ側に引き出す。
【０１１１】
巻線巻回工程１０（スロット：第９巻線Ｃ９、第３巻線Ｃ３）
図９（ａ）に示すように、Ａフライヤーは、スロット番号「１５」のスロットＳＬから反コンミ側に引き出した第１導線Ｗ１を、スロット番号「１９」のスロットＳＬまで時計回り方向に引き回す。そして、Ａフライヤーは、スロット番号「１９」と「１７」のスロットＳＬとの間おいて、その引き回した第１導線Ｗ１にて第９ティースＴ９の内側巻回部Ｔ９ｃに対して順巻方向の第９巻線Ｃ９を巻回する。
【０１１２】
このとき、先の巻線巻回工程６，７において、スロット番号「１１」から「２１」間を反コンミ側において引き回されている第１導線Ｗ１は、巻回する第９巻線Ｃ９より内側に位置している。従って、第９ティースＴ９の内側巻回部Ｔ９ｃへの第９巻線Ｃ９の巻回は、邪魔になることはない。
【０１１３】
一方、図９（ｂ）に示すように、Ｂフライヤーは、スロット番号「３」のスロットＳＬから反コンミ側に引き出した第２導線Ｗ２を、スロット番号「７」のスロットＳＬまで時計回り方向に引き回す。そして、Ｂフライヤーは、スロット番号「７」と「５」のスロットＳＬとの間おいて、その引き回した第２導線Ｗ２にて第３ティースＴ３の内側巻回部Ｔ３ｃに対して順巻方向の第３巻線Ｃ３を巻回する。
【０１１４】
このとき、先の巻線巻回工程６，７において、スロット番号「２３」から「９」間を反コンミ側において引き回されている第２導線Ｗ２は、巻回する第３巻線Ｃ３より内側に位置している。従って、第３ティースＴ３の内側巻回部Ｔ３ｃへの第３巻線Ｃ３の巻回は、邪魔になることはない。
【０１１５】
巻線巻回工程１１（スロット：第１１巻線Ｃ１１、第５巻線Ｃ５）
図９（ａ）に示すように、Ａフライヤーは、内側巻回部Ｔ９ｃに第９巻線Ｃ９を巻回した第１導線Ｗ１を、スロット番号「１９」のスロットＳＬからコンミ側に引き出す。続いて、Ａフライヤーは、そのコンミ側に引き出した第１導線Ｗ１を、スロット番号「２３」のスロットＳＬまで時計回り方向に引き回す。そして、Ａフライヤーは、スロット番号「２３」と「２１」のスロットＳＬとの間おいて、その引き回した第１導線Ｗ１にて第１１ティースＴ１１の内側巻回部Ｔ１１ｃに対して逆巻方向の第１１巻線Ｃ１１を巻回する。
【０１１６】
一方、図９（ｂ）に示すように、Ｂフライヤーは、内側巻回部Ｔ３ｃに第３巻線Ｃ３を巻回した第２導線Ｗ２を、スロット番号「７」のスロットＳＬからコンミ側に引き出す。続いて、Ｂフライヤーは、そのコンミ側に引き出した第２導線Ｗ２を、スロット番号「１１」のスロットＳＬまで時計回り方向に引き回す。そして、Ｂフライヤーは、スロット番号「１１」と「９」のスロットＳＬとの間おいて、その引き回した第２導線Ｗ２にて第５ティースＴ５の内側巻回部Ｔ５ｃに対して逆巻方向の第５巻線Ｃ５を巻回する。
【０１１７】
巻線巻回工程１２（スロット：第１巻線Ｃ１、第７巻線Ｃ７）
図９（ａ）に示すように、Ａフライヤーは、内側巻回部Ｔ１１ｃに第１１巻線Ｃ１１を巻回した第１導線Ｗ１を、スロット番号「２３」のスロットＳＬから反コンミ側に引き出す。続いて、Ａフライヤーは、その反コンミ側に引き出した第１導線Ｗ１を、スロット番号「３」のスロットＳＬまで時計回り方向に引き回す。そして、Ａフライヤーは、スロット番号「３」と「１」のスロットＳＬとの間おいて、その引き回した第１導線Ｗ１にて第１ティースＴ１の内側巻回部Ｔ１ｃに対して順巻方向の第１巻線Ｃ１を巻回する。
【０１１８】
このとき、先の巻線巻回工程６，７において、スロット番号「２３」から「９」間を反コンミ側において引き回されている第２導線Ｗ２は、巻回する第１巻線Ｃ１より内側に位置している。従って、第１ティースＴ１の内側巻回部Ｔ１ｃへの第１巻線Ｃ１の巻回は、邪魔になることはない。
【０１１９】
一方、図９（ｂ）に示すように、Ｂフライヤーは、内側巻回部Ｔ５ｃに第５巻線Ｃ５を巻回した第２導線Ｗ２を、スロット番号「１１」のスロットＳＬから反コンミ側に引き出す。続いて、Ｂフライヤーは、その反コンミ側に引き出した第２導線Ｗ２を、スロット番号「１５」のスロットＳＬまで時計回り方向に引き回す。そして、Ｂフライヤーは、スロット番号「１５」と「１３」のスロットＳＬとの間おいて、その引き回した第２導線Ｗ２にて第７ティースＴ７の内側巻回部Ｔ７ｃに対して順巻方向の第７巻線Ｃ７を巻回する。
【０１２０】
このとき、先の巻線巻回工程６，７において、スロット番号「１１」から「２１」間を反コンミ側において引き回されている第１導線Ｗ１は、巻回する第７巻線Ｃ７より内側に位置している。従って、第７ティースＴ７の内側巻回部Ｔ７ｃへの第７巻線Ｃ７の巻回は、邪魔になることはない。
【０１２１】
巻線巻回工程１３（セグメント：Ｓ２３、Ｓ１１）
図９（ａ）に示すように、Ａフライヤーは、内側巻回部Ｔ１ｃに第１巻線Ｃ１を巻回した第１導線Ｗ１を、スロット番号「３」のスロットＳＬからコンミ側に引き出す。続いて、Ａフライヤーは、そのコンミ側に引き出した第１導線Ｗ１を、反時計回り方向に第２３セグメントＳ２３まで引き回し、該第２３セグメントＳ２３のライザＲに引っ掛ける。
【０１２２】
一方、図９（ｂ）に示すように、Ｂフライヤーは、内側巻回部Ｔ７ｃに第７巻線Ｃ７を巻回した第２導線Ｗ２をスロット番号「１５」のスロットＳＬからコンミ側に引き出す。続いて、Ｂフライヤーは、そのコンミ側に引き出した第２導線Ｗ２を、反時計回り方向に第１１セグメントＳ１１まで引き回し、該第１１セグメントＳ１１のライザＲに引っ掛ける。
【０１２３】
この時点で、１２個全ての内側巻回部Ｔ１ｃ〜Ｔ１２ｃのそれぞれに集中巻線からなる第１〜第１２巻線Ｃ１〜Ｃ１２が、ＡフライヤーとＢフライヤーにて巻回される。そして、以後の工程から分布巻線からなる第１３〜第２４巻線Ｃ１３〜Ｃ２４が巻回される。
【０１２４】
巻線巻回工程１４（スロット：スロット番号「２２」、スロット番号「１０」）
図１０（ａ）に示すように、Ａフライヤーは、第２３セグメントＳ２３のライザＲに引っ掛けた第１導線Ｗ１を、反時計回り方向にスロット番号「２２」のスロットＳＬまで引き回し、スロット番号「２２」のスロットＳＬを介してコンミ側から反コンミ側に引き出す。
【０１２５】
一方、図１０（ｂ）に示すように、Ｂフライヤーは、第１１セグメントＳ１１のライザＲに引っ掛けた第２導線Ｗ２を、反時計回り方向にスロット番号「１０」のスロットＳＬまで引き回し、スロット番号「１０」のスロットＳＬを介してコンミ側から反コンミ側に引き出す。
【０１２６】
巻線巻回工程１５（スロット：第２４巻線Ｃ２４、第１８巻線Ｃ１８）
図１０（ａ）に示すように、Ａフライヤーは、スロット番号「２２」のスロットＳＬを介して反コンミ側に引き出した第１導線Ｗ１を、時計回り方向にスロット番号「２」のスロットＳＬまで引き回す。そして、Ａフライヤーは、スロット番号「２」と「２４」のスロットＳＬとの間おいて、即ち、第１ティースＴ１の第２分岐部Ｔ１ｂ及び第１２ティースＴ１２の第１分岐部Ｔ１２ａ間に対して、その引き回した第１導線Ｗ１にて順巻方向の第２４巻線Ｃ２４を巻回する。
【０１２７】
一方、図１０（ｂ）に示すように、Ｂフライヤーは、スロット番号「１０」のスロットＳＬを介して反コンミ側に引き出した第２導線Ｗ２を、時計回り方向にスロット番号「１４」のスロットＳＬまで引き回す。そして、Ｂフライヤーは、スロット番号「１４」と「１２」のスロットＳＬとの間おいて、即ち、第７ティースＴ７の第２分岐部Ｔ７ｂ及び第６ティースＴ６の第１分岐部Ｔ６ａ間に対して、その引き回した第２導線Ｗ２にて順巻方向の第１８巻線Ｃ１８を巻回する。
【０１２８】
巻線巻回工程１６（スロット：第１４巻線Ｃ１４、第２０巻線Ｃ２０）
図１０（ａ）に示すように、Ａフライヤーは、第２分岐部Ｔ１ｂ及び第１分岐部Ｔ１２ａ間に巻回した第２４巻線Ｃ２４の第１導線Ｗ１を、スロット番号「２」のスロットＳＬからコンミ側に引き出す。続いて、Ａフライヤーは、そのコンミ側に引き出した第１導線Ｗ１を、スロット番号「６」のスロットＳＬまで時計回り方向に引き回す。そして、Ａフライヤーは、スロット番号「６」と「４」のスロットＳＬとの間おいて、即ち、第３ティースＴ３の第２分岐部Ｔ３ｂ及び第２ティースＴ２の第１分岐部Ｔ２ａ間に対して、その引き回した第１導線Ｗ１にて逆巻方向の第１４巻線Ｃ１４を巻回する。
【０１２９】
一方、図１０（ｂ）に示すように、Ｂフライヤーは、第２分岐部Ｔ７ｂ及び第１分岐部Ｔ６ａ間に巻回した第１８巻線Ｃ１８の第２導線Ｗ２を、スロット番号「１４」のスロットＳＬからコンミ側に引き出す。続いて、Ｂフライヤーは、そのコンミ側に引き出した第２導線Ｗ２を、スロット番号「１８」のスロットＳＬまで時計回り方向に引き回す。そして、Ｂフライヤーは、スロット番号「１８」と「１６」のスロットＳＬとの間おいて、即ち、第９ティースＴ９の第２分岐部Ｔ９ｂ及び第８ティースＴ８の第１分岐部Ｔ８ａ間に対して、その引き回した第２導線Ｗ２にて逆巻方向の第２０巻線Ｃ２０を巻回する。
【０１３０】
巻線巻回工程１７（スロット：第１６巻線Ｃ１６、第２２巻線Ｃ２２）
図１０（ａ）に示すように、Ａフライヤーは、第２分岐部Ｔ３ｂ及び第１分岐部Ｔ２ａ間に巻回した第１４巻線Ｃ１４の第１導線Ｗ１を、スロット番号「６」のスロットＳＬから反コンミ側に引き出す。続いて、Ａフライヤーは、その反コンミ側に引き出した第１導線Ｗ１を、スロット番号「１０」のスロットＳＬまで時計回り方向に引き回す。そして、Ａフライヤーは、スロット番号「１０」と「８」のスロットＳＬとの間おいて、即ち、第５ティースＴ５の第２分岐部Ｔ５ｂ及び第４ティースＴ４の第１分岐部Ｔ４ａ間に対して、その引き回した第１導線Ｗ１にて順巻方向の第１６巻線Ｃ１６を巻回する。
【０１３１】
一方、図１０（ｂ）に示すように、Ｂフライヤーは、第２分岐部Ｔ９ｂ及び第１分岐部Ｔ８ａ間に巻回した第２０巻線Ｃ２０の第２導線Ｗ２を、スロット番号「１８」のスロットＳＬから反コンミ側に引き出す。続いて、Ｂフライヤーは、その反コンミ側に引き出した第２導線Ｗ２を、スロット番号「２２」のスロットＳＬまで時計回り方向に引き回す。そして、Ｂフライヤーは、スロット番号「２２」と「２０」のスロットＳＬとの間おいて、即ち、第１１ティースＴ１１の第２分岐部Ｔ１１ｂ及び第１０ティースＴ１０の第１分岐部Ｔ１０ａ間に対して、その引き回した第２導線Ｗ２にて順巻方向の第２２巻線Ｃ２２を巻回する。
【０１３２】
巻線巻回工程１８（セグメント：Ｓ６、Ｓ１８）
図１０（ａ）に示すように、Ａフライヤーは、第２分岐部Ｔ５ｂ及び第１分岐部Ｔ４ａ間を巻回した第１導線Ｗ１を、スロット番号「１０」のスロットＳＬを介してコンミ側に引き出す。続いて、Ａフライヤーは、そのコンミ側に引き出した第１導線Ｗ１を、反時計回り方向に第６セグメントＳ６まで引き出し、該第６セグメントＳ６のライザＲに引っ掛ける。
【０１３３】
一方、図１０（ｂ）に示すように、Ｂフライヤーは、第２分岐部Ｔ１１ｂ及び第１分岐部Ｔ１０ａ間を巻回した第２導線Ｗ２を、スロット番号「２２」のスロットＳＬを介してコンミ側に引き出す。続いて、Ｂフライヤーは、そのコンミ側に引き出した第２導線Ｗ２を、反時計回り方向に第１８セグメントＳ１８まで引き出し、該第１８セグメントＳ１８のライザＲに引っ掛ける。
【０１３４】
巻線巻回工程１９（スロット：スロット番号「２」、スロット番号「１４」）
図１０（ａ）に示すように、Ａフライヤーは、第６セグメントＳ６のライザＲに引っ掛けた第１導線Ｗ１を、反時計回り方向にスロット番号「２」のスロットＳＬまで引き回し、スロット番号「２」のスロットＳＬを介してコンミ側から反コンミ側に引き出す。
【０１３５】
なお、先の巻線巻回工程１５において、Ａフライヤーによってスロット番号「２」と「２４」の間に、即ち、第１ティースＴ１の第２分岐部Ｔ１ｂ及び第１２ティースＴ１２の第１分岐部Ｔ１２ａ間に第２４巻線Ｃ２４が巻回されている。そのため、第１導線Ｗ１は、スロット番号「２」のスロットＳＬを介してコンミ側から反コンミ側に回り込んで引き出されるとき、第２４巻線Ｃ２４の最外周を通って反コンミ側に引き出されるようになっている。
【０１３６】
一方、図１０（ｂ）に示すように、Ｂフライヤーは、第１８セグメントＳ１８のライザＲに引っ掛けた第２導線Ｗ２を、反時計回り方向にスロット番号「１４」のスロットＳＬまで引き回し、スロット番号「１４」のスロットＳＬを介してコンミ側から反コンミ側に引き出す。
【０１３７】
なお、先の巻線巻回工程１５において、Ｂフライヤーによってスロット番号「１４」と「１２」の間に、即ち、即ち、第７ティースＴ７の第２分岐部Ｔ７ｂ及び第６ティースＴ６の第１分岐部Ｔ６ａ間に第１８巻線Ｃ１８が巻回されている。そのため、第２導線Ｗ２は、スロット番号「１４」のスロットＳＬを介してコンミ側から反コンミ側に回り込んで引き出されるとき、第１８巻線Ｃ１８の最外周を通って反コンミ側に引き出されるようになっている。
【０１３８】
巻線巻回工程２０（スロット：スロット番号「１６」、スロット番号「４」）
図１１（ａ）に示すように、Ａフライヤーは、スロット番号「２」のスロットＳＬから反コンミ側に引き出した第１導線Ｗ１を、反時計回り方向にスロット番号「１６」のスロットＳＬまで引き回す。そして、Ａフライヤーは、スロット番号「１６」のスロットＳＬまで引き回した第１導線Ｗ１を、該スロット番号「１６」のスロットＳＬからコンミ側に引き出す。
【０１３９】
なお、先の巻線巻回工程１６において、Ｂフライヤーによってスロット番号「１８」と「１６」の間に、即ち、第９ティースＴ９の第２分岐部Ｔ９ｂ及び第８ティースＴ８の第１分岐部Ｔ８ａ間に第２０巻線Ｃ２０が巻回されている。そのため、第１導線Ｗ１は、スロット番号「１６」のスロットＳＬを介して反コンミ側からコンミ側に回り込んで引き出されるとき、第２０巻線Ｃ２０の最外周を通って反コンミ側に引き出されるようになっている。
【０１４０】
一方、図１１（ｂ）に示すように、Ｂフライヤーは、スロット番号「１４」のスロットＳＬから反コンミ側に引き出した第２導線Ｗ２を、反時計回り方向にスロット番号「４」のスロットＳＬまで引き回す。そして、Ｂフライヤーは、スロット番号「４」のスロットＳＬまで引き回した第２導線Ｗ２を、該スロット番号「４」のスロットＳＬからコンミ側に引き出す。
【０１４１】
なお、先の巻線巻回工程１６において、Ａフライヤーによってスロット番号「６」と「４」の間に、即ち、第３ティースＴ３の第２分岐部Ｔ３ｂ及び第２ティースＴ２の第１分岐部Ｔ２ａ間に第１４巻線Ｃ１４が巻回されている。そのため、第２導線Ｗ２は、スロット番号「４」のスロットＳＬを介して反コンミ側からコンミ側に回り込んで引き出されるとき、第１４巻線Ｃ１４の最外周を通って反コンミ側に引き出されるようになっている。
【０１４２】
巻線巻回工程２１（セグメント：Ｓ１７、Ｓ５）
図１１（ａ）に示すように、Ａフライヤーは、スロット番号「１６」のスロットＳＬからコンミ側に引き出した第１導線Ｗ１を、時計回り方向に第１７セグメントＳ１７まで引き回し、該第１７セグメントＳ１７のライザＲに引っ掛ける。
【０１４３】
一方、図１１（ｂ）に示すように、Ｂフライヤーは、スロット番号「４」のスロットＳＬからコンミ側に引き出した第２導線Ｗ２を、時計回り方向に第５セグメントＳ５まで引き回し、該第５セグメントＳ５のライザＲに引っ掛ける。
【０１４４】
巻線巻回工程２２（スロット：スロット番号「１８」、スロット番号「６」）
図１１（ａ）に示すように、Ａフライヤーは、第１７セグメントＳ１７のライザＲに引っ掛けた第１導線Ｗ１を、直近のスロット番号「１８」のスロットＳＬを介してコンミ側から反コンミ側に引き出す。
【０１４５】
一方、図１１（ｂ）に示すように、Ｂフライヤーは、第５セグメントＳ５のライザＲに引っ掛けた第２導線Ｗ２を、直近のスロット番号「６」のスロットＳＬを介してコンミ側から反コンミ側に引き出す。
【０１４６】
巻線巻回工程２３（スロット：第１９巻線Ｃ１９、第１３巻線Ｃ１３）
図１１（ａ）に示すように、Ａフライヤーは、スロット番号「１８」のスロットＳＬを介して反コンミ側に引き出した第１導線Ｗ１を、反時計回り方向にスロット番号「１４」のスロットＳＬまで引き回す。そして、Ａフライヤーは、スロット番号「１４」と「１６」のスロットＳＬとの間おいて、即ち、第７ティースＴ７の第１分岐部Ｔ７ａ及び第８ティースＴ８の第２分岐部Ｔ８ｂ間に対して、その引き回した第１導線Ｗ１にて逆巻方向の第１９巻線Ｃ１９を巻回する。
【０１４７】
一方、図１１（ｂ）に示すように、Ｂフライヤーは、スロット番号「６」のスロットＳＬを介して反コンミ側に引き出した第２導線Ｗ２を、反時計回り方向にスロット番号「２」のスロットＳＬまで引き回す。そして、Ｂフライヤーは、スロット番号「２」と「４」のスロットＳＬとの間おいて、即ち、第１ティースＴ１の第１分岐部Ｔ１ａ及び第２ティースＴ２の第２分岐部Ｔ２ｂ間に対して、その引き回した第２導線Ｗ２にて逆巻方向の第１３巻線Ｃ１３を巻回する。
【０１４８】
巻線巻回工程２４（スロット：第１７巻線Ｃ１７、第２３巻線Ｃ２３）
図１１（ａ）に示すように、Ａフライヤーは、第１分岐部Ｔ７ａ及び第２分岐部Ｔ８ｂ間に巻回した第１９巻線Ｃ１９の第１導線Ｗ１を、スロット番号「１４」のスロットＳＬからコンミ側に引き出す。続いて、Ａフライヤーは、そのコンミ側に引き出した第１導線Ｗ１を、スロット番号「１０」のスロットＳＬまで反時計回り方向に引き回す。そして、Ａフライヤーは、スロット番号「１０」と「１２」のスロットＳＬとの間おいて、即ち、第５ティースＴ５の第１分岐部Ｔ５ａ及び第６ティースＴ６の第２分岐部Ｔ６ｂ間に対して、その引き回した第１導線Ｗ１にて順巻方向の第１７巻線Ｃ１７を巻回する。
【０１４９】
このとき、先の巻線巻回工程１９，２０において、スロット番号「１４」から「４」間を反コンミ側において引き回されている第２導線Ｗ２は、巻回する第１７巻線Ｃ１７より内側に位置している。従って、第１導線Ｗ１による第１７巻線Ｃ１７の巻回は、邪魔になることはない。
【０１５０】
一方、図１１（ｂ）に示すように、Ｂフライヤーは、第１分岐部Ｔ１ａ及び第２分岐部Ｔ２ｂ間に巻回した第１３巻線Ｃ１３の第２導線Ｗ２を、スロット番号「２」のスロットＳＬからコンミ側に引き出す。続いて、Ｂフライヤーは、そのコンミ側に引き出した第２導線Ｗ２を、スロット番号「２２」のスロットＳＬまで反時計回り方向に引き回す。そして、Ｂフライヤーは、スロット番号「２２」と「２４」のスロットＳＬとの間おいて、即ち、第１１ティースＴ１１の第１分岐部Ｔ１１ａ及び第１２ティースＴ１２の第２分岐部Ｔ１２ｂ間に対して、その引き回した第２導線Ｗ２にて順巻方向の第２３巻線Ｃ２３を巻回する。
【０１５１】
このとき、先の巻線巻回工程１９，２０において、スロット番号「２」から「１６」間を反コンミ側において引き回されている第１導線Ｗ１は、巻回する第２３巻線Ｃ２３より内側に位置している。従って、第２導線Ｗ２による第２３巻線Ｃ２３の巻回は、邪魔になることはない。
【０１５２】
巻線巻回工程２５（スロット：第１５巻線Ｃ１５、第２１巻線Ｃ２１）
図１１（ａ）に示すように、Ａフライヤーは、第１分岐部Ｔ５ａ及び第２分岐部Ｔ６ｂ間に巻回した第１７巻線Ｃ１７の第１導線Ｗ１を、スロット番号「１０」のスロットＳＬから反コンミ側に引き出す。続いて、Ａフライヤーは、その反コンミ側に引き出した第１導線Ｗ１を、スロット番号「６」のスロットＳＬまで反時計回り方向に引き回す。そして、Ａフライヤーは、スロット番号「６」と「８」のスロットＳＬとの間おいて、即ち、第３ティースＴ３の第１分岐部Ｔ３ａ及び第４ティースＴ４の第２分岐部Ｔ４ｂ間に対して、その引き回した第１導線Ｗ１にて逆巻方向の第１５巻線Ｃ１５を巻回する。
【０１５３】
このとき、先の巻線巻回工程１９，２０において、スロット番号「１４」から「４」間を反コンミ側において引き回されている第２導線Ｗ２は、巻回する第１５巻線Ｃ１５より内側に位置している。従って、第１導線Ｗ１による第１５巻線Ｃ１５の巻回は、邪魔になることはない。
【０１５４】
一方、図１１（ｂ）に示すように、Ｂフライヤーは、第１分岐部Ｔ１１ａ及び第２分岐部Ｔ１２ｂ間に巻回した第２３巻線Ｃ２３の第２導線Ｗ２を、スロット番号「２２」のスロットＳＬから反コンミ側に引き出す。続いて、Ｂフライヤーは、その反コンミ側に引き出した第２導線Ｗ２を、スロット番号「１８」のスロットＳＬまで反時計回り方向に引き回す。そして、Ｂフライヤーは、スロット番号「１８」と「２０」のスロットＳＬとの間おいて、即ち、第９ティースＴ９の第１分岐部Ｔ９ａ及び第１０ティースＴ１０の第２分岐部Ｔ１０ｂ間に対して、その引き回した第２導線Ｗ２にて逆巻方向の第２１巻線Ｃ２１を巻回する。
【０１５５】
このとき、先の巻線巻回工程１９，２０において、スロット番号「２」から「１６」間を反コンミ側において引き回されている第１導線Ｗ１は、巻回する第２１巻線Ｃ２１より内側に位置している。従って、第２導線Ｗ２による第２１巻線Ｃ２１の巻回は、邪魔になることはない。
【０１５６】
巻線巻回工程２６（セグメント：Ｓ８、Ｓ２０）
図１１（ａ）に示すように、Ａフライヤーは、第１分岐部Ｔ３ａ及び第２分岐部Ｔ４ｂ間を巻回した第１導線Ｗ１をスロット番号「６」のスロットＳＬを介してコンミ側に引き出す。続いて、Ａフライヤーは、そのコンミ側に引き出した第１導線Ｗ１を、時計回り方向に第８セグメントＳ８まで引き出し、該第８セグメントＳ８のライザＲに引っ掛ける。そして、Ａフライヤーは、第８セグメントＳ８のライザＲに掛け止めした第１導線Ｗ１を切断（断線）する。
【０１５７】
一方、図１１（ｂ）に示すように、Ｂフライヤーは、第１分岐部Ｔ９ａ及び第２分岐部Ｔ１０ｂ間を巻回した第２導線Ｗ２をスロット番号「１８」のスロットＳＬを介してコンミ側に引き出す。続いて、Ｂフライヤーは、そのコンミ側に引き出した第２導線Ｗ２を、時計回り方向に第２０セグメントＳ２０まで引き出し、該第２０セグメントＳ２０のライザＲに引っ掛ける。そして、Ｂフライヤーは、第２０セグメントＳ２０のライザＲに掛け止めした第２導線Ｗ２を切断（断線）する。
【０１５８】
これによって、ＡフライヤーとＢフライヤーからなるダブルフライヤー巻線機を使っての第１〜第２４巻線Ｃ１〜Ｃ２４の巻回作業は終了する。
つまり、１２個の集中巻線からなる第１〜第１２巻線Ｃ１〜Ｃ１２と１２個の分布巻線からなる第１３〜第２４巻線Ｃ１３〜Ｃ２４が巻回されるまで、Ａ及びＢフライヤーは、第１及び第２導線Ｗ１，Ｗ２をそれぞれ途中で切断することなく巻回作業を行ったことになる。
【０１５９】
巻線巻回工程２７（切断除去）
この切断除去には、第１導線Ｗ１で巻回された集中巻線間の不要部分、第２導線Ｗ２で巻回された集中巻線間の不要部分、第１導線Ｗ１で巻回された分布巻線間の不要部分、第２導線Ｗ２で巻回された分布巻線間の不要部分等、４つの切断除去作業がある。
【０１６０】
（１）第１導線Ｗ１で巻回された集中巻線間の不要部分の切断除去
第１導線Ｗ１について、コンミ側の図８（ａ）及び図９（ａ）にそれぞれ「×」で示す２箇所（両端）を切断する。すなわち、第１０セグメントＳ１０のライザＲからスロット番号「１１」のスロットＳＬに延びる部分と、スロット番号「２１」のスロットＳＬから第１６セグメントＳ１６のライザＲに延びる部分の２箇所を切断する。
【０１６１】
これは、巻線巻回工程６から巻線巻回工程８において、第１０セグメントＳ１０のライザＲから第１６セグメントＳ１６のライザＲまで引き回した第１導線Ｗ１の部分が、不要な部分であるからである。つまり、その不要な第１導線Ｗ１の部分をそのままにすると、第２短絡線Ｌ２と第８短絡線Ｌ８とが電気的に短絡状態となる。そのため、これを防止するために不要な部分として切断除去する必要があるからである。
【０１６２】
そして、コンミ側の２箇所を切断した後、その２箇所の間にある不要な第１導線Ｗ１部分を反コンミ側から抜き取る。この時、第１０セグメントＳ１０のライザＲからスロット番号「１１」のスロットＳＬに延びて回り込む部分（不要な導線部分の側部）は、Ｂフライヤーが先に巻回した第６巻線Ｃ６の最外周に配置されている。同様に、スロット番号「２１」のスロットＳＬから第１６セグメントＳ１６のライザＲに延びて回り込む部分（不要な導線部分の側部）は、Ｂフライヤーが先に巻回した第１０巻線Ｃ１０の最外周に配置されている。
【０１６３】
そのため、不要な第１導線Ｗ１の部分は、Ｂフライヤーで巻回した第６巻線Ｃ６及び第１０巻線Ｃ１０を傷付けることなく反コンミ側から抜き取られる。
（２）第２導線Ｗ２で巻回された集中巻線間の不要部分の切断除去
第２導線Ｗ２について、コンミ側の図８（ｂ）及び図９（ｂ）にそれぞれ「×」で示す２箇所（両端）を切断する。すなわち、第２２セグメントＳ２２のライザＲからスロット番号「２３」のスロットＳＬに延びる部分と、スロット番号「９」のスロットＳＬから第４セグメントＳ４のライザＲに延びる部分の２箇所を切断する。
【０１６４】
これは、巻線巻回工程６から巻線巻回工程８において、第２２セグメントＳ２２のライザＲから第４セグメントＳ４のライザＲまで引き回した第２導線Ｗ２の部分が、不要な部分であるからである。つまり、その不要な第２導線Ｗ２の部分をそのままにすると、第６短絡線Ｌ６と第４短絡線Ｌ４とが電気的に短絡状態となる。そのため、これを防止するために不要な部分として切断除去する必要があるからである。
【０１６５】
そして、コンミ側の２箇所を切断した後、その２箇所の間にある不要な第２導線Ｗ２部分を反コンミ側から抜き取る。この時、第２２セグメントＳ２２のライザＲからスロット番号「２３」のスロットＳＬに延びて回り込む部分（不要な導線部分の側部）は、Ａフライヤーが先に巻回した第１２巻線Ｃ１２の最外周に配置されている。同様に、スロット番号「９」のスロットＳＬから第４セグメントＳ４のライザＲに延びて回り込む部分（不要な導線部分の側部）は、Ａフライヤーが先に巻回した第４巻線Ｃ４の最外周に配置されている。
【０１６６】
そのため、不要な第２導線Ｗ２の部分は、Ａフライヤーで巻回した第１２巻線Ｃ１２及び第４巻線Ｃ４を傷付けることなく反コンミ側から抜き取られる。
（３）第１導線Ｗ１で巻回された分布巻線間の不要部分の切断除去
第１導線Ｗ１について、コンミ側の図１０（ａ）及び図１１（ａ）にそれぞれ「×」で示す２箇所（両端）を切断する。すなわち、第６セグメントＳ６のライザＲからスロット番号「２」のスロットＳＬに延びる部分と、スロット番号「１６」のスロットＳＬから第１７セグメントＳ１７のライザＲに延びる部分の２箇所を切断する。
【０１６７】
これは、巻線巻回工程１９から巻線巻回工程２１において、第６セグメントＳ６のライザＲから第１７セグメントＳ１７のライザＲまで引き回した第１導線Ｗ１の部分が、不要な部分であるからである。つまり、その不要な第１導線Ｗ１の部分をそのままにすると、第６短絡線Ｌ６と第１短絡線Ｌ１とが電気的に短絡状態となる。そのため、これを防止するために不要な部分として切断除去する必要があるからである。
【０１６８】
そして、コンミ側の２箇所を切断した後、その２箇所の間にある不要な第１導線Ｗ１部分を反コンミ側から抜き取る。この時、第６セグメントＳ６のライザＲからスロット番号「２」のスロットＳＬに延びて回り込む部分（不要な導線部分の側部）は、Ａフライヤーが先に巻回した第２４巻線Ｃ２４の最外周に配置されている。同様に、スロット番号「１６」のスロットＳＬから第１７セグメントＳ１７のライザＲに延びて回り込む部分（不要な導線部分の側部）は、Ｂフライヤーが先に巻回した第２０巻線Ｃ２０の最外周に配置されている。
【０１６９】
そのため、不要な第１導線Ｗ１の部分は、Ａフライヤーで巻回した第２４巻線Ｃ２４及びＢフライヤーで巻回した第２０巻線Ｃ２０を傷付けることなく反コンミ側から抜き取られる。
【０１７０】
（４）第２導線Ｗ２で巻回された分布巻線間の不要部分の切断除去
第２導線Ｗ２について、コンミ側の図１０（ｂ）及び図１１（ｂ）にそれぞれ「×」で示す２箇所（両端）を切断する。すなわち、第１８セグメントＳ１８のライザＲからスロット番号「１４」のスロットＳＬに延びる部分と、スロット番号「４」のスロットＳＬから第５セグメントＳ５のライザＲに延びる部分の２箇所を切断する。
【０１７１】
これは、巻線巻回工程１９から巻線巻回工程２１において、第１８セグメントＳ１８のライザＲから第５セグメントＳ５のライザＲまで引き回した第２導線Ｗ２の部分が、不要な部分であるからである。つまり、その不要な第２導線Ｗ２の部分をそのままにすると、第２短絡線Ｌ２と第５短絡線Ｌ５とが電気的に短絡状態となる。そのため、これを防止するために不要な部分として切断除去する必要があるからである。
【０１７２】
そして、コンミ側の２箇所を切断した後、その２箇所の間にある不要な第２導線Ｗ２部分を反コンミ側から抜き取る。この時、第１８セグメントＳ１８のライザＲからスロット番号「１４」のスロットＳＬに延びて回り込む部分（不要な導線部分の側部）は、Ｂフライヤーが先に巻回した第１８巻線Ｃ１８の最外周に配置されている。同様に、スロット番号「４」のスロットＳＬから第５セグメントＳ５のライザＲに延びて回り込む部分（不要な導線部分の側部）は、Ａフライヤーが先に巻回した第１４巻線Ｃ１４の最外周に配置されている。
【０１７３】
そのため、不要な第２導線Ｗ２の部分は、Ｂフライヤーで巻回した第１８巻線Ｃ１８及びＡフライヤーで巻回した第１４巻線Ｃ１４を傷付けることなく反コンミ側から抜き取られる。
【０１７４】
そして、４箇所の不要部分が除去されると、ライザＲをそれぞれ対応する短絡線及び巻線等の巻端部の掛け止めた部分が保持される方向に折り曲げる。続いて、ヒュージングが行われ、このヒュージングによって、各セグメントのライザＲは、それぞれ対応する各巻線の巻端部と各短絡線の非端末部とともに接合し電気的に接続される。
【０１７５】
これによって、電機子３が製造される。
次に、上記第１実施形態の作用を記載する。
ＡフライヤーとＢフライヤーを備えたダブルフライヤー巻線機は、ＡフライヤーとＢフライヤーが１８０°対峙して巻線巻回作業を行う。そのため、巻線巻回作業途中で、ＡフライヤーとＢフライヤーが衝突することなく、それぞれ分担の巻線巻回作業が行われる。
【０１７６】
Ａ及びＢフライヤーは、巻き始めの第１２巻線Ｃ１２と第６巻線Ｃ６を除く２２個の巻線についてその始端と終端がコンミ側（整流子側）と反コンミ側（反整流子側）に分かれて引き出されるように巻回する。そして、ライザＲに掛け止めする集中巻線間の導線Ｗ１，Ｗ２は、既に集中巻線間の導線Ｗ１，Ｗ２が掛け止めされているライザＲ以外のライザＲに掛け止めされる。さらに、ライザＲに掛け止めする分布巻線間の導線Ｗ１，Ｗ２も、既に集中巻線間又は分布巻線間の導線Ｗ１，Ｗ２が掛け止めされているライザＲ以外のライザＲに掛け止めされるようにした。
【０１７７】
これによって、第１〜第２４巻線Ｃ１〜Ｃ２４を巻回する際、Ａフライヤー又はＢフライヤーにて、第１〜第２４セグメントＳ１〜Ｓ２４のライザＲが、導線Ｗ１，Ｗ２に引っ掛けられる回数を最大で１回にすることができる。
【０１７８】
しかも、第１〜第８短絡線Ｌ１〜Ｌ８を結線する際、Ａフライヤー又はＢフライヤーにて、第１〜第２４セグメントＳ１〜Ｓ２４のライザＲが、導線Ｗ１，Ｗ２に引っ掛けられる回数は最大で１回である。
【０１７９】
従って、第１〜第２４セグメントＳ１〜Ｓ２４のライザＲに、引っ掛けられる導線Ｗ１，Ｗ２の回数は、最大で２回にすることができる。換言すれば、第１〜第２４セグメントＳ１〜Ｓ２４のライザＲには、最大で２本の導線Ｗ１，Ｗ２といった非常に少ない掛け止め本数となる。その結果、後工程で行われる導線Ｗ１，Ｗ２をライザＲと電気的に接続するためのヒュージングする際、隣のライザＲとの絶縁性を確保することができる。
【０１８０】
また、第１〜第２４巻線Ｃ１〜Ｃ２４が巻回されるまで、Ａ及びＢフライヤーにて巻回作業を行った後、第１及び第２導線Ｗ１，Ｗ２の不要な部分をそれぞれ切断し除去したので、巻線巻回作業時間を短縮することができる。そして、コンミ側において不要な導線Ｗ１，Ｗ２部分の両端を切断し、反コンミ側において不要な導線Ｗ１，Ｗ２部分を抜き取れば、その不要な導線Ｗ１，Ｗ２の部分を除去できる。
【０１８１】
このとき、不要な導線Ｗ１，Ｗ２部分の両側部を、巻線の最外周に配置されるように、引き回したので、不要な導線Ｗ１，Ｗ２の部分を反コンミ側に抜き取るとき、巻線を傷付けることなくスムーズに抜き取ることができる。
【０１８２】
次に、上記第１実施形態の効果を以下に記載する。
（１）本実施形態によれば、第１〜第２４セグメントＳ１〜Ｓ２４のライザＲに掛け止めされる導線Ｗ１，Ｗ２の掛け止め本数を低減でき、隣のライザＲとの絶縁性を確保することができる。
【０１８３】
（２）本実施形態によれば、全ての巻線Ｃ１〜Ｃ２４が巻回されるまで、Ａ及びＢフライヤーにて巻回作業を行った後、第１及び第２導線Ｗ１，Ｗ２の不要な部分をそれぞれ切断し除去したので、タクト数が低減でき巻線巻回作業時間を短縮することができる。
【０１８４】
（３）本実施形態によれば、不要な導線Ｗ１，Ｗ２部分を、巻線の最外周に配置されるようにしたので、コンミ側において不要な導線Ｗ１，Ｗ２部分の両端を切断し、反コンミ側において不要な導線Ｗ１，Ｗ２部分を抜き取れば、巻線を傷付けることなくスムーズに抜き取ることができる。
【０１８５】
なお、第１実施形態では、不要な導線Ｗ１，Ｗ２の部分を切断除去する巻線巻回工程２７の後に、ヒュージングを行った。これを、ヒュージングの後に不要な導線Ｗ１，Ｗ２部分を切断除去する巻線巻回工程２７を行うようにしてもよい。
【０１８６】
また、第１実施形態において、ティースＴの数を１２個としたがこれに限定されず適宜変更して実施してもよい。
（第２実施形態）
次に、第２実施形態について説明する。第２実施形態は、第１実施形態と巻線の巻回方法が異なる。そのため、第２実施形態では、説明の便宜上、その巻線の巻回方法について説明する。
【０１８７】
第２実施形態では、第１〜第２４巻線Ｃ１〜Ｃ２４の巻回を、以下の表３に示す巻線巻回工程表と図１２〜図１５に示す巻回説明図に従って説明する。
【０１８８】
【表３】
0006409395.tif 000004
第２実施形態では、表３に示す工程表と図１２〜図１５に示す巻回説明図から明らかなように、１８０°対向する位置に配置された一方の巻線と他方の巻線を同時に巻回していく方法であって、上記と同じダブルフライヤー巻線機（ＡフライヤーとＢフライヤー）が用いられる。
【０１８９】
巻線巻回工程１（セグメント：Ｓ１、Ｓ１３）
図１２（ａ）に示すように、Ａフライヤーは、第１導線Ｗ１の始端部を第１セグメントＳ１のライザＲに掛け止めする。
【０１９０】
一方、図１２（ｂ）に示すように、Ｂフライヤーは、第２導線Ｗ２の始端部を第１３セグメントＳ１３のライザＲに掛け止めする。
巻線巻回工程２（スロット：第１２巻線Ｃ１２、第６巻線Ｃ６）
図１２（ａ）に示すように、Ａフライヤーは、第１セグメントＳ１のライザＲに掛け止めした第１導線Ｗ１を、反時計回り方向にスロット番号「２３」のスロットＳＬまで引き回す。そして、Ａフライヤーは、スロット番号「２３」と「１」のスロットＳＬとの間おいて、その引き回した第１導線Ｗ１にて第１２ティースＴ１２の内側巻回部Ｔ１２ｃに対して順巻方向の第１２巻線Ｃ１２を巻回する。
【０１９１】
一方、図１２（ｂ）に示すように、Ｂフライヤーは、第１３セグメントＳ１３のライザＲに掛け止めした第２導線Ｗ２を、反時計回り方向にスロット番号「１１」のスロットＳＬまで引き回す。そして、Ｂフライヤーは、スロット番号「１１」と「１３」のスロットＳＬとの間おいて、その引き回した第２導線Ｗ２にて第６ティースＴ６の内側巻回部Ｔ６ｃに対して順巻方向の第６巻線Ｃ６を巻回する。
【０１９２】
巻線巻回工程３（スロット：第２巻線Ｃ２、第８巻線Ｃ８）
図１２（ａ）に示すように、Ａフライヤーは、内側巻回部Ｔ１２ｃに第１２巻線Ｃ１２を巻回した第１導線Ｗ１を、スロット番号「１」のスロットＳＬからコンミ側に引き出す。続いて、Ａフライヤーは、そのコンミ側に引き出した第１導線Ｗ１を、スロット番号「５」のスロットＳＬまで時計回り方向に引き回す。そして、Ａフライヤーは、スロット番号「５」と「３」のスロットＳＬとの間おいて、その引き回した第１導線Ｗ１にて第２ティースＴ２の内側巻回部Ｔ２ｃに対して逆巻方向の第２巻線Ｃ２を巻回する。
【０１９３】
一方、図１２（ｂ）に示すように、Ｂフライヤーは、内側巻回部Ｔ６ｃに第６巻線Ｃ６を巻回した第２導線Ｗ２を、スロット番号「１３」のスロットＳＬからコンミ側に引き出す。続いて、Ｂフライヤーは、そのコンミ側に引き出した第２導線Ｗ２を、スロット番号「１７」のスロットＳＬまで時計回り方向に引き回す。
【０１９４】
そして、Ｂフライヤーは、スロット番号「１７」と「１５」のスロットＳＬとの間おいて、その引き回した第２導線Ｗ２にて第８ティースＴ８の内側巻回部Ｔ８ｃに対して逆巻方向の第８巻線Ｃ８を巻回する。
【０１９５】
巻線巻回工程４（スロット：第４巻線Ｃ４、第１０巻線Ｃ１０）
図１２（ａ）に示すように、Ａフライヤーは、内側巻回部Ｔ２ｃに第２巻線Ｃ２を巻回した第１導線Ｗ１を、スロット番号「５」のスロットＳＬから反コンミ側に引き出す。続いて、Ａフライヤーは、その反コンミ側に引き出した第１導線Ｗ１を、スロット番号「９」のスロットＳＬまで時計回り方向に引き回す。そして、Ａフライヤーは、スロット番号「９」と「７」のスロットＳＬとの間おいて、その引き回した第１導線Ｗ１にて第４ティースＴ４の内側巻回部Ｔ４ｃに対して順巻方向の第４巻線Ｃ４を巻回する。
【０１９６】
一方、図１２（ｂ）に示すように、Ｂフライヤーは、内側巻回部Ｔ８ｃに第８巻線Ｃ８を巻回した第２導線Ｗ２を、スロット番号「１７」のスロットＳＬから反コンミ側に引き出す。続いて、Ｂフライヤーは、その反コンミ側に引き出した第２導線Ｗ２を、スロット番号「２１」のスロットＳＬまで時計回り方向に引き回す。そして、Ｂフライヤーは、スロット番号「２１」と「１９」のスロットＳＬとの間おいて、その引き回した第２導線Ｗ２にて第１０ティースＴ１０の内側巻回部Ｔ１０ｃに対して順巻方向の第１０巻線Ｃ１０を巻回する。
【０１９７】
巻線巻回工程５（スロット：第６巻線Ｃ６、第１２巻線Ｃ１２）
図１２（ａ）に示すように、Ａフライヤーは、内側巻回部Ｔ４ｃに第４巻線Ｃ４を巻回した第１導線Ｗ１を、スロット番号「９」のスロットＳＬからコンミ側に引き出す。続いて、Ａフライヤーは、そのコンミ側に引き出した第１導線Ｗ１を、スロット番号「１３」のスロットＳＬまで時計回り方向に引き回す。そして、Ａフライヤーは、スロット番号「１３」と「１１」のスロットＳＬとの間おいて、その引き回した第１導線Ｗ１にて第６ティースＴ６の内側巻回部Ｔ６ｃに対して逆巻方向の１ターンの第６巻線Ｃ６を巻回する。
【０１９８】
一方、図１２（ｂ）に示すように、Ｂフライヤーは、内側巻回部Ｔ１０ｃに第１０巻線Ｃ１０を巻回した第２導線Ｗ２を、スロット番号「２１」のスロットＳＬからコンミ側に引き出す。続いて、Ｂフライヤーは、そのコンミ側に引き出した第２導線Ｗ２を、スロット番号「１」のスロットＳＬまで時計回り方向に引き回す。そして、Ｂフライヤーは、スロット番号「１」と「２３」のスロットＳＬとの間おいて、その引き回した第２導線Ｗ２にて第１２ティースＴ１２の内側巻回部Ｔ１２ｃに対して逆巻方向の１ターンの第１２巻線Ｃ１２を巻回する。
【０１９９】
巻線巻回工程６（セグメント：Ｓ１０、Ｓ２２）
図１２（ａ）に示すように、Ａフライヤーは、内側巻回部Ｔ６ｃに第６巻線Ｃ６を巻回した第１導線Ｗ１をスロット番号「１１」のスロットＳＬを介してコンミ側に引き出す。続いて、Ａフライヤーは、そのコンミ側に引き出した第１導線Ｗ１を、反時計回り方向に第１０セグメントＳ１０まで引き回し、該第１０セグメントＳ１０のライザＲに引っ掛ける。
【０２００】
一方、図１２（ｂ）に示すように、Ｂフライヤーは、内側巻回部Ｔ１２ｃに第１２巻線Ｃ１２を巻回した第２導線Ｗ２をスロット番号「２３」のスロットＳＬを介してコンミ側に引き出す。続いて、Ｂフライヤーは、そのコンミ側に引き出した第２導線Ｗ２を、反時計回り方向に第２２セグメントＳ２２まで引き回し、該第２２セグメントＳ２２のライザＲに引っ掛ける。
【０２０１】
巻線巻回工程７（スロット：スロット番号「９」、スロット番号「２１」）
図１２（ａ）に示すように、Ａフライヤーは、第１０セグメントＳ１０のライザＲに引っ掛けた第１導線Ｗ１を、反時計回り方向に引き回し、スロット番号「９」のスロットＳＬを介してコンミ側から反コンミ側に引き出す。
【０２０２】
一方、図１２（ｂ）に示すように、Ｂフライヤーは、第２２セグメントＳ２２のライザＲに引っ掛けた第２導線Ｗ２を、反時計回り方向に引き回し、スロット番号「２１」のスロットＳＬを介してコンミ側から反コンミ側に引き出す。
【０２０３】
巻線巻回工程８（スロット：スロット番号「１９」、スロット番号「７」）
図１２（ａ）に示すように、Ａフライヤーは、スロット番号「９」のスロットＳＬから反コンミ側に引き出した第１導線Ｗ１を、時計回り方向にスロット番号「１９」のスロットＳＬまで引き回す。そして、Ａフライヤーは、スロット番号「１９」のスロットＳＬまで引き回した第１導線Ｗ１を、該スロット番号「１９」のスロットＳＬからコンミ側に引き出す。
【０２０４】
一方、図１２（ｂ）に示すように、Ｂフライヤーは、スロット番号「２１」のスロットＳＬから反コンミ側に引き出した第２導線Ｗ２を、時計回り方向にスロット番号「７」のスロットＳＬまで引き回す。そして、Ｂフライヤーは、スロット番号「７」のスロットＳＬまで引き回した第２導線Ｗ２を、該スロット番号「７」のスロットＳＬからコンミ側に引き出す。
【０２０５】
巻線巻回工程９（セグメント：Ｓ１６、Ｓ４）
図１３（ａ）に示すように、Ａフライヤーは、スロット番号「１９」のスロットＳＬからコンミ側に引き出した第１導線Ｗ１を、反時計回り方向に第１６セグメントＳ１６まで引き回し、該第１６セグメントＳ１６のライザＲに引っ掛ける。
【０２０６】
一方、図１３（ｂ）に示すように、Ｂフライヤーは、スロット番号「７」のスロットＳＬからコンミ側に引き出した第２導線Ｗ２を、反時計回り方向に第４セグメントＳ４まで引き回し、該第４セグメントＳ４のライザＲに引っ掛ける。
【０２０７】
巻線巻回工程１０（スロット：スロット番号「１５」、スロット番号「３」）
図１３（ａ）に示すように、Ａフライヤーは、第１６セグメントＳ１６のライザＲに引っ掛けた第１導線Ｗ１を、反時計回り方向にスロット番号「１５」のスロットＳＬまで引き回し、コンミ側からスロット番号「１５」のスロットＳＬを介して反コンミ側に引き出す。
【０２０８】
一方、図１３（ｂ）に示すように、Ｂフライヤーは、第４セグメントＳ４のライザＲに引っ掛けた第２導線Ｗ２を、反時計回り方向にスロット番号「３」スロットＳＬまで引き回し、コンミ側からスロット番号「３」のスロットＳＬを介して反コンミ側に引き出す。
【０２０９】
巻線巻回工程１１（スロット：第９巻線Ｃ９、第３巻線Ｃ３）
図１３（ａ）に示すように、Ａフライヤーは、スロット番号「１５」のスロットＳＬから反コンミ側に引き出した第１導線Ｗ１を、スロット番号「１９」のスロットＳＬまで時計回り方向に引き回す。そして、Ａフライヤーは、スロット番号「１９」と「１７」のスロットＳＬとの間おいて、その引き回した第１導線Ｗ１にて第９ティースＴ９の内側巻回部Ｔ９ｃに対して順巻方向の第９巻線Ｃ９を巻回する。
【０２１０】
なお、内側巻回部Ｔ９ｃに第９巻線Ｃ９を巻回するとき、先の巻線巻回工程８において、スロット番号「１９」のスロットＳＬにはＡフライヤーによって第１導線Ｗ１が反コンミ側からコンミ側に引き出されている。従って、第９巻線Ｃ９は、先にそのスロット番号「１９」のスロットＳＬを通っている第１導線Ｗ１を径方向内側に埋め込むようにして巻回される。
【０２１１】
一方、図１３（ｂ）に示すように、Ｂフライヤーは、スロット番号「３」のスロットＳＬから反コンミ側に引き出した第２導線Ｗ２を、スロット番号「７」のスロットＳＬまで時計回り方向に引き回す。そして、Ｂフライヤーは、スロット番号「７」と「５」のスロットＳＬとの間おいて、その引き回した第２導線Ｗ２にて第３ティースＴ３の内側巻回部Ｔ３ｃに対して順巻方向の第３巻線Ｃ３を巻回する。
【０２１２】
なお、内側巻回部Ｔ３ｃに第３巻線Ｃ３を巻回するとき、先の巻線巻回工程８において、スロット番号「７」のスロットＳＬにはＢフライヤーによって第２導線Ｗ２が反コンミ側からコンミ側に引き出されている。従って、第３巻線Ｃ３は、先にそのスロット番号「７」のスロットＳＬを通っている第２導線Ｗ２を径方向内側に埋め込むようにして巻回される。
【０２１３】
巻線巻回工程１２（スロット：第１１巻線Ｃ１１、第５巻線Ｃ５）
図１３（ａ）に示すように、Ａフライヤーは、内側巻回部Ｔ９ｃに第９巻線Ｃ９を巻回した第１導線Ｗ１を、スロット番号「１９」のスロットＳＬからコンミ側に引き出す。続いて、Ａフライヤーは、そのコンミ側に引き出した第１導線Ｗ１を、スロット番号「２３」のスロットＳＬまで時計回り方向に引き回す。そして、Ａフライヤーは、スロット番号「２３」と「２１」のスロットＳＬとの間おいて、その引き回した第１導線Ｗ１にて第１１ティースＴ１１の内側巻回部Ｔ１１ｃに対して逆巻方向の第１１巻線Ｃ１１を巻回する。
【０２１４】
なお、内側巻回部Ｔ１１ｃに第１１巻線Ｃ１１を巻回するとき、先の巻線巻回工程７において、スロット番号「２１」のスロットＳＬにはＢフライヤーによって第２導線Ｗ２がコンミ側から反コンミ側に引き出されている。従って、第１１巻線Ｃ１１は、先にそのスロット番号「２１」のスロットＳＬを通っている第２導線Ｗ２を径方向内側に埋め込むようにして巻回される。
【０２１５】
一方、図１３（ｂ）に示すように、Ｂフライヤーは、内側巻回部Ｔ３ｃに第３巻線Ｃ３を巻回した第２導線Ｗ２を、スロット番号「７」のスロットＳＬからコンミ側に引き出す。続いて、Ｂフライヤーは、そのコンミ側に引き出した第２導線Ｗ２を、スロット番号「１１」のスロットＳＬまで時計回り方向に引き回す。そして、Ｂフライヤーは、スロット番号「１１」と「９」のスロットＳＬとの間おいて、その引き回した第２導線Ｗ２にて第５ティースＴ５の内側巻回部Ｔ５ｃに対して逆巻方向の第５巻線Ｃ５を巻回する。
【０２１６】
なお、内側巻回部Ｔ５ｃに第５巻線Ｃ５を巻回するとき、先の巻線巻回工程７において、スロット番号「９」のスロットＳＬにはＡフライヤーによって第１導線Ｗ１がコンミ側から反コンミ側に引き出されている。従って、第５巻線Ｃ５は、先にそのスロット番号「９」のスロットＳＬを通っている第１導線Ｗ１を径方向内側に埋め込むようにして巻回される。
【０２１７】
巻線巻回工程１３（スロット：第１巻線Ｃ１、第７巻線Ｃ７）
図１３（ａ）に示すように、Ａフライヤーは、内側巻回部Ｔ１１ｃに第１１巻線Ｃ１１を巻回した第１導線Ｗ１を、スロット番号「２３」のスロットＳＬから反コンミ側に引き出す。続いて、Ａフライヤーは、その反コンミ側に引き出した第１導線Ｗ１を、スロット番号「３」のスロットＳＬまで時計回り方向に引き回す。そして、Ａフライヤーは、スロット番号「３」と「１」のスロットＳＬとの間おいて、その引き回した第１導線Ｗ１にて第１ティースＴ１の内側巻回部Ｔ１ｃに対して順巻方向の第１巻線Ｃ１を巻回する。
【０２１８】
一方、図１３（ｂ）に示すように、Ｂフライヤーは、内側巻回部Ｔ５ｃに第５巻線Ｃ５を巻回した第２導線Ｗ２を、スロット番号「１１」のスロットＳＬから反コンミ側に引き出す。続いて、Ｂフライヤーは、その反コンミ側に引き出した第２導線Ｗ２を、スロット番号「１５」のスロットＳＬまで時計回り方向に引き回す。そして、Ｂフライヤーは、スロット番号「１５」と「１３」のスロットＳＬとの間おいて、その引き回した第２導線Ｗ２にて第７ティースＴ７の内側巻回部Ｔ７ｃに対して順巻方向の第７巻線Ｃ７を巻回する。
【０２１９】
巻線巻回工程１４（セグメント：Ｓ２３、Ｓ１１）
図１３（ａ）に示すように、Ａフライヤーは、内側巻回部Ｔ１ｃに第１巻線Ｃ１を巻回した第１導線Ｗ１を、スロット番号「３」のスロットＳＬからコンミ側に引き出す。続いて、Ａフライヤーは、そのコンミ側に引き出した第１導線Ｗ１を、反時計回り方向に第２３セグメントＳ２３まで引き回し、該第２３セグメントＳ２３のライザＲに引っ掛ける。
【０２２０】
一方、図１３（ｂ）に示すように、Ｂフライヤーは、内側巻回部Ｔ７ｃに第７巻線Ｃ７を巻回した第２導線Ｗ２をスロット番号「１５」のスロットＳＬからコンミ側に引き出す。続いて、Ｂフライヤーは、そのコンミ側に引き出した第２導線Ｗ２を、反時計回り方向に第１１セグメントＳ１１まで引き回し、該第１１セグメントＳ１１のライザＲに引っ掛ける。
【０２２１】
この時点で、１２個全ての内側巻回部Ｔ１ｃ〜Ｔ１２ｃにそれぞれ集中巻線からなる第１〜第１２巻線Ｃ１〜Ｃ１２が、ＡフライヤーとＢフライヤーにて巻回される。そして、以後の工程から分布巻線からなる第１３〜第２４巻線Ｃ１３〜Ｃ２４が巻回される。
【０２２２】
巻線巻回工程１５（スロット：スロット番号「２２」、スロット番号「１０」）
図１４（ａ）に示すように、Ａフライヤーは、第２３セグメントＳ２３のライザＲに引っ掛けた第１導線Ｗ１を、反時計回り方向にスロット番号「２２」のスロットＳＬまで引き回し、スロット番号「２２」のスロットＳＬを介してコンミ側から反コンミ側に引き出す。
【０２２３】
一方、図１４（ｂ）に示すように、Ｂフライヤーは、第１１セグメントＳ１１のライザＲに引っ掛けた第２導線Ｗ２を、反時計回り方向にスロット番号「１０」のスロットＳＬまで引き回し、スロット番号「１０」のスロットＳＬを介してコンミ側から反コンミ側に引き出す。
【０２２４】
巻線巻回工程１６（スロット：第２４巻線Ｃ２４、第１８巻線Ｃ１８）
図１４（ａ）に示すように、Ａフライヤーは、スロット番号「２２」のスロットＳＬを介して反コンミ側に引き出した第１導線Ｗ１を、時計回り方向にスロット番号「２」のスロットＳＬまで引き回す。そして、Ａフライヤーは、スロット番号「２」と「２４」のスロットＳＬとの間おいて、即ち、第１ティースＴ１の第２分岐部Ｔ１ｂ及び第１２ティースＴ１２の第１分岐部Ｔ１２ａ間に対して、その引き回した第１導線Ｗ１にて順巻方向の第２４巻線Ｃ２４を巻回する。
【０２２５】
一方、図１４（ｂ）に示すように、Ｂフライヤーは、スロット番号「１０」のスロットＳＬを介して反コンミ側に引き出した第２導線Ｗ２を、時計回り方向にスロット番号「１４」のスロットＳＬまで引き回す。そして、Ｂフライヤーは、スロット番号「１４」と「１２」のスロットＳＬとの間おいて、即ち、第７ティースＴ７の第２分岐部Ｔ７ｂ及び第６ティースＴ６の第１分岐部Ｔ６ａ間に対して、その引き回した第２導線Ｗ２にて順巻方向の第１８巻線Ｃ１８を巻回する。
【０２２６】
巻線巻回工程１７（スロット：第１４巻線Ｃ１４、第２０巻線Ｃ２０）
図１４（ａ）に示すように、Ａフライヤーは、第２分岐部Ｔ１ｂ及び第１分岐部Ｔ１２ａ間に巻回した第２４巻線Ｃ２４の第１導線Ｗ１を、スロット番号「２」のスロットＳＬからコンミ側に引き出す。続いて、Ａフライヤーは、そのコンミ側に引き出した第１導線Ｗ１を、スロット番号「６」のスロットＳＬまで時計回り方向に引き回す。そして、Ａフライヤーは、スロット番号「６」と「４」のスロットＳＬとの間おいて、即ち、第３ティースＴ３の第２分岐部Ｔ３ｂ及び第２ティースＴ２の第１分岐部Ｔ２ａ間に対して、その引き回した第１導線Ｗ１にて逆巻方向の第１４巻線Ｃ１４を巻回する。
【０２２７】
一方、図１４（ｂ）に示すように、Ｂフライヤーは、第２分岐部Ｔ７ｂ及び第１分岐部Ｔ６ａ間に巻回した第１８巻線Ｃ１８の第２導線Ｗ２を、スロット番号「１４」のスロットＳＬからコンミ側に引き出す。続いて、Ｂフライヤーは、そのコンミ側に引き出した第２導線Ｗ２を、スロット番号「１８」のスロットＳＬまで時計回り方向に引き回す。そして、Ｂフライヤーは、スロット番号「１８」と「１６」のスロットＳＬとの間おいて、即ち、第９ティースＴ９の第２分岐部Ｔ９ｂ及び第８ティースＴ８の第１分岐部Ｔ８ａ間に対して、その引き回した第２導線Ｗ２にて逆巻方向の第２０巻線Ｃ２０を巻回する。
【０２２８】
巻線巻回工程１８（スロット：第１６巻線Ｃ１６、第２２巻線Ｃ２２）
図１４（ａ）に示すように、Ａフライヤーは、第２分岐部Ｔ３ｂ及び第１分岐部Ｔ２ａ間に巻回した第１４巻線Ｃ１４の第１導線Ｗ１を、スロット番号「６」のスロットＳＬから反コンミ側に引き出す。続いて、Ａフライヤーは、その反コンミ側に引き出した第１導線Ｗ１を、スロット番号「１０」のスロットＳＬまで時計回り方向に引き回す。そして、Ａフライヤーは、スロット番号「１０」と「８」のスロットＳＬとの間おいて、即ち、第５ティースＴ５の第２分岐部Ｔ５ｂ及び第４ティースＴ４の第１分岐部Ｔ４ａ間に対して、その引き回した第１導線Ｗ１にて順巻方向の第１６巻線Ｃ１６を巻回する。
【０２２９】
一方、図１４（ｂ）に示すように、Ｂフライヤーは、第２分岐部Ｔ９ｂ及び第１分岐部Ｔ８ａ間に巻回した第２０巻線Ｃ２０の第２導線Ｗ２を、スロット番号「１８」のスロットＳＬから反コンミ側に引き出す。続いて、Ｂフライヤーは、その反コンミ側に引き出した第２導線Ｗ２を、スロット番号「２２」のスロットＳＬまで時計回り方向に引き回す。そして、Ｂフライヤーは、スロット番号「２２」と「２０」のスロットＳＬとの間おいて、即ち、第１１ティースＴ１１の第２分岐部Ｔ１１ｂ及び第１０ティースＴ１０の第１分岐部Ｔ１０ａ間に対して、その引き回した第２導線Ｗ２にて順巻方向の第２２巻線Ｃ２２を巻回する。
【０２３０】
巻線巻回工程１９（セグメント：Ｓ６、Ｓ１８）
図１４（ａ）に示すように、Ａフライヤーは、第２分岐部Ｔ５ｂ及び第１分岐部Ｔ４ａ間を巻回した第１導線Ｗ１をスロット番号「１０」のスロットＳＬを介してコンミ側に引き出す。続いて、Ａフライヤーは、そのコンミ側に引き出した第１導線Ｗ１を、反時計回り方向に第６セグメントＳ６まで引き出し、該第６セグメントＳ６のライザＲに引っ掛ける。
【０２３１】
一方、図１４（ｂ）に示すように、Ｂフライヤーは、第２分岐部Ｔ１１ｂ及び第１分岐部Ｔ１０ａ間を巻回した第２導線Ｗ２をスロット番号「２２」のスロットＳＬを介してコンミ側に引き出す。続いて、Ｂフライヤーは、そのコンミ側に引き出した第２導線Ｗ２を、反時計回り方向に第１８セグメントＳ１８まで引き出し、該第１８セグメントＳ１８のライザＲに引っ掛ける。
【０２３２】
巻線巻回工程２０（スロット：スロット番号「４」、スロット番号「１６」）
図１４（ａ）に示すように、Ａフライヤーは、第６セグメントＳ６のライザＲに引っ掛けた第１導線Ｗ１を、反時計回り方向にスロット番号「４」のスロットＳＬまで引き回し、スロット番号「４」のスロットＳＬを介してコンミ側から反コンミ側に引き出す。
【０２３３】
一方、図１４（ｂ）に示すように、Ｂフライヤーは、第１８セグメントＳ１８のライザＲに引っ掛けた第２導線Ｗ２を、反時計回り方向にスロット番号「１６」のスロットＳＬまで引き回し、スロット番号「１６」のスロットＳＬを介してコンミ側から反コンミ側に引き出す。
【０２３４】
巻線巻回工程２１（スロット：スロット番号「１８」、スロット番号「６」）
図１５（ａ）に示すように、Ａフライヤーは、スロット番号「４」のスロットＳＬから反コンミ側に引き出した第１導線Ｗ１を、反時計回り方向にスロット番号「１８」のスロットＳＬまで引き回す。そして、Ａフライヤーは、スロット番号「１６」のスロットＳＬまで引き回した第１導線Ｗ１を、該スロット番号「１８」のスロットＳＬからコンミ側に引き出す。
【０２３５】
一方、図１５（ｂ）に示すように、Ｂフライヤーは、スロット番号「１６」のスロットＳＬから反コンミ側に引き出した第２導線Ｗ２を、反時計回り方向にスロット番号「６」のスロットＳＬまで引き回す。そして、Ｂフライヤーは、スロット番号「６」のスロットＳＬまで引き回した第２導線Ｗ２を、該スロット番号「６」のスロットＳＬからコンミ側に引き出す。
【０２３６】
巻線巻回工程２２（セグメント：Ｓ１７、Ｓ５）
図１５（ａ）に示すように、Ａフライヤーは、スロット番号「１７」のスロットＳＬからコンミ側に引き出した第１導線Ｗ１を、直近の第１７セグメントＳ１７まで引き出し、該第１７セグメントＳ１７のライザＲに引っ掛ける。
【０２３７】
一方、図１５（ｂ）に示すように、Ｂフライヤーは、スロット番号「６」のスロットＳＬからコンミ側に引き出した第２導線Ｗ２を、直近の第５セグメントＳ５まで引き出し、該第５セグメントＳ５のライザＲに引っ掛ける。
【０２３８】
巻線巻回工程２３（スロット：第１９巻線Ｃ１９、第１３巻線Ｃ１３）
図１５（ａ）に示すように、Ａフライヤーは、第１７セグメントＳ１７のライザＲに引っ掛けた第１導線Ｗ１を、反時計回り方向にスロット番号「１６」のスロットＳＬまで引き回す。そして、Ａフライヤーは、スロット番号「１６」と「１４」のスロットＳＬとの間おいて、即ち、第７ティースＴ７の第１分岐部Ｔ７ａ及び第８ティースＴ８の第２分岐部Ｔ８ｂ間に対して、その引き回した第１導線Ｗ１にて逆巻方向の第１９巻線Ｃ１９を巻回する。
【０２３９】
なお、第１９巻線Ｃ１９を巻回するとき、先の巻線巻回工程２０において、スロット番号「１６」のスロットＳＬにはＢフライヤーによって第２導線Ｗ２がコンミ側から反コンミ側に引き出されている。従って、第１９巻線Ｃ１９は、先にそのスロット番号「１６」のスロットＳＬを通っている第２導線Ｗ２を径方向内側に埋め込むようにして巻回される。
【０２４０】
一方、図１５（ｂ）に示すように、Ｂフライヤーは、第５セグメントＳ５のライザＲに引っ掛けた第２導線Ｗ２を、反時計回り方向にスロット番号「４」のスロットＳＬまで引き回す。そして、Ｂフライヤーは、スロット番号「４」と「２」のスロットＳＬとの間おいて、即ち、第１ティースＴ１の第１分岐部Ｔ１ａ及び第２ティースＴ２の第２分岐部Ｔ２ｂ間に対して、その引き回した第２導線Ｗ２にて逆巻方向の第１３巻線Ｃ１３を巻回する。
【０２４１】
なお、第１３巻線Ｃ１３を巻回するとき、先の巻線巻回工程２０において、スロット番号「４」のスロットＳＬにはＡフライヤーによって第１導線Ｗ１がコンミ側から反コンミ側に引き出されている。従って、第１３巻線Ｃ１３は、先にそのスロット番号「４」のスロットＳＬを通っている第１導線Ｗ１を径方向内側に埋め込むようにして巻回される。
【０２４２】
巻線巻回工程２４（スロット：第１７巻線Ｃ１７、第２３巻線Ｃ２３）
図１５（ａ）に示すように、Ａフライヤーは、第１分岐部Ｔ７ａ及び第２分岐部Ｔ８ｂ間に巻回した第１９巻線Ｃ１９の第１導線Ｗ１を、スロット番号「１４」のスロットＳＬからコンミ側に引き出す。続いて、Ａフライヤーは、そのコンミ側に引き出した第１導線Ｗ１を、スロット番号「１０」のスロットＳＬまで反時計回り方向に引き回す。そして、Ａフライヤーは、スロット番号「１０」と「１２」のスロットＳＬとの間おいて、即ち、第５ティースＴ５の第１分岐部Ｔ５ａ及び第６ティースＴ６の第２分岐部Ｔ６ｂ間に対して、その引き回した第１導線Ｗ１にて順巻方向の第１７巻線Ｃ１７を巻回する。
【０２４３】
一方、図１５（ｂ）に示すように、Ｂフライヤーは、第１分岐部Ｔ１ａ及び第２分岐部Ｔ２ｂ間に巻回した第１３巻線Ｃ１３の第２導線Ｗ２を、スロット番号「２」のスロットＳＬからコンミ側に引き出す。続いて、Ｂフライヤーは、そのコンミ側に引き出した第２導線Ｗ２を、スロット番号「２２」のスロットＳＬまで反時計回り方向に引き回す。そして、Ｂフライヤーは、スロット番号「２２」と「２４」のスロットＳＬとの間おいて、即ち、第１１ティースＴ１１の第１分岐部Ｔ１１ａ及び第１２ティースＴ１２の第２分岐部Ｔ１２ｂ間に対して、その引き回した第２導線Ｗ２にて順巻方向の第２３巻線Ｃ２３を巻回する。
【０２４４】
巻線巻回工程２５（スロット：第１５巻線Ｃ１５、第２１巻線Ｃ２１）
図１５（ａ）に示すように、Ａフライヤーは、第１分岐部Ｔ５ａ及び第２分岐部Ｔ６ｂ間に巻回した第１７巻線Ｃ１７の第１導線Ｗ１を、スロット番号「１０」のスロットＳＬから反コンミ側に引き出す。続いて、Ａフライヤーは、その反コンミ側に引き出した第１導線Ｗ１を、スロット番号「６」のスロットＳＬまで反時計回り方向に引き回す。そして、Ａフライヤーは、スロット番号「６」と「８」のスロットＳＬとの間おいて、即ち、第３ティースＴ３の第１分岐部Ｔ３ａ及び第４ティースＴ４の第２分岐部Ｔ４ｂ間に対して、その引き回した第１導線Ｗ１にて逆巻方向の第１５巻線Ｃ１５を巻回する。
【０２４５】
なお、第１５巻線Ｃ１５を巻回するとき、先の巻線巻回工程２１において、スロット番号「６」のスロットＳＬにはＢフライヤーによって第２導線Ｗ２が反コンミ側からコンミ側に引き出されている。従って、第１５巻線Ｃ１５は、先にそのスロット番号「６」のスロットＳＬを通っている第２導線Ｗ２を径方向内側に埋め込むようにして巻回される。
【０２４６】
一方、図１５（ｂ）に示すように、Ｂフライヤーは、第１分岐部Ｔ１１ａ及び第２分岐部Ｔ１２ｂ間に巻回した第２３巻線Ｃ２３の第２導線Ｗ２を、スロット番号「２２」のスロットＳＬから反コンミ側に引き出す。続いて、Ｂフライヤーは、その反コンミ側に引き出した第２導線Ｗ２を、スロット番号「１８」のスロットＳＬまで反時計回り方向に引き回す。そして、Ｂフライヤーは、スロット番号「１８」と「２０」のスロットＳＬとの間おいて、即ち、第９ティースＴ９の第１分岐部Ｔ９ａ及び第１０ティースＴ１０の第２分岐部Ｔ１０ｂ間に対して、その引き回した第２導線Ｗ２にて逆巻方向の第２１巻線Ｃ２１を巻回する。
【０２４７】
なお、第２１巻線Ｃ２１を巻回するとき、先の巻線巻回工程２１において、スロット番号「１８」のスロットＳＬにはＡフライヤーによって第１導線Ｗ１が反コンミ側からコンミ側に引き出されている。従って、第２１巻線Ｃ２１は、先にそのスロット番号「１８」のスロットＳＬを通っている第１導線Ｗ１を径方向内側に埋め込むようにして巻回される。
【０２４８】
巻線巻回工程２６（セグメント：Ｓ８、Ｓ２０）
図１５（ａ）に示すように、Ａフライヤーは、第１分岐部Ｔ３ａ及び第２分岐部Ｔ４ｂ間を巻回した第１導線Ｗ１をスロット番号「６」のスロットＳＬを介してコンミ側に引き出す。続いて、Ａフライヤーは、そのコンミ側に引き出した第１導線Ｗ１を、時計回り方向に第８セグメントＳ８まで引き出し、該第８セグメントＳ８のライザＲに引っ掛ける。そして、Ａフライヤーは、第８セグメントＳ８のライザＲに掛け止めした第１導線Ｗ１を切断（断線）する。
【０２４９】
一方、図１５（ｂ）に示すように、Ｂフライヤーは、第１分岐部Ｔ９ａ及び第２分岐部Ｔ１０ｂ間を巻回した第２導線Ｗ２をスロット番号「１８」のスロットＳＬを介してコンミ側に引き出す。続いて、Ｂフライヤーは、そのコンミ側に引き出した第２導線Ｗ２を、時計回り方向に第２０セグメントＳ２０まで引き出し、該第２０セグメントＳ２０のライザＲに引っ掛ける。そして、Ｂフライヤーは、第２０セグメントＳ２０のライザＲに掛け止めした第２導線Ｗ２を切断（断線）する。
【０２５０】
これによって、ＡフライヤーとＢフライヤーからなるダブルフライヤー巻線機を使っての第１〜第２４巻線Ｃ１〜Ｃ２４の巻回作業は終了する。
つまり、１２個の集中巻線からなる第１〜第１２巻線Ｃ１〜Ｃ１２と１２個の分布巻線からなる第１３〜第２４巻線Ｃ１３〜Ｃ２４が巻回されるまで、Ａ及びＢフライヤーは、第１及び第２導線Ｗ１，Ｗ２をそれぞれ途中で切断することなく巻回作業を行ったことになる。
【０２５１】
巻線巻回工程２７（切断除去）
この切断除去には、第１導線Ｗ１で巻回された集中巻線間の不要部分、第２導線Ｗ２で巻回された集中巻線間の不要部分、第１導線Ｗ１で巻回された分布巻線間の不要部分、第２導線Ｗ２で巻回された分布巻線間の不要部分等、４つの切断除去作業がある。
【０２５２】
（１）第１導線Ｗ１で巻回された集中巻線間の不要部分の切断除去
第１導線Ｗ１について、反コンミ側の図１２（ａ）及び図１３（ａ）にそれぞれ「×」で示す２箇所を切断する。即ち、スロット番号「９」のスロットＳＬから引き出された部分と、スロット番号「１９」のスロットＳＬに引き込まれる部分の２箇所を切断する。
【０２５３】
これは、巻線巻回工程７から巻線巻回工程８において、スロット番号「９」のスロットＳＬからスロット番号「１９」のスロットＳＬまで引き回した第１導線Ｗ１の部分が、不要な部分であるからである。つまり、その不要な第１導線Ｗ１の部分をそのままにすると、第２短絡線Ｌ２と第８短絡線Ｌ８とが電気的に短絡状態となる。そのため、これを防止するために不要な部分として切断除去する必要があるからである。
【０２５４】
そして、反コンミ側の２箇所を切断した後、その２箇所の間にある不要な第１導線Ｗ１部分を反コンミ側から取り除く。
この時、切断されてスロット番号「９」のスロットＳＬ側に残った第１導線Ｗ１（不要な導線部分の側部）は、巻線巻回工程１２においてＢフライヤーが巻回した第５巻線Ｃ５の径方向内側に埋め込まれて固定保持されている。しかも、第１０セグメントＳ１０のライザＲからスロット番号「９」のスロットＳＬに引き出される第１導線Ｗ１は、該第１０セグメントＳ１０のライザＲに掛け止めされる前に、直近の内側巻回部Ｔ６ｃに第６巻線Ｃ６として１ターン分巻回されている。従って、第１０セグメントＳ１０のライザＲに掛け止めされる第１導線Ｗ１は、この第６巻線Ｃ６と第５巻線Ｃ５の間でライザＲに対して緩むことなく掛け止めされることになる。
【０２５５】
同様に、切断されてスロット番号「１９」のスロットＳＬ側に残った第１導線Ｗ１（不要な導線部分の側部）は、巻線巻回工程１１においてＡフライヤーが巻回した第９巻線Ｃ９の径方向内側に埋め込まれて固定保持されている。
【０２５６】
そのため、不要な第１導線Ｗ１の部分を切断除去しても、巻回した巻線が緩んで解けることはない。
（２）第２導線Ｗ２で巻回された集中巻線間の不要部分の切断除去
第２導線Ｗ２について、反コンミ側の図１２（ｂ）及び図１３（ｂ）にそれぞれ「×」で示す２箇所を切断する。即ち、スロット番号「２１」のスロットＳＬから引き出された部分と、スロット番号「７」のスロットＳＬに引き込まれる部分の２箇所を切断する。
【０２５７】
これは、巻線巻回工程７から巻線巻回工程８において、スロット番号「２１」のスロットＳＬからスロット番号「７」のスロットＳＬまで引き回した第２導線Ｗ２の部分が、不要な部分であるからである。つまり、その不要な第２導線Ｗ２の部分をそのままにすると、第６短絡線Ｌ６と第４短絡線Ｌ４とが電気的に短絡状態となる。そのため、これを防止するために不要な部分として切断除去する必要があるからである。
【０２５８】
そして、反コンミ側の２箇所を切断した後、その２箇所の間にある不要な第２導線Ｗ２部分を反コンミ側から取り除く。
この時、切断されてスロット番号「２１」のスロットＳＬ側に残った第２導線Ｗ２（不要な導線部分の側部）は、巻線巻回工程１２においてＡフライヤーが巻回した第１１巻線Ｃ１１の径方向内側に埋め込まれて固定保持されている。しかも、第２２セグメントＳ２２のライザＲからスロット番号「２１」のスロットＳＬに引き出される第２導線Ｗ２は、該第２２セグメントＳ２２のライザＲに掛け止めされる前に、直近の内側巻回部Ｔ１２ｃに第１２巻線Ｃ１２として１ターン分巻回されている。従って、第２２セグメントＳ２２のライザＲに掛け止めされる第２導線Ｗ２は、この第１２巻線Ｃ１２と第１１巻線Ｃ１１の間でライザＲに対して緩むことなく掛け止めされることになる。
【０２５９】
同様に、切断されてスロット番号「７」のスロットＳＬ側に残った第２導線Ｗ２（不要な導線部分の側部）は、巻線巻回工程１１においてＢフライヤーが巻回した第３巻線Ｃ３の径方向内側に埋め込まれて固定保持されている。
【０２６０】
そのため、不要な第２導線Ｗ２の部分を切断除去しても、巻回した巻線が緩んで解けることはない。
（３）第１導線Ｗ１で巻回された分布巻線間の不要部分の切断除去
第１導線Ｗ１について、反コンミ側の図１４（ａ）及び図１５（ａ）にそれぞれ「×」で示す２箇所を切断する。即ち、スロット番号「４」のスロットＳＬから引き出された部分と、スロット番号「１８」のスロットＳＬに引き込まれる部分の２箇所を切断する。
【０２６１】
これは、巻線巻回工程２０から巻線巻回工程２１において、スロット番号「４」のスロットＳＬからスロット番号「１８」のスロットＳＬまで引き回した第１導線Ｗ１の部分が、不要な部分であるからである。つまり、その不要な第１導線Ｗ１の部分をそのままにすると、第６短絡線Ｌ６と第１短絡線Ｌ１とが電気的に短絡状態となる。そのため、これを防止するために不要な部分として切断除去する必要があるからである。
【０２６２】
そして、反コンミ側の２箇所を切断した後、その２箇所の間にある不要な第１導線Ｗ１部分を反コンミ側から取り除く。この時、切断されてスロット番号「４」のスロットＳＬ側に残った第１導線Ｗ１（不要な導線部分の側部）は、巻線巻回工程２３においてＢフライヤーが巻回した第１３巻線Ｃ１３の径方向内側に埋め込まれて固定保持されている。同様に、切断されてスロット番号「１８」のスロットＳＬ側に残った第１導線Ｗ１（不要な導線部分の側部）は、巻線巻回工程２５においてＢフライヤーが巻回した第２１巻線Ｃ２１の径方向内側に埋め込まれて固定保持されている。
【０２６３】
そのため、不要な第１導線Ｗ１の部分を切断除去しても、巻回した巻線が緩んで解けることはない。
（４）第２導線Ｗ２で巻回された分布巻線間の不要部分の切断除去
第２導線Ｗ２について、反コンミ側の図１４（ｂ）及び図１５（ｂ）にそれぞれ「×」で示す２箇所を切断する。即ち、スロット番号「１６」のスロットＳＬから引き出された部分と、スロット番号「６」のスロットＳＬに引き込まれる部分の２箇所を切断する。
【０２６４】
これは、巻線巻回工程２０から巻線巻回工程２１において、スロット番号「１６」のスロットＳＬからスロット番号「６」のスロットＳＬまで引き回した第２導線Ｗ２の部分が、不要な部分であるからである。つまり、その不要な第２導線Ｗ２の部分をそのままにすると、第２短絡線Ｌ２と第５短絡線Ｌ５とが電気的に短絡状態となる。そのため、これを防止するために不要な部分として切断除去する必要があるからである。
【０２６５】
そして、反コンミ側の２箇所を切断した後、その２箇所の間にある不要な第２導線Ｗ２部分を反コンミ側から取り除く。
この時、切断されてスロット番号「１６」のスロットＳＬ側に残った第２導線Ｗ２（不要な導線部分の側部）は、巻線巻回工程２３においてＡフライヤーが巻回した第１９巻線Ｃ１９の径方向内側に埋め込まれて固定保持されている。同様に、切断されてスロット番号「６」のスロットＳＬ側に残った第２導線Ｗ２（不要な導線部分の側部）は、巻線巻回工程２５においてＡフライヤーが巻回した第１５巻線Ｃ１５の径方向内側に埋め込まれて固定保持されている。
【０２６６】
そのため、不要な第２導線Ｗ２の部分を切断除去しても、巻回した巻線が緩んで解けることはない。
そして、４箇所の不要部分が除去されると、ライザＲをそれぞれ対応する短絡線及び巻線等の巻端部の掛け止めた部分が保持される方向に折り曲げる。続いて、ヒュージングが行われ、このヒュージングによって、各セグメントのライザＲは、それぞれ対応する各巻線の巻端部と各短絡線の非端末部とともに接合し電気的に接続される。
【０２６７】
これによって、電機子３が製造される。
次に、上記第２実施形態の作用を記載する。
第１実施形態と同様に、ＡフライヤーとＢフライヤーが衝突することなく、それぞれ分担の巻線巻回作業が行われる。このとき、第１実施形態と同様に、巻き始めの第１２巻線Ｃ１２と第６巻線Ｃ６を除く２２個の巻線は、その始端と終端がコンミ側と反コンミ側に分かれて引き出されるように巻回されている。
【０２６８】
そして、ライザＲに掛け止めする集中巻線間の導線Ｗ１，Ｗ２について、既に集中巻線間の導線Ｗ１，Ｗ２が掛け止めされているライザＲ以外のライザＲに掛け止めされている。さらに、ライザＲに掛け止めする分布巻線間の導線Ｗ１，Ｗ２について、既に集中巻線又は分布巻線間の導線Ｗ１，Ｗ２が掛け止めされているライザＲ以外のライザＲに掛け止めされるようにした。
【０２６９】
これによって、第１実施形態と同様に、第１〜第２４セグメントＳ１〜Ｓ２４のライザＲには、短絡線を含めて最大で２本の導線Ｗ１，Ｗ２といった非常に少ない掛け止め本数となる。その結果、後工程で行われる導線Ｗ１，Ｗ２をライザＲと電気的に接続するためのヒュージングする際、隣のライザＲとの絶縁性を確保することができる。
【０２７０】
また、第１〜第２４巻線Ｃ１〜Ｃ２４が巻回されるまで、Ａ及びＢフライヤーにて巻回作業を行った後、第１及び第２導線Ｗ１，Ｗ２の不要な部分をそれぞれ切断し除去したので、巻線巻回作業時間を短縮することができる。そして、反コンミ側において不要な導線Ｗ１，Ｗ２部分の両端を切断し、反コンミ側において不要な導線Ｗ１，Ｗ２部分を取りされば、その不要な導線Ｗ１，Ｗ２の部分を除去できる。
【０２７１】
このとき、不要な導線Ｗ１，Ｗ２部分が切断されてスロットＳＬ側の残った導線Ｗ１，Ｗ２部分は、そのスロットＳＬに巻回された巻線にて径方向内側に埋め込まれて固定保持されているので、不要な導線Ｗ１，Ｗ２の部分を切断除去しても、巻回した巻線が緩んで解けることはない。
【０２７２】
次に、上記第２実施形態の効果を以下に記載する。
（１）本実施形態によれば、第１〜第２４セグメントＳ１〜Ｓ２４のライザＲに掛け止めされる導線Ｗ１，Ｗ２の掛け止め本数を低減でき、隣のライザＲとの絶縁性を確保することができる。
【０２７３】
（２）本実施形態によれば、全ての巻線Ｃ１〜Ｃ２４が巻回されるまで、Ａ及びＢフライヤーにて巻回作業を行った後、第１及び第２導線Ｗ１，Ｗ２の不要な部分をそれぞれ切断し除去したので、タクト数が低減でき巻線巻回作業時間を短縮することができる。
【０２７４】
（３）本実施形態によれば、不要な導線Ｗ１，Ｗ２の部分が切断されてスロットＳＬ側の残った導線Ｗ１，Ｗ２部分を、そのスロットＳＬに巻回された巻線にて径方向内側に埋め込み固定保持した。従って、不要な導線Ｗ１，Ｗ２の部分を切断除去しても、巻回した巻線が緩んで解けることはない。
【０２７５】
なお、第２実施形態では、第１実施形態と同様に、不要な導線Ｗ１，Ｗ２部分を切断除去する巻線巻回工程２７の後に、ヒュージングを行った。これを、ヒュージングの後に不要な導線Ｗ１，Ｗ２の部分を切断除去する巻線巻回工程２７を行うようにしてもよい。
【０２７６】
また、第２実施形態においも、同様に、ティースＴの数を１２個としたがこれに限定されず適宜変更して実施してもよい。
（第３実施形態）
次に、第３実施形態について説明する。第３実施形態は、第１及び第２実施形態と巻線の巻回方法が異なる。そのため、第３実施形態では、説明の便宜上、巻線の巻回方法について説明する。
【０２７７】
第３実施形態では、第１〜第２４巻線Ｃ１〜Ｃ２４の巻回を、以下の表４に示す巻線巻回工程表と図１６〜図１９に示す巻回説明図に従って説明する。
【０２７８】
【表４】
0006409395.tif 000005
第３実施形態では、表４に示す工程表と図１６〜図１９に示す巻回説明図から明らかなように、１８０°対向する位置に配置された一方の巻線と他方の巻線を同時に巻回していく方法であって、上記と同じダブルフライヤー巻線機（ＡフライヤーとＢフライヤー）が用いられる。
【０２７９】
巻線巻回工程１（セグメント：Ｓ１、Ｓ１３）
図１６（ａ）に示すように、Ａフライヤーは、第１導線Ｗ１の始端部を第１セグメントＳ１のライザＲに掛け止めする。
【０２８０】
一方、図１６（ｂ）に示すように、Ｂフライヤーは、第２導線Ｗ２の始端部を第１３セグメントＳ１３のライザＲに掛け止めする。
巻線巻回工程２（スロット：第１巻線Ｃ１、第７巻線Ｃ７）
図１６（ａ）に示すように、Ａフライヤーは、第１セグメントＳ１のライザＲに掛け止めした第１導線Ｗ１を、直近のスロット番号「１」のスロットＳＬまで引き出す。そして、Ａフライヤーは、スロット番号「１」と「３」のスロットＳＬとの間おいて、その引き出した第１導線Ｗ１にて第１ティースＴ１の内側巻回部Ｔ１ｃに対して順巻方向の第１巻線Ｃ１のための巻線を巻回する。
【０２８１】
つまり、この第１ティースＴ１の内側巻回部Ｔ１ｃに対するＡフライヤーによる第１導線Ｗ１の巻き数は、該内側巻回部Ｔ１ｃに巻回されるべき第１巻線Ｃ１の巻き数の半分の巻き数である。そして、後工程（巻線巻回工程７）でＢフライヤーが、第２導線Ｗ２によって残り半分の巻き数を順巻方向に巻回することによって、該内側巻回部Ｔ１ｃに対して順巻方向の第１巻線Ｃ１が完成するようになっている。
【０２８２】
一方、図１６（ｂ）に示すように、Ｂフライヤーは、第１３セグメントＳ１３のライザＲに掛け止めした第２導線Ｗ２を、直近のスロット番号「１３」のスロットＳＬまで引き出す。そして、Ｂフライヤーは、スロット番号「１３」と「１５」のスロットＳＬとの間おいて、引き出した第２導線Ｗ２にて第７ティースＴ７の内側巻回部Ｔ７ｃに対して順巻方向の第７巻線Ｃ７のための巻線を巻回する。
【０２８３】
つまり、この第７ティースＴ７の内側巻回部Ｔ７ｃに対するＢフライヤーによる第２導線Ｗ２の巻き数は、該内側巻回部Ｔ７ｃに巻回されるべき第７巻線Ｃ７の巻き数の半分の巻き数である。そして、後工程（巻線巻回工程７）でＡフライヤーが、第１導線Ｗ１によって残り半分の巻き数を順巻方向に巻回することによって、該内側巻回部Ｔ７ｃに対して順巻方向の第７巻線Ｃ７が完成するようになっている。
【０２８４】
巻線巻回工程３（スロット：第３巻線Ｃ３、第９巻線Ｃ９）
図１６（ａ）に示すように、Ａフライヤーは、内側巻回部Ｔ１ｃに第１巻線Ｃ１の半分の巻き数だけ巻回した第１導線Ｗ１を、スロット番号「３」のスロットＳＬからコンミ側に引き出す。続いて、Ａフライヤーは、そのコンミ側に引き出した第１導線Ｗ１を、スロット番号「７」のスロットＳＬまで時計回り方向に引き回す。そして、Ａフライヤーは、スロット番号「７」と「５」のスロットＳＬとの間おいて、その引き回した第１導線Ｗ１にて第３ティースＴ３の内側巻回部Ｔ３ｃに対して逆巻方向の第３巻線Ｃ３のための巻線を巻回する。
【０２８５】
つまり、この第３ティースＴ３の内側巻回部Ｔ３ｃに対するＡフライヤーによる第１導線Ｗ１の巻き数は、該内側巻回部Ｔ３ｃに巻回されるべき第３巻線Ｃ３の巻き数の半分の巻き数である。そして、後工程（巻線巻回工程８）でＢフライヤーが、第２導線Ｗ２によって残り半分の巻き数を逆巻方向に巻回することによって、該内側巻回部Ｔ３ｃに対して逆巻方向の第３巻線Ｃ３が完成するようになっている。
【０２８６】
一方、図１６（ｂ）に示すように、Ｂフライヤーは、内側巻回部Ｔ７ｃに第７巻線Ｃ７の半分の巻き数だけ巻回した第２導線Ｗ２を、スロット番号「１５」のスロットＳＬからコンミ側に引き出す。続いて、Ｂフライヤーは、そのコンミ側に引き出した第２導線Ｗ２を、スロット番号「１９」のスロットＳＬまで時計回り方向に引き回す。そして、Ｂフライヤーは、スロット番号「１９」と「１７」のスロットＳＬとの間おいて、その引き回した第２導線Ｗ２にて第９ティースＴ９の内側巻回部Ｔ９ｃに対して逆巻方向の第９巻線Ｃ９のための巻線を巻回する。
【０２８７】
つまり、この第９ティースＴ９の内側巻回部Ｔ９ｃに対するＢフライヤーによる第２導線Ｗ２の巻き数は、該内側巻回部Ｔ９ｃに巻回されるべき第９巻線Ｃ９の巻き数の半分の巻き数である。そして、後工程（巻線巻回工程８）でＡフライヤーが、第１導線Ｗ１によって残り半分の巻き数を逆巻方向に巻回することによって、該内側巻回部Ｔ９ｃに対して逆巻方向の第９巻線Ｃ９が完成するようになっている。
【０２８８】
巻線巻回工程４（スロット：第５巻線Ｃ５、第１１巻線Ｃ１１）
図１６（ａ）に示すように、Ａフライヤーは、内側巻回部Ｔ３ｃに第３巻線Ｃ３の半分の巻き数だけ巻回した第１導線Ｗ１を、スロット番号「７」のスロットＳＬから反コンミ側に引き出す。続いて、Ａフライヤーは、その反コンミ側に引き出した第１導線Ｗ１を、スロット番号「１１」のスロットＳＬまで時計回り方向に引き回す。そして、Ａフライヤーは、スロット番号「１１」と「９」のスロットＳＬとの間おいて、その引き回した第１導線Ｗ１にて第５ティースＴ５の内側巻回部Ｔ５ｃに対して順巻方向の第５巻線Ｃ５のための巻線を巻回する。
【０２８９】
つまり、この第５ティースＴ５の内側巻回部Ｔ５ｃに対するＡフライヤーによる第１導線Ｗ１の巻き数は、該内側巻回部Ｔ５ｃに巻回されるべき第５巻線Ｃ５の巻き数の半分の巻き数である。そして、後工程（巻線巻回工程９）でＢフライヤーが、第２導線Ｗ２によって残り半分の巻き数を順巻方向に巻回することによって、該内側巻回部Ｔ５ｃに対して順巻方向の第５巻線Ｃ５が完成するようになっている。
【０２９０】
一方、図１６（ｂ）に示すように、Ｂフライヤーは、内側巻回部Ｔ９ｃに第９巻線Ｃ９の半分の巻き数だけ巻回した第２導線Ｗ２を、スロット番号「１９」のスロットＳＬから反コンミ側に引き出す。続いて、Ｂフライヤーは、その反コンミ側に引き出した第２導線Ｗ２を、スロット番号「２３」のスロットＳＬまで時計回り方向に引き回す。そして、Ｂフライヤーは、スロット番号「２３」と「２１」のスロットＳＬとの間おいて、その引き回した第２導線Ｗ２にて第１１ティースＴ１１の内側巻回部Ｔ１１ｃに対して順巻方向の第１１巻線Ｃ１１のための巻線を巻回する。
【０２９１】
つまり、この第１１ティースＴ１１の内側巻回部Ｔ１１ｃに対するＢフライヤーによる第２導線Ｗ２の巻き数は、該内側巻回部Ｔ１１ｃに巻回されるべき第１１巻線Ｃ１１の巻き数の半分の巻き数である。そして、後工程（巻線巻回工程９）でＡフライヤーが、第１導線Ｗ１によって残り半分の巻き数を順巻方向に巻回することによって、該内側巻回部Ｔ１１ｃに対して順巻方向の第１１巻線Ｃ１１が完成するようになっている。
【０２９２】
巻線巻回工程５（セグメント：Ｓ１０、Ｓ２２）
図１６（ａ）に示すように、Ａフライヤーは、内側巻回部Ｔ５ｃに第５巻線Ｃ５の半分の巻き数だけ巻回した第１導線Ｗ１を、スロット番号「１１」のスロットＳＬから直近の第１０セグメントＳ１０まで引き出し、該第１０セグメントＳ１０のライザＲに引っ掛ける。
【０２９３】
一方、図１６（ｂ）に示すように、Ｂフライヤーは、内側巻回部Ｔ１１ｃに第１１巻線Ｃ１１の半分の巻き数だけ巻回した第２導線Ｗ２を、スロット番号「２３」のスロットＳＬから直近の第２２セグメントＳ２２まで引き出し、該第２２セグメントＳ２２のライザＲに引っ掛ける。
【０２９４】
巻線巻回工程６（スロット：スロット番号「１１」、スロット番号「２３」）
図１６（ａ）に示すように、Ａフライヤーは、第１０セグメントＳ１０のライザＲに引っ掛けた第１導線Ｗ１を、コンミ側からスロット番号「１１」のスロットＳＬを介して反コンミ側に引き出す。
【０２９５】
一方、図１６（ｂ）に示すように、Ｂフライヤーは、第２２セグメントＳ２２のライザＲに引っ掛けた第２導線Ｗ２を、コンミ側からスロット番号「２３」のスロットＳＬを介して反コンミ側に引き出す。
【０２９６】
巻線巻回工程７（スロット：第７巻線Ｃ７、第１巻線Ｃ１）
図１６（ａ）に示すように、Ａフライヤーは、スロット番号「１１」のスロットＳＬから反コンミ側に引き出した第１導線Ｗ１を、スロット番号「１５」のスロットＳＬまで時計回り方向に引き回す。そして、Ａフライヤーは、スロット番号「１５」と「１３」のスロットＳＬとの間おいて、その引き回した第１導線Ｗ１にて第７ティースＴ７の内側巻回部Ｔ７ｃに対して順巻方向の第７巻線Ｃ７のための巻線を巻回する。
【０２９７】
ここで、この第７ティースＴ７の内側巻回部Ｔ７ｃに対するＡフライヤーによる第１導線Ｗ１の巻き数は、該内側巻回部Ｔ７ｃに巻回されるべき第７巻線Ｃ７の巻き数の半分の巻き数である。つまり、先の巻線巻回工程２で、Ｂフライヤーが、先に第２導線Ｗ２によって順巻方向に半分を巻回しているため、この時点で該内側巻回部Ｔ７ｃに残り半分の巻き数を順巻方向に巻回することで第７巻線Ｃ７が完成する。
【０２９８】
一方、図１６（ｂ）に示すように、Ｂフライヤーは、スロット番号「２３」のスロットＳＬから反コンミ側に引き出した第２導線Ｗ２を、スロット番号「３」のスロットＳＬまで時計回り方向に引き回す。そして、Ｂフライヤーは、スロット番号「３」と「１」のスロットＳＬとの間おいて、その引き回した第２導線Ｗ２によって第１ティースＴ１の内側巻回部Ｔ１ｃに対して順巻方向の第１巻線Ｃ１のための巻線を巻回する。
【０２９９】
ここで、この第１ティースＴ１の内側巻回部Ｔ１ｃに対するＢフライヤーによる第２導線Ｗ２の巻き数は、該内側巻回部Ｔ１ｃに巻回されるべき第１巻線Ｃ１の巻き数の半分の巻き数である。つまり、先の巻線巻回工程２で、Ａフライヤーが、先に第１導線Ｗ１によって順巻方向に半分を巻回しているため、この時点で該内側巻回部Ｔ１ｃに残り半分の巻き数を順巻方向に巻回することで第１巻線Ｃ１が完成する。
【０３００】
巻線巻回工程８（スロット：第９巻線Ｃ９、第３巻線Ｃ３）
図１６（ａ）に示すように、Ａフライヤーは、第７巻線Ｃ７を巻回した第１導線Ｗ１を、スロット番号「１５」のスロットＳＬからコンミ側に引き出す。続いて、Ａフライヤーは、そのコンミ側に引き出した第１導線Ｗ１を、スロット番号「１９」のスロットＳＬまで時計回り方向に引き回す。そして、Ａフライヤーは、スロット番号「１９」と「１７」のスロットＳＬとの間おいて、その引き回した第１導線Ｗ１にて第９ティースＴ９の内側巻回部Ｔ９ｃに対して逆巻方向の第９巻線Ｃ９のための巻線を巻回する。
【０３０１】
ここで、この第９ティースＴ９の内側巻回部Ｔ９ｃに対するＡフライヤーによる第１導線Ｗ１の巻き数は、該内側巻回部Ｔ９ｃに巻回されるべき第９巻線Ｃ９の巻き数の半分の巻き数である。つまり、先の巻線巻回工程３で、Ｂフライヤーが、先に第２導線Ｗ２によって逆巻方向に半分を巻回しているため、この時点で該内側巻回部Ｔ９ｃに残り半分の巻き数を逆巻方向に巻回することで第９巻線Ｃ９が完成する。
【０３０２】
一方、図１６（ｂ）に示すように、Ｂフライヤーは、第１巻線Ｃ１を巻回した第２導線Ｗ２を、スロット番号「３」のスロットＳＬからコンミ側に引き出す。続いて、Ｂフライヤーは、そのコンミ側に引き出した第２導線Ｗ２を、スロット番号「７」のスロットＳＬまで時計回り方向に引き回す。そして、Ｂフライヤーは、スロット番号「７」と「５」のスロットＳＬとの間おいて、その引き回した第２導線Ｗ２にて第３ティースＴ３の内側巻回部Ｔ３ｃに対して逆巻方向の第３巻線Ｃ３のための巻線を巻回する。
【０３０３】
ここで、この第３ティースＴ３の内側巻回部Ｔ３ｃに対するＢフライヤーによる第２導線Ｗ２の巻き数は、該内側巻回部Ｔ３ｃに巻回されるべき第３巻線Ｃ３の巻き数の半分の巻き数である。つまり、先の巻線巻回工程３で、Ａフライヤーが、先に第１導線Ｗ１によって逆巻方向に半分を巻回しているため、この時点で該内側巻回部Ｔ３ｃに残り半分の巻き数を逆巻方向に巻回することで第３巻線Ｃ３が完成する。
【０３０４】
巻線巻回工程９（スロット：第１１巻線Ｃ１１、第５巻線Ｃ５）
図１６（ａ）に示すように、Ａフライヤーは、第９巻線Ｃ９を巻回した第１導線Ｗ１を、スロット番号「１９」のスロットＳＬから反コンミ側に引き出す。続いて、Ａフライヤーは、その反コンミ側に引き出した第１導線Ｗ１を、スロット番号「２３」のスロットＳＬまで時計回り方向に引き回す。そして、Ａフライヤーは、スロット番号「２３」と「２１」のスロットＳＬとの間おいて、その引き回した第１導線Ｗ１にて第１１ティースＴ１１の内側巻回部Ｔ１１ｃに対して順巻方向の第１１巻線Ｃ１１のための巻線を巻回する。
【０３０５】
ここで、この第１１ティースＴ１１の内側巻回部Ｔ１１ｃに対するＡフライヤーによる第１導線Ｗ１の巻き数は、該内側巻回部Ｔ１１ｃに巻回されるべき第１１巻線Ｃ１１の巻き数の半分の巻き数である。つまり、先の巻線巻回工程４で、Ｂフライヤーが、先に第２導線Ｗ２によって順巻方向に半分を巻回しているため、この時点で該内側巻回部Ｔ１１ｃに残り半分の巻き数を順巻方向に巻回することで第１１巻線Ｃ１１が完成する。
【０３０６】
一方、図１６（ｂ）に示すように、Ｂフライヤーは、第３巻線Ｃ３を巻回した第２導線Ｗ２を、スロット番号「７」のスロットＳＬから反コンミ側に引き出す。続いて、Ｂフライヤーは、その反コンミ側に引き出した第２導線Ｗ２を、スロット番号「１１」のスロットＳＬまで時計回り方向に引き回す。そして、Ｂフライヤーは、スロット番号「１１」と「９」のスロットＳＬとの間おいて、その引き回した第２導線Ｗ２にて第５ティースＴ５の内側巻回部Ｔ５ｃに対して順巻方向の第５巻線Ｃ５のための巻線を巻回する。
【０３０７】
ここで、この第５ティースＴ５の内側巻回部Ｔ５ｃに対するＢフライヤーによる第２導線Ｗ２の巻き数は、該内側巻回部Ｔ５ｃに巻回されるべき第５巻線Ｃ５の巻き数の半分の巻き数である。つまり、先の巻線巻回工程４で、Ａフライヤーが、先に第１導線Ｗ１によって順巻方向に半分を巻回しているため、この時点で該内側巻回部Ｔ５ｃに残り半分の巻き数を順巻方向に巻回することで第５巻線Ｃ５が完成する。
【０３０８】
巻線巻回工程１０（スロット：スロット番号「１７」、スロット番号「５」）
図１６（ａ）に示すように、Ａフライヤーは、第１１巻線Ｃ１１を巻回した第１導線Ｗ１を、スロット番号「２１」のスロットＳＬから反コンミ側に引き出し、その引き出した第１導線Ｗ１を反時計回り方向にスロット番号「１７」のスロットＳＬまで引き回す。続いて、Ａフライヤーは、反時計回り方向に引き回した第１導線Ｗ１を反コンミ側からスロット番号「１７」のスロットＳＬを介してコンミ側に引き出す。
【０３０９】
一方、図１６（ｂ）に示すように、Ｂフライヤーは、第５巻線Ｃ５を巻回した第２導線Ｗ２を、スロット番号「９」のスロットＳＬから反コンミ側に引き出し、その引き出した第２導線Ｗ２を反時計回り方向にスロット番号「５」のスロットＳＬまで引き回す。続いて、Ａフライヤーは、反時計回り方向に引き回した第２導線Ｗ２を反コンミ側からスロット番号「５」のスロットＳＬを介してコンミ側に引き出す。
【０３１０】
巻線巻回工程１１（セグメント：Ｓ１７、Ｓ５）
図１６（ａ）に示すように、Ａフライヤーは、スロット番号「１７」のスロットＳＬを介してコンミ側に引き出した第１導線Ｗ１を、直近の第１７セグメントＳ１７まで引き出し、該第１７セグメントＳ１７のライザＲに引っ掛ける。
【０３１１】
一方、図１６（ｂ）に示すように、Ｂフライヤーは、スロット番号「５」のスロットＳＬを介してコンミ側に引き出した第２導線Ｗ２を、直近の第５セグメントＳ５まで引き出し、該第５セグメントＳ５のライザＲに引っ掛ける。
【０３１２】
巻線巻回工程１２（断線）
Ａフライヤーは、第１７セグメントＳ１７のライザＲに掛け止めした第１導線Ｗ１を切断（断線）する。
【０３１３】
Ｂフライヤーは、第５セグメントＳ５のライザＲに掛け止めした第２導線Ｗ２を切断（断線）する。
巻線巻回工程１３（セグメント：Ｓ１５、Ｓ３）
図１７（ａ）に示すように、Ａフライヤーは、切断した第１導線Ｗ１を新たに第１５セグメントＳ１５のライザＲに掛け止めする。
【０３１４】
一方、図１７（ｂ）に示すように、Ｂフライヤーは、切断した第２導線Ｗ２を新たに第３セグメントＳ３のライザＲに掛け止めする。
巻線巻回工程１４（スロット：第８巻線Ｃ８、第２巻線Ｃ２）
図１７（ａ）に示すように、Ａフライヤーは、第１５セグメントＳ１５のライザＲに掛け止めした第１導線Ｗ１を、直近のスロット番号「１５」のスロットＳＬまで引き出す。そして、Ａフライヤーは、スロット番号「１５」と「１７」のスロットＳＬとの間おいて、その引き出した第１導線Ｗ１にて第８ティースＴ８の内側巻回部Ｔ８ｃに対して順巻方向の第８巻線Ｃ８のための巻線を巻回する。
【０３１５】
つまり、この第８ティースＴ８の内側巻回部Ｔ８ｃに対するＡフライヤーによる第１導線Ｗ１の巻き数は、該内側巻回部Ｔ８ｃに巻回されるべき第８巻線Ｃ８の巻き数の半分の巻き数である。そして、後工程（巻線巻回工程１９）でＢフライヤーが、第２導線Ｗ２によって残り半分の巻き数を順巻方向に巻回することによって、該内側巻回部Ｔ８ｃに対して順巻方向の第８巻線Ｃ８が完成するようになっている。
【０３１６】
一方、図１７（ｂ）に示すように、Ｂフライヤーは、第３セグメントＳ３のライザＲに掛け止めした第２導線Ｗ２を、直近のスロット番号「３」のスロットＳＬまで引き出す。そして、Ｂフライヤーは、スロット番号「３」と「５」のスロットＳＬとの間おいて、その引き出した第２導線Ｗ２にて第２ティースＴ２の内側巻回部Ｔ２ｃに対して順巻方向の第２巻線Ｃ２のための巻線を巻回する。
【０３１７】
つまり、この第２ティースＴ２の内側巻回部Ｔ２ｃに対するＢフライヤーによる第２導線Ｗ２の巻き数は、該内側巻回部Ｔ２ｃに巻回されるべき第２巻線Ｃ２の巻き数の半分の巻き数である。そして、後工程（巻線巻回工程１９）でＡフライヤーが、第１導線Ｗ１によって残り半分の巻き数を順巻方向に巻回することによって、該内側巻回部Ｔ２ｃに対して順巻方向の第２巻線Ｃ２が完成するようになっている。
【０３１８】
巻線巻回工程１５（スロット：第６巻線Ｃ６、第１２巻線Ｃ１２）
図１７（ａ）に示すように、Ａフライヤーは、内側巻回部Ｔ８ｃに第８巻線Ｃ８の半分の巻き数だけ巻回した第１導線Ｗ１を、スロット番号「１５」のスロットＳＬから反コンミ側に引き出す。続いて、Ａフライヤーは、その反コンミ側に引き出した第１導線Ｗ１を、スロット番号「１１」のスロットＳＬまで反時計回り方向に引き回す。そして、Ａフライヤーは、スロット番号「１１」と「１３」のスロットＳＬとの間おいて、その引き回した第１導線Ｗ１にて第６ティースＴ６の内側巻回部Ｔ６ｃに対して逆巻方向の第６巻線Ｃ６のための巻線を巻回する。
【０３１９】
つまり、この第６ティースＴ６の内側巻回部Ｔ６ｃに対するＡフライヤーによる第１導線Ｗ１の巻き数は、該内側巻回部Ｔ６ｃに巻回されるべき第６巻線Ｃ６の巻き数の半分の巻き数である。そして、後工程（巻線巻回工程２０）でＢフライヤーが、第２導線Ｗ２によって残り半分の巻き数を逆巻方向に巻回することによって、該内側巻回部Ｔ６ｃに対して逆巻方向の第６巻線Ｃ６が完成するようになっている。
【０３２０】
一方、図１７（ｂ）に示すように、Ｂフライヤーは、内側巻回部Ｔ２ｃに第２巻線Ｃ２の半分の巻き数だけ巻回した第２導線Ｗ２を、スロット番号「３」のスロットＳＬから反コンミ側に引き出す。続いて、Ｂフライヤーは、その反コンミ側に引き出した第２導線Ｗ２を、スロット番号「２３」のスロットＳＬまで時計回り方向に引き回す。そして、Ｂフライヤーは、スロット番号「２３」と「１」のスロットＳＬとの間おいて、その引き回した第２導線Ｗ２にて第１２ティースＴ１２の内側巻回部Ｔ１２ｃに対して逆巻方向の第１２巻線Ｃ１２のための巻線を巻回する。
【０３２１】
つまり、この第１２ティースＴ１２の内側巻回部Ｔ１２ｃに対するＢフライヤーによる第２導線Ｗ２の巻き数は、該内側巻回部Ｔ１２ｃに巻回されるべき第１２巻線Ｃ１２の巻き数の半分の巻き数である。そして、後工程（巻線巻回工程２０）でＡフライヤーが、第１導線Ｗ１によって残り半分の巻き数を逆巻方向に巻回することによって、該内側巻回部Ｔ１２ｃに対して逆巻方向の第１２巻線Ｃ１２が完成するようになっている。
【０３２２】
巻線巻回工程１６（スロット：第４巻線Ｃ４、第１０巻線Ｃ１０）
図１７（ａ）に示すように、Ａフライヤーは、内側巻回部Ｔ６ｃに第６巻線Ｃ６の半分の巻き数だけ巻回した第１導線Ｗ１を、スロット番号「１１」のスロットＳＬからコンミ側に引き出す。続いて、Ａフライヤーは、そのコンミ側に引き出した第１導線Ｗ１を、スロット番号「７」のスロットＳＬまで反時計回り方向に引き回す。そして、Ａフライヤーは、スロット番号「７」と「９」のスロットＳＬとの間おいて、その引き回した第１導線Ｗ１にて第４ティースＴ４の内側巻回部Ｔ４ｃに対して順巻方向の第４巻線Ｃ４のための巻線を巻回する。
【０３２３】
つまり、この第４ティースＴ４の内側巻回部Ｔ４ｃに対するＡフライヤーによる第１導線Ｗ１の巻き数は、該内側巻回部Ｔ４ｃに巻回されるべき第４巻線Ｃ４の巻き数の半分の巻き数である。そして、後工程（巻線巻回工程２１）でＢフライヤーが、第２導線Ｗ２によって残り半分の巻き数を順巻方向に巻回することによって、該内側巻回部Ｔ４ｃに対して順巻方向の第４巻線Ｃ４が完成するようになっている。
【０３２４】
一方、図１７（ｂ）に示すように、Ｂフライヤーは、内側巻回部Ｔ１２ｃに第１２巻線Ｃ１２の半分の巻き数だけ巻回した第２導線Ｗ２を、スロット番号「２３」のスロットＳＬからコンミ側に引き出す。続いて、Ｂフライヤーは、そのコンミ側に引き出した第２導線Ｗ２を、スロット番号「１９」のスロットＳＬまで反時計回り方向に引き回す。そして、Ｂフライヤーは、スロット番号「１９」と「２１」のスロットＳＬとの間おいて、その引き回した第２導線Ｗ２にて第１０ティースＴ１０の内側巻回部Ｔ１０ｃに対して順巻方向の第１０巻線Ｃ１０のための巻線を巻回する。
【０３２５】
つまり、この第１０ティースＴ１０の内側巻回部Ｔ１０ｃに対するＢフライヤーによる第２導線Ｗ２の巻き数は、該内側巻回部Ｔ１０ｃに巻回されるべき第１０巻線Ｃ１０の巻き数の半分の巻き数である。そして、後工程（巻線巻回工程２１）でＡフライヤーが、第１導線Ｗ１によって残り半分の巻き数を順巻方向に巻回することによって、該内側巻回部Ｔ１０ｃに対して順巻方向の第１０巻線Ｃ１０が完成するようになっている。
【０３２６】
巻線巻回工程１７（セグメント：Ｓ８、Ｓ２０）
図１７（ａ）に示すように、Ａフライヤーは、内側巻回部Ｔ４ｃに第４巻線Ｃ４の半分の巻き数だけ巻回した第１導線Ｗ１を、スロット番号「９」のスロットＳＬから直近の第８セグメントＳ８まで引き出し、該第８セグメントＳ８のライザＲに引っ掛ける。
【０３２７】
一方、図１７（ｂ）に示すように、Ｂフライヤーは、内側巻回部Ｔ１０ｃに第１０巻線Ｃ１０の半分の巻き数だけ巻回した第２導線Ｗ２を、スロット番号「２１」のスロットＳＬから直近の第２０セグメントＳ２０まで引き出し、該第２０セグメントＳ２０のライザＲに引っ掛ける。
【０３２８】
巻線巻回工程１８（スロット：第４巻線Ｃ４、第１０巻線Ｃ１０）
図１７（ａ）に示すように、Ａフライヤーは、第８セグメントＳ８のライザＲに引っ掛け掛け止めした第１導線Ｗ１を、直近のスロット番号「９」のスロットＳＬまで引き出す。そして、Ａフライヤーは、スロット番号「９」と「７」のスロットＳＬとの間おいて、引き出した第１導線Ｗ１を第４ティースＴ４の内側巻回部Ｔ４ｃに対して逆巻方向に１ターンだけ巻回して、該第１導線Ｗ１をスロット番号「７」のスロットＳＬからコンミ側に引き出す。
【０３２９】
一方、図１７（ｂ）に示すように、Ｂフライヤーは、第２０セグメントＳ２０のライザＲに引っ掛け掛け止めした第２導線Ｗ２を、直近のスロット番号「２１」のスロットＳＬまで引き出す。そして、Ｂフライヤーは、スロット番号「２１」と「１９」のスロットＳＬとの間おいて、引き出した第２導線Ｗ２を第１０ティースＴ１０の内側巻回部Ｔ１０ｃに対して逆巻方向に１ターンだけ巻回して、該第２導線Ｗ２をスロット番号「１９」のスロットＳＬからコンミ側に引き出す。
【０３３０】
巻線巻回工程１９（スロット：第２巻線Ｃ２、第８巻線Ｃ８）
図１７（ａ）に示すように、Ａフライヤーは、スロット番号「７」のスロットＳＬからコンミ側に引き出した第１導線Ｗ１を、スロット番号「３」のスロットＳＬまで反時計回り方向に引き回す。そして、Ａフライヤーは、スロット番号「３」と「５」のスロットＳＬとの間おいて、その引き回した第１導線Ｗ１にて第２ティースＴ２の内側巻回部Ｔ２ｃに対して順巻方向の第２巻線Ｃ２のための巻線を巻回する。
【０３３１】
ここで、この第２ティースＴ２の内側巻回部Ｔ２ｃに対するＡフライヤーによる第１導線Ｗ１の巻き数は、該内側巻回部Ｔ２ｃに巻回されるべき第２巻線Ｃ２の巻き数の半分の巻き数である。つまり、先の巻線巻回工程１４で、Ｂフライヤーが、先に第２導線Ｗ２によって順巻方向に半分を巻回しているため、この時点で該内側巻回部Ｔ２ｃに残り半分の巻き数を順巻方向に巻回することで第２巻線Ｃ２が完成する。
【０３３２】
一方、図１７（ｂ）に示すように、Ｂフライヤーは、スロット番号「１９」のスロットＳＬからコンミ側に引き出した第２導線Ｗ２を、スロット番号「１５」のスロットＳＬまで反時計回り方向に引き回す。そして、Ｂフライヤーは、スロット番号「１５」と「１７」のスロットＳＬとの間おいて、その引き回した第２導線Ｗ２にて第８ティースＴ８の内側巻回部Ｔ８ｃに対して順巻方向の第８巻線Ｃ８のための巻線を巻回する。
【０３３３】
ここで、この第８ティースＴ８の内側巻回部Ｔ８ｃに対するＢフライヤーによる第２導線Ｗ２の巻き数は、該内側巻回部Ｔ８ｃに巻回されるべき第８巻線Ｃ８の巻き数の半分の巻き数である。つまり、先の巻線巻回工程１４で、Ａフライヤーが、先に第１導線Ｗ１によって順巻方向に半分を巻回しているため、この時点で該内側巻回部Ｔ８ｃに残り半分の巻き数を順巻方向に巻回することで第８巻線Ｃ８が完成する。
【０３３４】
巻線巻回工程２０（スロット：第１２巻線Ｃ１２、第６巻線Ｃ６）
図１７（ａ）に示すように、Ａフライヤーは、第２巻線Ｃ２を巻回した第１導線Ｗ１を、スロット番号「３」のスロットＳＬから反コンミ側に引き出す。続いて、Ａフライヤーは、その反コンミ側に引き出した第１導線Ｗ１を、スロット番号「２３」のスロットＳＬまで反時計回り方向に引き回す。そして、Ａフライヤーは、スロット番号「２３」と「１」のスロットＳＬとの間おいて、その引き回した第１導線Ｗ１にて第１２ティースＴ１２の内側巻回部Ｔ１２ｃに対して逆巻方向の第１２巻線Ｃ１２のための巻線を巻回する。
【０３３５】
ここで、この第１２ティースＴ１２の内側巻回部Ｔ１２ｃに対するＡフライヤーによる第１導線Ｗ１の巻き数は、該内側巻回部Ｔ１２ｃに巻回されるべき第１２巻線Ｃ１２の巻き数の半分の巻き数である。つまり、先の巻線巻回工程１５で、Ｂフライヤーが、先に第２導線Ｗ２によって逆巻方向に半分を巻回しているため、この時点で該内側巻回部Ｔ１２ｃに残り半分の巻き数を逆巻方向に巻回することで第１２巻線Ｃ１２が完成する。
【０３３６】
一方、図１７（ｂ）に示すように、Ｂフライヤーは、第８巻線Ｃ８を巻回した第２導線Ｗ２を、スロット番号「１５」のスロットＳＬから反コンミ側に引き出す。続いて、Ｂフライヤーは、その反コンミ側に引き出した第２導線Ｗ２を、スロット番号「１１」のスロットＳＬまで反時計回り方向に引き回す。そして、Ｂフライヤーは、スロット番号「１１」と「１３」のスロットＳＬとの間おいて、その引き回した第２導線Ｗ２にて第６ティースＴ６の内側巻回部Ｔ６ｃに対して逆巻方向の第６巻線Ｃ６のための巻線を巻回する。
【０３３７】
ここで、この第６ティースＴ６の内側巻回部Ｔ６ｃに対するＢフライヤーによる第２導線Ｗ２の巻き数は、該内側巻回部Ｔ６ｃに巻回されるべき第６巻線Ｃ６の巻き数の半分の巻き数である。つまり、先の巻線巻回工程１５で、Ａフライヤーが、先に第１導線Ｗ１によって逆巻方向に半分を巻回しているため、この時点で該内側巻回部Ｔ６ｃに残り半分の巻き数を逆巻方向に巻回することで第６巻線Ｃ６が完成する。
【０３３８】
巻線巻回工程２１（スロット：第１０巻線Ｃ１０、第４巻線Ｃ４）
図１７（ａ）に示すように、Ａフライヤーは、第１２巻線Ｃ１２を巻回した第１導線Ｗ１を、スロット番号「２３」のスロットＳＬからコンミ側に引き出す。続いて、Ａフライヤーは、そのコンミ側に引き出した第１導線Ｗ１を、スロット番号「１９」のスロットＳＬまで反時計回り方向に引き回す。そして、Ａフライヤーは、スロット番号「１９」と「２１」のスロットＳＬとの間おいて、その引き回した第１導線Ｗ１にて第１０ティースＴ１０の内側巻回部Ｔ１０ｃに対して順巻方向の第１０巻線Ｃ１０のための巻線を巻回する。
【０３３９】
ここで、この第１０ティースＴ１０の内側巻回部Ｔ１０ｃに対するＡフライヤーによる第１導線Ｗ１の巻き数は、該内側巻回部Ｔ１０ｃに巻回されるべき第１０巻線Ｃ１０の巻き数の半分の巻き数である。つまり、先の巻線巻回工程１６で、Ｂフライヤーが、先に第２導線Ｗ２によって順巻方向に半分を巻回しているため、この時点で該内側巻回部Ｔ１０ｃに残り半分の巻き数を順巻方向に巻回することで第１０巻線Ｃ１０が完成する。
【０３４０】
一方、図１７（ｂ）に示すように、Ｂフライヤーは、第６巻線Ｃ６を巻回した第２導線Ｗ２を、スロット番号「１１」のスロットＳＬからコンミ側に引き出す。続いて、Ｂフライヤーは、そのコンミ側に引き出した第２導線Ｗ２を、スロット番号「７」のスロットＳＬまで反時計回り方向に引き回す。そして、Ｂフライヤーは、スロット番号「７」と「９」のスロットＳＬとの間おいて、その引き回した第２導線Ｗ２にて第４ティースＴ４の内側巻回部Ｔ４ｃに対して順巻方向の第４巻線Ｃ４のための巻線を巻回する。
【０３４１】
ここで、この第４ティースＴ４の内側巻回部Ｔ４ｃに対するＢフライヤーによる第２導線Ｗ２の巻き数は、該内側巻回部Ｔ４ｃに巻回されるべき第４巻線Ｃ４の巻き数の半分の巻き数である。つまり、先の巻線巻回工程１６で、Ａフライヤーが、先に第１導線Ｗ１によって順巻方向に半分を巻回しているため、この時点で該内側巻回部Ｔ４ｃに残り半分の巻き数を順巻方向に巻回することで第４巻線Ｃ４が巻回される。
【０３４２】
巻線巻回工程２２（スロット：スロット番号「２３」、スロット番号「１１」）
図１７（ａ）に示すように、Ａフライヤーは、第１０巻線Ｃ１０を巻回した第１導線Ｗ１を、スロット番号「１９」のスロットＳＬから反コンミ側に引き出し、その引き出した第１導線Ｗ１を時計回り方向にスロット番号「２３」のスロットＳＬまで引き回す。続いて、Ａフライヤーは、時計回り方向に引き回した第１導線Ｗ１を反コンミ側からスロット番号「２３」のスロットＳＬを介してコンミ側に引き出す。
【０３４３】
一方、図１７（ｂ）に示すように、Ｂフライヤーは、第４巻線Ｃ４を巻回した第２導線Ｗ２を、スロット番号「７」のスロットＳＬから反コンミ側に引き出し、その引き出した第２導線Ｗ２を時計回り方向にスロット番号「１１」のスロットＳＬまで引き回す。続いて、Ａフライヤーは、時計回り方向に引き回した第２導線Ｗ２を反コンミ側からスロット番号「１１」のスロットＳＬを介してコンミ側に引き出す。
【０３４４】
巻線巻回工程２３（セグメント：Ｓ２３、Ｓ１１）
図１７（ａ）に示すように、Ａフライヤーは、スロット番号「２３」のスロットＳＬを介してコンミ側に引き出した第１導線Ｗ１を、直近の第２３セグメントＳ２３まで引き出し、該第２３セグメントＳ２３のライザＲに引っ掛ける。
【０３４５】
一方、図１７（ｂ）に示すように、Ｂフライヤーは、スロット番号「１１」のスロットＳＬを介してコンミ側に引き出した第２導線Ｗ２を、直近の第１１セグメントＳ１１まで引き出し、該第１１セグメントＳ１１のライザＲに引っ掛ける。
【０３４６】
この時点で、１２個全ての内側巻回部Ｔ１ｃ〜Ｔ１２ｃにそれぞれ集中巻線からなる第１〜第１２巻線Ｃ１〜Ｃ１２が、ＡフライヤーとＢフライヤーにて巻回される。そして、以後の工程から分布巻線からなる第１３〜第２４巻線Ｃ１３〜Ｃ２４が巻回される。
【０３４７】
巻線巻回工程２４（スロット：第２３巻線Ｃ２３、第１７巻線Ｃ１７）
図１８（ａ）に示すように、Ａフライヤーは、第２３セグメントＳ２３のライザＲに引っ掛けた第１導線Ｗ１を、直近のスロット番号「２４」のスロットＳＬまで引き出す。そして、Ａフライヤーは、スロット番号「２４」と「２２」のスロットＳＬとの間おいて、即ち、第１２ティースＴ１２の第２分岐部Ｔ１２ｂ及び第１１ティースＴ１１の第１分岐部Ｔ１１ａ間に対して、その引き出した第１導線Ｗ１にて逆巻方向の第２３巻線Ｃ２３のための巻線を巻回する。
【０３４８】
つまり、第２分岐部Ｔ１２ｂ及び第１分岐部Ｔ１１ａ間に対するＡフライヤーによる第１導線Ｗ１の巻き数は、該第２分岐部Ｔ１２ｂ及び第１分岐部Ｔ１１ａ間に巻回されるべき第２３巻線Ｃ２３の巻き数の半分の巻き数である。そして、後工程（巻線巻回工程２９）でＢフライヤーが、第２導線Ｗ２によって残り半分の巻き数を逆巻方向に巻回することによって、該第２分岐部Ｔ１２ｂ及び第１分岐部Ｔ１１ａ間に逆巻方向の第２３巻線Ｃ２３が完成するようになっている。
【０３４９】
一方、図１８（ｂ）に示すように、Ｂフライヤーは、第１１セグメントＳ１１のライザＲに引っ掛けた第２導線Ｗ２を、直近のスロット番号「１２」のスロットＳＬまで引き出す。そして、Ｂフライヤーは、スロット番号「１２」と「１０」のスロットＳＬとの間おいて、即ち、第６ティースＴ６の第２分岐部Ｔ６ｂ及び第５ティースＴ５の第１分岐部Ｔ５ａ間に対して、その引き出した第２導線Ｗ２にて逆巻方向の第１７巻線Ｃ１７のための巻線を巻回する。
【０３５０】
つまり、第２分岐部Ｔ６ｂ及び第１分岐部Ｔ５ａ間に対するＢフライヤーによる第２導線Ｗ２の巻き数は、該第２分岐部Ｔ６ｂ及び第１分岐部Ｔ５ａ間に巻回されるべき第１７巻線Ｃ１７の巻き数の半分の巻き数である。そして、後工程（巻線巻回工程２９）でＡフライヤーが、第１導線Ｗ１によって残り半分の巻き数を逆巻方向に巻回することによって、該第２分岐部Ｔ６ｂ及び第１分岐部Ｔ５ａ間に逆巻方向の第１７巻線Ｃ１７が完成するようになっている。
【０３５１】
巻線巻回工程２５（スロット：第２１巻線Ｃ２１、第１５巻線Ｃ１５）
図１８（ａ）に示すように、Ａフライヤーは、第２分岐部Ｔ１２ｂ及び第１分岐部Ｔ１１ａ間に巻回される第２３巻線Ｃ２３の半分の巻き数だけ巻回した第１導線Ｗ１を、スロット番号「２２」のスロットＳＬからコンミ側に引き出す。続いて、Ａフライヤーは、そのコンミ側に引き出した第１導線Ｗ１を、スロット番号「１８」のスロットＳＬまで反時計回り方向に引き回す。そして、Ａフライヤーは、スロット番号「１８」と「２０」のスロットＳＬとの間おいて、即ち、第９ティースＴ９の第１分岐部Ｔ９ａ及び第１０ティースＴ１０の第２分岐部Ｔ１０ｂ間に対して、その引き回した第１導線Ｗ１にて順巻方向の第２１巻線Ｃ２１のための巻線を巻回する。
【０３５２】
つまり、第１分岐部Ｔ９ａ及び第２分岐部Ｔ１０ｂ間に対するＡフライヤーによる第１導線Ｗ１の巻き数は、該第１分岐部Ｔ９ａ及び第２分岐部Ｔ１０ｂ間に巻回されるべき第２１巻線Ｃ２１の巻き数の半分の巻き数である。そして、後工程（巻線巻回工程３０）でＢフライヤーが、第２導線Ｗ２によって残り半分の巻き数を順巻方向に巻回することによって、該第１分岐部Ｔ９ａ及び第２分岐部Ｔ１０ｂ間に順巻方向の第２１巻線Ｃ２１が完成するようになっている。
【０３５３】
一方、図１８（ｂ）に示すように、Ｂフライヤーは、第２分岐部Ｔ６ｂ及び第１分岐部Ｔ５ａ間に巻回される第１７巻線Ｃ１７の半分の巻き数だけ巻回した第２導線Ｗ２を、スロット番号「１０」のスロットＳＬからコンミ側に引き出す。
【０３５４】
続いて、Ｂフライヤーは、そのコンミ側に引き出した第２導線Ｗ２を、スロット番号「６」のスロットＳＬまで反時計回り方向に引き回す。そして、Ｂフライヤーは、スロット番号「６」と「８」のスロットＳＬとの間おいて、即ち、第３ティースＴ３の第１分岐部Ｔ３ａ及び第４ティースＴ４の第２分岐部Ｔ４ｂ間に対して、その引き回した第２導線Ｗ２にて順巻方向の第１５巻線Ｃ１５のための巻線を巻回する。
【０３５５】
つまり、第１分岐部Ｔ３ａ及び第２分岐部Ｔ４ｂ間に対するＢフライヤーによる第２導線Ｗ２の巻き数は、該第１分岐部Ｔ３ａ及び第２分岐部Ｔ４ｂ間に巻回されるべき第１５巻線Ｃ１５の巻き数の半分の巻き数である。そして、後工程（巻線巻回工程３０）でＡフライヤーが、第１導線Ｗ１によって残り半分の巻き数を順巻方向に巻回することによって、該第１分岐部Ｔ３ａ及び第２分岐部Ｔ４ｂ間に順巻方向の第１５巻線Ｃ１５が完成するようになっている。
【０３５６】
巻線巻回工程２６（スロット：第１９巻線Ｃ１９、第１３巻線Ｃ１３）
図１８（ａ）に示すように、Ａフライヤーは、第１分岐部Ｔ９ａ及び第２分岐部Ｔ１０ｂ間に巻回される第２１巻線Ｃ２１の半分の巻き数だけ巻回した第１導線Ｗ１を、スロット番号「１８」のスロットＳＬから反コンミ側に引き出す。続いて、Ａフライヤーは、その反コンミ側に引き出した第１導線Ｗ１を、スロット番号「１４」のスロットＳＬまで反時計回り方向に引き回す。そして、Ａフライヤーは、スロット番号「１４」と「１６」のスロットＳＬとの間おいて、即ち、第７ティースＴ７の第１分岐部Ｔ７ａ及び第８ティースＴ８の第２分岐部Ｔ８ｂ間に対して、その引き回した第１導線Ｗ１にて逆巻方向の第１９巻線Ｃ１９のための巻線を巻回する。
【０３５７】
つまり、第１分岐部Ｔ７ａ及び第２分岐部Ｔ８ｂ間に対するＡフライヤーによる第１導線Ｗ１の巻き数は、該第１分岐部Ｔ７ａ及び第２分岐部Ｔ８ｂ間に巻回されるべき第１９巻線Ｃ１９の巻き数の半分の巻き数である。そして、後工程（巻線巻回工程３１）でＢフライヤーが、第２導線Ｗ２によって残り半分の巻き数を逆巻方向に巻回することによって、該第１分岐部Ｔ７ａ及び第２分岐部Ｔ８ｂ間に逆巻方向の第１９巻線Ｃ１９が完成するようになっている。
【０３５８】
一方、図１８（ｂ）に示すように、Ｂフライヤーは、第１分岐部Ｔ３ａ及び第２分岐部Ｔ４ｂ間に巻回される第１５巻線Ｃ１５の半分の巻き数だけ巻回した第２導線Ｗ２を、スロット番号「６」のスロットＳＬから反コンミ側に引き出す。続いて、Ｂフライヤーは、その反コンミ側に引き出した第２導線Ｗ２を、スロット番号「２」のスロットＳＬまで反時計回り方向に引き回す。そして、Ｂフライヤーは、スロット番号「２」と「４」のスロットＳＬとの間おいて、即ち、第１ティースＴ１の第１分岐部Ｔ１ａ及び第２ティースＴ２の第２分岐部Ｔ２ｂ間に対して、その引き回した第２導線Ｗ２にて逆巻方向の第１３巻線Ｃ１３のための巻線を巻回する。
【０３５９】
つまり、第１分岐部Ｔ１ａ及び第２分岐部Ｔ２ｂ間に対するＢフライヤーによる第２導線Ｗ２の巻き数は、該第１分岐部Ｔ１ａ及び第２分岐部Ｔ２ｂ間に巻回されるべき第１３巻線Ｃ１３の巻き数の半分の巻き数である。そして、後工程（巻線巻回工程３１）でＡフライヤーが、第１導線Ｗ１によって残り半分の巻き数を逆巻方向に巻回することによって、該第１分岐部Ｔ１ａ及び第２分岐部Ｔ２ｂ間に逆巻方向の第１３巻線Ｃ１３が完成するようになっている。
【０３６０】
巻線巻回工程２７（セグメント：Ｓ１４、Ｓ２）
図１８（ａ）に示すように、Ａフライヤーは、第１分岐部Ｔ７ａ及び第２分岐部Ｔ８ｂ間を巻回した第１導線Ｗ１をスロット番号「１４」のスロットＳＬを介してコンミ側に引き出す。続いて、Ａフライヤーは、そのコンミ側に引き出した第１導線Ｗ１を、直近の第１４セグメントＳ１４まで引き出し、該第１４セグメントＳ１４のライザＲに引っ掛ける。
【０３６１】
一方、図１８（ｂ）に示すように、Ｂフライヤーは、第１分岐部Ｔ１ａ及び第２分岐部Ｔ２ｂ間を巻回した第２導線Ｗ２をスロット番号「２」のスロットＳＬを介してコンミ側に引き出す。続いて、Ｂフライヤーは、そのコンミ側に引き出した第２導線Ｗ２を、直近の第２セグメントＳ２まで引き出し、該第２セグメントＳ２のライザＲに引っ掛ける。
【０３６２】
巻線巻回工程２８（スロット：スロット番号「１４」、スロット番号「２」）
図１８（ａ）に示すように、Ａフライヤーは、第１４セグメントＳ１４のライザＲに引っ掛けた第１導線Ｗ１を、直近のスロット番号「１４」のスロットＳＬから反コンミ側に引き出す。
【０３６３】
一方、図１８（ｂ）に示すように、Ｂフライヤーは、第２セグメントＳ２のライザＲに引っ掛けた第２導線Ｗ２を、直近のスロット番号「２」のスロットＳＬから反コンミ側に引き出す。
【０３６４】
巻線巻回工程２９（スロット：第１７巻線Ｃ１７、第２３巻線Ｃ２３）
図１８（ａ）に示すように、Ａフライヤーは、スロット番号「１４」のスロットＳＬから反コンミ側に引き出した第１導線Ｗ１を反時計回り方向にスロット番号「１０」のスロットＳＬまで引き回す。Ａフライヤーは、その引き回した第１導線Ｗ１にて、スロット番号「１０」と「１２」のスロットＳＬとの間おいて、即ち、第５ティースＴ５の第１分岐部Ｔ５ａ及び第６ティースＴ６の第２分岐部Ｔ６ｂ間に対して逆巻方向の第１７巻線Ｃ１７のための巻線を巻回する。
【０３６５】
ここで、第１分岐部Ｔ５ａ及び第２分岐部Ｔ６ｂに対するＡフライヤーによる第１導線Ｗ１の巻き数は、該第１分岐部Ｔ５ａ及び第２分岐部Ｔ６ｂに巻回されるべき第１７巻線Ｃ１７の巻き数の半分の巻き数である。つまり、先の巻線巻回工程２４で、Ｂフライヤーが、先に第２導線Ｗ２によって逆巻方向に半分を巻回しているため、この時点で該第１分岐部Ｔ５ａ及び第２分岐部Ｔ６ｂに残り半分の巻き数を逆巻方向に巻回することで第１７巻線Ｃ１７が完成する。
【０３６６】
一方、図１８（ｂ）に示すように、Ｂフライヤーは、スロット番号「２」のスロットＳＬから反コンミ側に引き出した第２導線Ｗ２を反時計回り方向にスロット番号「２２」のスロットＳＬまで引き回す。Ｂフライヤーは、その引き回した第２導線Ｗ２にて、スロット番号「２２」と「２４」のスロットＳＬとの間おいて、即ち、第１１ティースＴ１１の第１分岐部Ｔ１１ａ及び第１２ティースＴ１２の第２分岐部Ｔ１２ｂ間に対して逆巻方向の第２３巻線Ｃ２３のための巻線を巻回する。
【０３６７】
ここで、第１分岐部Ｔ１１ａ及び第２分岐部Ｔ１２ｂに対するＢフライヤーによる第２導線Ｗ２の巻き数は、該第１分岐部Ｔ１１ａ及び第２分岐部Ｔ１２ｂに巻回されるべき第２３巻線Ｃ２３の巻き数の半分の巻き数である。つまり、先の巻線巻回工程２４で、Ａフライヤーが、先に第１導線Ｗ１によって逆巻方向に半分を巻回しているため、この時点で該第１分岐部Ｔ１１ａ及び第２分岐部Ｔ１２ｂに残り半分の巻き数を逆巻方向に巻回することで第２３巻線Ｃ２３が完成する。
【０３６８】
巻線巻回工程３０（スロット：第１５巻線Ｃ１５、第２１巻線Ｃ２１）
図１８（ａ）に示すように、Ａフライヤーは、第１７巻線Ｃ１７を巻回した第１導線Ｗ１を、スロット番号「１０」のスロットＳＬからコンミ側に引き出す。続いて、Ａフライヤーは、スロット番号「１０」のスロットＳＬからコンミ側に引き出した第１導線Ｗ１を反時計回り方向にスロット番号「６」のスロットＳＬまで引き回す。Ａフライヤーは、その引き回した第１導線Ｗ１にて、スロット番号「６」と「８」のスロットＳＬとの間おいて、即ち、第３ティースＴ３の第１分岐部Ｔ３ａ及び第４ティースＴ４の第２分岐部Ｔ４ｂ間に対して順巻方向の第１５巻線Ｃ１５のための巻線を巻回する。
【０３６９】
ここで、第１分岐部Ｔ３ａ及び第２分岐部Ｔ４ｂに対するＡフライヤーによる第１導線Ｗ１の巻き数は、該第１分岐部Ｔ３ａ及び第２分岐部Ｔ４ｂに巻回されるべき第１５巻線Ｃ１５の巻き数の半分の巻き数である。つまり、先の巻線巻回工程２５で、Ｂフライヤーが、先に第２導線Ｗ２によって順巻方向に半分を巻回しているため、この時点で該第１分岐部Ｔ３ａ及び第２分岐部Ｔ４ｂに残り半分の巻き数を順巻方向に巻回することで第１５巻線Ｃ１５が完成する。
【０３７０】
一方、図１８（ｂ）に示すように、Ｂフライヤーは、第２３巻線Ｃ２３を巻回した第２導線Ｗ２を、スロット番号「２２」のスロットＳＬからコンミ側に引き出す。続いて、Ｂフライヤーは、スロット番号「２２」のスロットＳＬからコンミ側に引き出した第２導線Ｗ２を反時計回り方向にスロット番号「１８」のスロットＳＬまで引き回す。Ｂフライヤーは、その引き回した第２導線Ｗ２にて、スロット番号「１８」と「２０」のスロットＳＬとの間おいて、即ち、第９ティースＴ９の第１分岐部Ｔ９ａ及び第１０ティースＴ１０の第２分岐部Ｔ１０ｂ間に対して順巻方向の第２１巻線Ｃ２１のための巻線を巻回する。
【０３７１】
ここで、第１分岐部Ｔ９ａ及び第２分岐部Ｔ１０ｂに対するＢフライヤーによる第２導線Ｗ２の巻き数は、該第１分岐部Ｔ９ａ及び第２分岐部Ｔ１０ｂに巻回されるべき第２１巻線Ｃ２１の巻き数の半分の巻き数である。つまり、先の巻線巻回工程２５で、Ａフライヤーが、先に第１導線Ｗ１によって順巻方向に半分を巻回しているため、この時点で該第１分岐部Ｔ９ａ及び第２分岐部Ｔ１０ｂに残り半分の巻き数を順巻方向に巻回することで第２１巻線Ｃ２１が完成する。
【０３７２】
巻線巻回工程３１（スロット：第１３巻線Ｃ１３、第１９巻線Ｃ１９）
図１８（ａ）に示すように、Ａフライヤーは、第１５巻線Ｃ１５を巻回した第１導線Ｗ１を、スロット番号「６」のスロットＳＬから反コンミ側に引き出す。続いて、Ａフライヤーは、スロット番号「６」のスロットＳＬから反コンミ側に引き出した第１導線Ｗ１を反時計回り方向にスロット番号「２」のスロットＳＬまで引き回す。Ａフライヤーは、その引き回した第１導線Ｗ１にて、スロット番号「２」と「４」のスロットＳＬとの間おいて、即ち、第１ティースＴ１の第１分岐部Ｔ１ａ及び第２ティースＴ２の第２分岐部Ｔ２ｂ間に対して逆巻方向の第１３巻線Ｃ１３の巻線を巻回する。
【０３７３】
ここで、第１分岐部Ｔ１ａ及び第２分岐部Ｔ２ｂに対するＡフライヤーによる第１導線Ｗ１の巻き数は、該第１分岐部Ｔ１ａ及び第２分岐部Ｔ２ｂに巻回されるべき第１３巻線Ｃ１３の巻き数の半分の巻き数である。つまり、先の巻線巻回工程２６で、Ｂフライヤーが、先に第２導線Ｗ２によって逆巻方向に半分を巻回しているため、この時点で該第１分岐部Ｔ１ａ及び第２分岐部Ｔ２ｂに残り半分の巻き数を逆巻方向に巻回することで第１３巻線Ｃ１３が完成する。
【０３７４】
一方、図１８（ｂ）に示すように、Ｂフライヤーは、第２１巻線Ｃ２１を巻回した第２導線Ｗ２を、スロット番号「１８」のスロットＳＬから反コンミ側に引き出す。続いて、Ｂフライヤーは、スロット番号「１８」のスロットＳＬから反コンミ側に引き出した第２導線Ｗ２を反時計回り方向にスロット番号「１４」のスロットＳＬまで引き回す。Ｂフライヤーは、その引き回した第２導線Ｗ２にて、スロット番号「１４」と「１６」のスロットＳＬとの間おいて、即ち、第７ティースＴ７の第１分岐部Ｔ７ａ及び第８ティースＴ８の第２分岐部Ｔ８ｂ間に対して逆巻方向の第１９巻線Ｃ１９のための巻線を巻回する。
【０３７５】
ここで、第１分岐部Ｔ７ａ及び第２分岐部Ｔ８ｂに対するＢフライヤーによる第２導線Ｗ２の巻き数は、該第１分岐部Ｔ７ａ及び第２分岐部Ｔ８ｂに巻回されるべき第１９巻線Ｃ１９の巻き数の半分の巻き数である。つまり、先の巻線巻回工程２６で、Ａフライヤーが、先に第１導線Ｗ１によって逆巻方向に半分を巻回しているため、この時点で該第１分岐部Ｔ７ａ及び第２分岐部Ｔ８ｂに残り半分の巻き数を逆巻方向に巻回することで第１９巻線Ｃ１９が完成する。
【０３７６】
巻線巻回工程３２（スロット：スロット番号「８」、スロット番号「２０」）
図１８（ａ）に示すように、Ａフライヤーは、第１３巻線Ｃ１３を巻回した第１導線Ｗ１を、スロット番号「４」のスロットＳＬから反コンミ側に引き出し、その引き出した第１導線Ｗ１を時計回り方向にスロット番号「８」のスロットＳＬまで引き回す。続いて、Ａフライヤーは、時計回り方向に引き回した第１導線Ｗ１を反コンミ側からスロット番号「８」のスロットＳＬを介してコンミ側に引き出す。
【０３７７】
一方、図１８（ｂ）に示すように、Ｂフライヤーは、第１９巻線Ｃ１９を巻回した第２導線Ｗ２を、スロット番号「１６」のスロットＳＬから反コンミ側に引き出し、その引き出した第２導線Ｗ２を時計回り方向にスロット番号「２０」のスロットＳＬまで引き回す。続いて、Ａフライヤーは、時計回り方向に引き回した第２導線Ｗ２を反コンミ側からスロット番号「２０」のスロットＳＬを介してコンミ側に引き出す。
【０３７８】
巻線巻回工程３３（セグメント：Ｓ７、Ｓ１９）
図１８（ａ）に示すように、Ａフライヤーは、スロット番号「８」のスロットＳＬを介してコンミ側に引き出した第１導線Ｗ１を、直近の第７セグメントＳ７まで引き出し、該第７セグメントＳ７のライザＲに引っ掛ける。
【０３７９】
一方、図１８（ｂ）に示すように、Ｂフライヤーは、スロット番号「２０」のスロットＳＬを介してコンミ側に引き出した第２導線Ｗ２を、直近の第１９セグメントＳ１９まで引き出し、該第１９セグメントＳ１９のライザＲに引っ掛ける。
【０３８０】
巻線巻回工程３４（断線）
Ａフライヤーは、第７セグメントＳ７のライザＲに掛け止めした第１導線Ｗ１を切断（断線）する。
【０３８１】
Ｂフライヤーは、第１９セグメントＳ１９のライザＲに掛け止めした第２導線Ｗ２を切断（断線）する。
巻線巻回工程３５（セグメント：Ｓ１６、Ｓ４）
図１９（ａ）に示すように、Ａフライヤーは、切断した第１導線Ｗ１を新たに第１６セグメントＳ１６のライザＲに掛け止めする。
【０３８２】
一方、図１９（ｂ）に示すように、Ｂフライヤーは、切断した第２導線Ｗ２を新たに第４セグメントＳ４のライザＲに掛け止めする。
巻線巻回工程３６（スロット：第２０巻線Ｃ２０、第１４巻線Ｃ１４）
図１９（ａ）に示すように、Ａフライヤーは、第１６セグメントＳ１６のライザＲに引っ掛けた第１導線Ｗ１を、直近のスロット番号「１６」のスロットＳＬまで引き出す。そして、Ａフライヤーは、スロット番号「１６」と「１８」のスロットＳＬとの間おいて、即ち、第８ティースＴ８の第１分岐部Ｔ８ａ及び第９ティースＴ９の第２分岐部Ｔ９ｂ間に対して、その引き出した第１導線Ｗ１にて順巻方向の第２０巻線Ｃ２０のための巻線を巻回する。
【０３８３】
つまり、第１分岐部Ｔ８ａ及び第２分岐部Ｔ９ｂ間に対するＡフライヤーによる第１導線Ｗ１の巻き数は、該第１分岐部Ｔ８ａ及び第２分岐部Ｔ９ｂ間に巻回されるべき第２０巻線Ｃ２０の巻き数の半分の巻き数である。そして、後工程（巻線巻回工程４１）でＢフライヤーが、第２導線Ｗ２によって残り半分の巻き数を順巻方向に巻回することによって、該第１分岐部Ｔ８ａ及び第２分岐部Ｔ９ｂ間に順巻方向の第２０巻線Ｃ２０が完成するようになっている。
【０３８４】
一方、図１９（ｂ）に示すように、Ｂフライヤーは、第４セグメントＳ４のライザＲに引っ掛けた第２導線Ｗ２を、直近のスロット番号「４」のスロットＳＬまで引き出す。そして、Ｂフライヤーは、スロット番号「４」と「６」のスロットＳＬとの間おいて、即ち、第２ティースＴ２の第１分岐部Ｔ２ａ及び第３ティースＴ３の第２分岐部Ｔ３ｂ間に対して、その引き回した第２導線Ｗ２にて順巻方向の第１４巻線Ｃ１４のための巻線を巻回する。
【０３８５】
つまり、第１分岐部Ｔ２ａ及び第２分岐部Ｔ３ｂ間に対するＢフライヤーによる第２導線Ｗ２の巻き数は、該第１分岐部Ｔ２ａ及び第２分岐部Ｔ３ｂ間に巻回されるべき第１４巻線Ｃ１４の巻き数の半分の巻き数である。そして、後工程（巻線巻回工程４１）でＡフライヤーが、第１導線Ｗ１によって残り半分の巻き数を順巻方向に巻回することによって、該第１分岐部Ｔ２ａ及び第２分岐部Ｔ３ｂ間に順巻方向の第１４巻線Ｃ１４が完成するようになっている。
【０３８６】
巻線巻回工程３７（スロット：第１８巻線Ｃ１８、第２４巻線Ｃ２４）
図１９（ａ）に示すように、Ａフライヤーは、第１分岐部Ｔ８ａ及び第２分岐部Ｔ９ｂ間に巻回される第２０巻線Ｃ２０の半分の巻き数だけ巻回した第１導線Ｗ１を、スロット番号「１６」のスロットＳＬから反コンミ側に引き出す。続いて、Ａフライヤーは、そのコンミ側に引き出した第１導線Ｗ１を、スロット番号「１２」のスロットＳＬまで反時計回り方向に引き回す。そして、Ａフライヤーは、スロット番号「１２」と「１４」のスロットＳＬとの間おいて、即ち、第６ティースＴ６の第１分岐部Ｔ６ａ及び第７ティースＴ７の第２分岐部Ｔ７ｂ間に対して、その引き回した第１導線Ｗ１にて逆巻方向の第１８巻線Ｃ１８のための巻線を巻回する。
【０３８７】
つまり、第１分岐部Ｔ６ａ及び第２分岐部Ｔ７ｂ間に対するＡフライヤーによる第１導線Ｗ１の巻き数は、該第１分岐部Ｔ６ａ及び第２分岐部Ｔ７ｂ間に巻回されるべき第１８巻線Ｃ１８の巻き数の半分の巻き数である。そして、後工程（巻線巻回工程４２）でＢフライヤーが、第２導線Ｗ２によって残り半分の巻き数を逆巻方向に巻回することによって、該第１分岐部Ｔ６ａ及び第２分岐部Ｔ７ｂ間に逆巻方向の第１８巻線Ｃ１８が完成するようになっている。
【０３８８】
一方、図１９（ｂ）に示すように、Ｂフライヤーは、第１分岐部Ｔ２ａ及び第２分岐部Ｔ３ｂ間に巻回される第１４巻線Ｃ１４の半分の巻き数だけ巻回した第２導線Ｗ２を、スロット番号「４」のスロットＳＬから反コンミ側に引き出す。続いて、Ｂフライヤーは、その反コンミ側に引き出した第２導線Ｗ２を、スロット番号「２４」のスロットＳＬまで反時計回り方向に引き回す。そして、Ｂフライヤーは、スロット番号「２４」と「２」のスロットＳＬとの間おいて、即ち、第１２ティースＴ１２の第１分岐部Ｔ１２ａ及び第１ティースＴ１の第２分岐部Ｔ１ｂ間に対して、その引き回した第２導線Ｗ２を逆巻方向の第２４巻線Ｃ２４のための巻線を巻回する。
【０３８９】
つまり、第１分岐部Ｔ１２ａ及び第２分岐部Ｔ１ｂ間に対するＢフライヤーによる第２導線Ｗ２の巻き数は、該第１分岐部Ｔ１２ａ及び第２分岐部Ｔ１ｂ間に巻回されるべき第２４巻線Ｃ２４の巻き数の半分の巻き数である。そして、後工程（巻線巻回工程４２）でＡフライヤーが、第１導線Ｗ１によって残り半分の巻き数を逆巻方向に巻回することによって、該第１分岐部Ｔ１２ａ及び第２分岐部Ｔ１ｂ間に逆巻方向の第２４巻線Ｃ２４が完成するようになっている。
【０３９０】
巻線巻回工程３８（スロット：第１６巻線Ｃ１６、第２２巻線Ｃ２２）
図１９（ａ）に示すように、Ａフライヤーは、第１分岐部Ｔ６ａ及び第２分岐部Ｔ７ｂ間に巻回される第１８巻線Ｃ１８の半分の巻き数だけ巻回した第１導線Ｗ１を、スロット番号「１２」のスロットＳＬからコンミ側に引き出す。続いて、Ａフライヤーは、そのコンミ側に引き出した第１導線Ｗ１を、スロット番号「８」のスロットＳＬまで反時計回り方向に引き回す。そして、Ａフライヤーは、スロット番号「８」と「１０」のスロットＳＬとの間おいて、即ち、第４ティースＴ４の第１分岐部Ｔ４ａ及び第５ティースＴ５の第２分岐部Ｔ５ｂ間に対して、その引き回した第１導線Ｗ１にて順巻方向の第１６巻線Ｃ１６のための巻線を巻回する。
【０３９１】
つまり、第１分岐部Ｔ４ａ及び第２分岐部Ｔ５ｂ間に対するＡフライヤーによる第１導線Ｗ１の巻き数は、該第１分岐部Ｔ４ａ及び第２分岐部Ｔ５ｂ間に巻回されるべき第１６巻線Ｃ１６の巻き数の半分の巻き数である。そして、後工程（巻線巻回工程４３）でＢフライヤーが、第２導線Ｗ２によって残り半分の巻き数を順巻方向に巻回することによって、該第１分岐部Ｔ４ａ及び第２分岐部Ｔ５ｂ間に順巻方向の第１６巻線Ｃ１６が完成するようになっている。
【０３９２】
一方、図１９（ｂ）に示すように、Ｂフライヤーは、第１分岐部Ｔ１２ａ及び第２分岐部Ｔ１ｂ間に巻回される第２４巻線Ｃ２４の半分の巻き数だけ巻回した第２導線Ｗ２を、スロット番号「２４」のスロットＳＬからコンミ側に引き出す。続いて、Ｂフライヤーは、そのコンミ側に引き出した第２導線Ｗ２を、スロット番号「２０」のスロットＳＬまで反時計回り方向に引き回す。そして、Ｂフライヤーは、スロット番号「２０」と「２２」のスロットＳＬとの間おいて、即ち、第１０ティースＴ１０の第１分岐部Ｔ１０ａ及び第１１ティースＴ１１の第２分岐部Ｔ１１ｂ間に対して、その引き回した第２導線Ｗ２を順巻方向の第２２巻線Ｃ２２のための巻線を巻回する。
【０３９３】
つまり、第１分岐部Ｔ１０ａ及び第２分岐部Ｔ１１ｂ間に対するＢフライヤーによる第２導線Ｗ２の巻き数は、該第１分岐部Ｔ１０ａ及び第２分岐部Ｔ１１ｂ間に巻回されるべき第２２巻線Ｃ２２の巻き数の半分の巻き数である。そして、後工程（巻線巻回工程４３）でＡフライヤーが、第１導線Ｗ１によって残り半分の巻き数を順巻方向に巻回することによって、該第１分岐部Ｔ１０ａ及び第２分岐部Ｔ１１ｂ間に順巻方向の第２２巻線Ｃ２２が完成するようになっている。
【０３９４】
巻線巻回工程３９（セグメント：Ｓ９、Ｓ２１）
図１９（ａ）に示すように、Ａフライヤーは、第１分岐部Ｔ４ａ及び第２分岐部Ｔ５ｂ間を巻回した第１導線Ｗ１をスロット番号「１０」のスロットＳＬを介してコンミ側に引き出す。続いて、Ａフライヤーは、そのコンミ側に引き出した第１導線Ｗ１を、直近の第９セグメントＳ９まで引き出し、該第９セグメントＳ９のライザＲに引っ掛ける。
【０３９５】
一方、図１９（ｂ）に示すように、Ｂフライヤーは、第１分岐部Ｔ１０ａ及び第２分岐部Ｔ１１ｂ間を巻回した第２導線Ｗ２をスロット番号「２２」のスロットＳＬを介してコンミ側に引き出す。続いて、Ｂフライヤーは、そのコンミ側に引き出した第２導線Ｗ２を、直近の第２１セグメントＳ２１まで引き出し、該第２１セグメントＳ２１のライザＲに引っ掛ける。
【０３９６】
巻線巻回工程４０（スロット：第１６巻線Ｃ１６、第２２巻線Ｃ２２）
図１９（ａ）に示すように、Ａフライヤーは、第９セグメントＳ９のライザＲに引っ掛け掛け止めした第１導線Ｗ１を、直近のスロット番号「１０」のスロットＳＬまで引き出す。そして、Ａフライヤーは、スロット番号「１０」と「８」のスロットＳＬとの間おいて、即ち、第５ティースＴ５の第２分岐部Ｔ５ｂ及び第４ティースＴ４の第１分岐部Ｔ４ａ間に対して、引き出した第１導線Ｗ１を逆巻方向に１ターンだけ巻回して、該第１導線Ｗ１をスロット番号「８」のスロットＳＬからコンミ側に引き出す。
【０３９７】
一方、図１９（ｂ）に示すように、Ｂフライヤーは、第２１セグメントＳ２１のライザＲに引っ掛け掛け止めした第２導線Ｗ２を、直近のスロット番号「２２」のスロットＳＬまで引き出す。そして、Ｂフライヤーは、スロット番号「２２」と「２０」のスロットＳＬとの間おいて、即ち、第１１ティースＴ１１の第２分岐部Ｔ１１ｂ及び第１０ティースＴ１０の第１分岐部Ｔ１０ａ間に対して、引き出した第２導線Ｗ２を逆巻方向に１ターンだけ巻回して、該第１導線Ｗ１をスロット番号「２０」のスロットＳＬからコンミ側に引き出す。
【０３９８】
巻線巻回工程４１（スロット：第１４巻線Ｃ１４、第２０巻線Ｃ２０）
図１９（ａ）に示すように、Ａフライヤーは、スロット番号「８」のスロットＳＬからコンミ側に引き出した第１導線Ｗ１を反時計回り方向にスロット番号「４」のスロットＳＬまで引き回す。Ａフライヤーは、その引き回した第１導線Ｗ１にて、スロット番号「４」と「６」のスロットＳＬとの間おいて、即ち、第２ティースＴ２の第１分岐部Ｔ２ａ及び第３ティースＴ３の第２分岐部Ｔ３ｂ間に対して順巻方向の第１４巻線Ｃ１４のための巻線を巻回する。
【０３９９】
ここで、第１分岐部Ｔ２ａ及び第２分岐部Ｔ３ｂに対するＡフライヤーによる第１導線Ｗ１の巻き数は、該第１分岐部Ｔ２ａ及び第２分岐部Ｔ３ｂに巻回されるべき第１４巻線Ｃ１４の巻き数の半分の巻き数である。つまり、先の巻線巻回工程３６で、Ｂフライヤーが、先に第２導線Ｗ２によって順巻方向に半分を巻回しているため、この時点で該第１分岐部Ｔ２ａ及び第２分岐部Ｔ３ｂに残り半分の巻き数を順巻方向に巻回することで第１４巻線Ｃ１４が完成する。
【０４００】
一方、図１９（ｂ）に示すように、Ｂフライヤーは、スロット番号「２０」のスロットＳＬからコンミ側に引き出した第２導線Ｗ２を反時計回り方向にスロット番号「１６」のスロットＳＬまで引き回す。Ｂフライヤーは、その引き回した第２導線Ｗ２にて、スロット番号「１６」と「１８」のスロットＳＬとの間おいて、即ち、第８ティースＴ８の第１分岐部Ｔ８ａ及び第９ティースＴ９の第２分岐部Ｔ９ｂ間に対して順巻方向の第２０巻線Ｃ２０のための巻線を巻回する。
【０４０１】
ここで、第１分岐部Ｔ８ａ及び第２分岐部Ｔ９ｂに対するＢフライヤーによる第２導線Ｗ２の巻き数は、該第１分岐部Ｔ８ａ及び第２分岐部Ｔ９ｂに巻回されるべき第２０巻線Ｃ２０の巻き数の半分の巻き数である。つまり、先の巻線巻回工程３６で、Ａフライヤーが、先に第１導線Ｗ１によって順巻方向に半分を巻回しているため、この時点で該第１分岐部Ｔ８ａ及び第２分岐部Ｔ９ｂに残り半分の巻き数を順巻方向に巻回することで第２０巻線Ｃ２０が完成する。
【０４０２】
巻線巻回工程４２（スロット：第２４巻線Ｃ２４、第１８巻線Ｃ１８）
図１９（ａ）に示すように、Ａフライヤーは、第１４巻線Ｃ１４を巻回した第１導線Ｗ１を、スロット番号「４」のスロットＳＬから反コンミ側に引き出す。続いて、Ａフライヤーは、スロット番号「４」のスロットＳＬから反コンミ側に引き出した第１導線Ｗ１を反時計回り方向にスロット番号「２４」のスロットＳＬまで引き回す。Ａフライヤーは、その引き回した第１導線Ｗ１にて、スロット番号「２４」と「２」のスロットＳＬとの間おいて、即ち、第１２ティースＴ１２の第１分岐部Ｔ１２ａ及び第１ティースＴ１の第２分岐部Ｔ１ｂ間に対して逆巻方向の第２４巻線Ｃ２４のための巻線を巻回する。
【０４０３】
ここで、第１分岐部Ｔ１２ａ及び第２分岐部Ｔ１ｂに対するＡフライヤーによる第１導線Ｗ１の巻き数は、該第１分岐部Ｔ１２ａ及び第２分岐部Ｔ１ｂに巻回されるべき第２４巻線Ｃ２４の巻き数の半分の巻き数である。つまり、先の巻線巻回工程３７で、Ｂフライヤーが、先に第２導線Ｗ２によって逆巻方向に半分を巻回しているため、この時点で該第１分岐部Ｔ１２ａ及び第２分岐部Ｔ１ｂに残り半分の巻き数を逆巻方向に巻回することで第２４巻線Ｃ２４が完成する。
【０４０４】
一方、図１９（ｂ）に示すように、Ｂフライヤーは、第２０巻線Ｃ２０を巻回した第２導線Ｗ２を、スロット番号「１６」のスロットＳＬから反コンミ側に引き出す。続いて、Ｂフライヤーは、スロット番号「１６」のスロットＳＬから反コンミ側に引き出した第２導線Ｗ２を反時計回り方向にスロット番号「１２」のスロットＳＬまで引き回す。Ｂフライヤーは、その引き回した第２導線Ｗ２にて、スロット番号「１２」と「１４」のスロットＳＬとの間おいて、即ち、第６ティースＴ６の第１分岐部Ｔ６ａ及び第７ティースＴ７の第２分岐部Ｔ７ｂ間に対して逆巻方向の第１８巻線Ｃ１８のための巻線を巻回する。
【０４０５】
ここで、第１分岐部Ｔ６ａ及び第２分岐部Ｔ７ｂに対するＢフライヤーによる第２導線Ｗ２の巻き数は、該第１分岐部Ｔ６ａ及び第２分岐部Ｔ７ｂに巻回されるべき第１８巻線Ｃ１８の巻き数の半分の巻き数である。つまり、先の巻線巻回工程３７で、Ａフライヤーが、先に第１導線Ｗ１によって逆巻方向に半分を巻回しているため、この時点で該第１分岐部Ｔ６ａ及び第２分岐部Ｔ７ｂに残り半分の巻き数を逆巻方向に巻回することで第１８巻線Ｃ１８が完成する。
【０４０６】
巻線巻回工程４３（スロット：第２２巻線Ｃ２２、第１６巻線Ｃ１６）
図１９（ａ）に示すように、Ａフライヤーは、第２４巻線Ｃ２４を巻回した第１導線Ｗ１を、スロット番号「２４」のスロットＳＬからコンミ側に引き出す。続いて、Ａフライヤーは、スロット番号「２４」のスロットＳＬからコンミ側に引き出した第１導線Ｗ１を反時計回り方向にスロット番号「２０」のスロットＳＬまで引き回す。Ａフライヤーは、その引き回した第１導線Ｗ１にて、スロット番号「２０」と「２２」のスロットＳＬとの間おいて、即ち、第１０ティースＴ１０の第１分岐部Ｔ１０ａ及び第１１ティースＴ１１の第２分岐部Ｔ１１ｂ間に対して順巻方向の第２２巻線Ｃ２２のための巻線を巻回する。
【０４０７】
ここで、第１分岐部Ｔ１０ａ及び第２分岐部Ｔ１１ｂに対するＡフライヤーによる第１導線Ｗ１の巻き数は、該第１分岐部Ｔ１０ａ及び第２分岐部Ｔ１１ｂに巻回されるべき第２２巻線Ｃ２２の巻き数の半分の巻き数である。つまり、先の巻線巻回工程３８で、Ｂフライヤーが、先に第２導線Ｗ２によって順巻方向に半分を巻回しているため、この時点で該第１分岐部Ｔ１０ａ及び第２分岐部Ｔ１１ｂに残り半分の巻き数を順巻方向に巻回することで第２２巻線Ｃ２２が完成する。
【０４０８】
一方、図１９（ｂ）に示すように、Ｂフライヤーは、第１８巻線Ｃ１８を巻回した第２導線Ｗ２を、スロット番号「１２」のスロットＳＬからコンミ側に引き出す。続いて、Ｂフライヤーは、スロット番号「１２」のスロットＳＬからコンミ側に引き出した第２導線Ｗ２を反時計回り方向にスロット番号「８」のスロットＳＬまで引き回す。Ｂフライヤーは、その引き回した第２導線Ｗ２にて、スロット番号「８」と「１０」のスロットＳＬとの間おいて、即ち、第４ティースＴ４の第１分岐部Ｔ４ａ及び第５ティースＴ５の第２分岐部Ｔ５ｂ間に対して順巻方向の第１６巻線Ｃ１６のための巻線を巻回する。
【０４０９】
ここで、第１分岐部Ｔ４ａ及び第２分岐部Ｔ５ｂに対するＢフライヤーによる第２導線Ｗ２の巻き数は、該第１分岐部Ｔ４ａ及び第２分岐部Ｔ５ｂに巻回されるべき第１６巻線Ｃ１６の巻き数の半分の巻き数である。つまり、先の巻線巻回工程３８で、Ａフライヤーが、先に第１導線Ｗ１によって順巻方向に半分を巻回しているため、この時点で該第１分岐部Ｔ４ａ及び第２分岐部Ｔ５ｂに残り半分の巻き数を順巻方向に巻回することで第１６巻線Ｃ１６が完成する。
【０４１０】
巻線巻回工程４４（スロット：スロット番号「２４」、スロット番号「１２」）
図１９（ａ）に示すように、Ａフライヤーは、第２２巻線Ｃ２２を巻回した第１導線Ｗ１を、スロット番号「２０」のスロットＳＬから反コンミ側に引き出し、その引き出した第１導線Ｗ１を時計回り方向にスロット番号「２４」のスロットＳＬまで引き回す。続いて、Ａフライヤーは、時計回り方向に引き回した第１導線Ｗ１を反コンミ側からスロット番号「２４」のスロットＳＬを介してコンミ側に引き出す。
【０４１１】
一方、図１９（ｂ）に示すように、Ｂフライヤーは、第１６巻線Ｃ１６を巻回した第２導線Ｗ２を、スロット番号「８」のスロットＳＬから反コンミ側に引き出し、その引き出した第２導線Ｗ２を時計回り方向にスロット番号「１２」のスロットＳＬまで引き回す。続いて、Ａフライヤーは、時計回り方向に引き回した第２導線Ｗ２を反コンミ側からスロット番号「１２」のスロットＳＬを介してコンミ側に引き出す。
【０４１２】
巻線巻回工程４５（セグメント：Ｓ２４、Ｓ１２）
図１９（ａ）に示すように、Ａフライヤーは、スロット番号「２４」のスロットＳＬを介してコンミ側に引き出した第１導線Ｗ１を、直近の第２４セグメントＳ２４まで引き出し、該第２４セグメントＳ２４のライザＲに引っ掛ける。
【０４１３】
一方、図１９（ｂ）に示すように、Ｂフライヤーは、スロット番号「１２」のスロットＳＬを介してコンミ側に引き出した第２導線Ｗ２を、直近の第１２セグメントＳ１２まで引き出し、該第１２セグメントＳ１２のライザＲに引っ掛ける。
【０４１４】
巻線巻回工程４６（断線）
Ａフライヤーは、第２４セグメントＳ２４のライザＲに掛け止めした第１導線Ｗ１を切断（断線）する。
【０４１５】
Ｂフライヤーは、第１２セグメントＳ１２のライザＲに掛け止めした第２導線Ｗ２を切断（断線）する。
これによって、ＡフライヤーとＢフライヤーからなるダブルフライヤー巻線機を使っての第１〜第２４巻線Ｃ１〜Ｃ２４の巻回作業は終了する。
【０４１６】
次に、各ライザＲを、それぞれ対応する短絡線、巻線を掛け止めた部分が保持される方向に折り曲げる。続いて、ヒュージングが行われ、このヒュージングによって、各セグメントのライザＲは、それぞれ対応する各巻線、各短絡線と接合し電気的に接続される。
【０４１７】
これによって、電機子３が製造される。
次に、上記第３実施形態の作用を記載する。
まず、ＡフライヤーとＢフライヤーは、集中巻線からなる１２個の第１〜第１２巻線Ｃ１〜Ｃ１２全てについて、その巻き数をそれぞれ分担して巻回する。ＡフライヤーとＢフライヤーは、１２個の第１〜第１２巻線Ｃ１〜Ｃ１２が巻回されると、分布巻線からなる１２個の第１３〜第２４巻線Ｃ１３〜Ｃ２４全てについて、同様に、その巻き数をそれぞれ分担して巻回する。
【０４１８】
そして、ライザに掛け止めする集中巻線間の導線Ｗ１，Ｗ２について、既に集中巻線間の導線Ｗ１，Ｗ２が掛け止めされているライザＲ以外のライザＲに掛け止めする。さらに、ライザＲに掛け止めする分布巻線間の導線Ｗ１，Ｗ２について、既に集中巻線間又は分布巻線間の導線Ｗ１，Ｗ２が掛け止めされているライザＲ以外のライザＲに掛け止めする。
【０４１９】
これによって、第１〜第２４セグメントＳ１〜Ｓ２４のライザＲには、短絡線を含めて最大で２本の導線Ｗ１，Ｗ２といった非常に少ない掛け止め本数となる。その結果、後工程で行われる導線Ｗ１，Ｗ２をライザＲと電気的に接続するためのヒュージングする際、隣のライザＲとの絶縁性を確保することができる。
【０４２０】
次に、上記第３実施形態の効果を以下に記載する。
（１）本実施形態によれば、第１〜第２４セグメントＳ１〜Ｓ２４のライザＲに掛け止めされる導線Ｗ１，Ｗ２の掛け止め本数を低減でき、隣のライザＲとの絶縁性を確保することができる。
【０４２１】
なお、第３実施形態では、固定子２に備えられる磁極（マグネット）の極数を６とし、スロットの数２４、セグメントの数を２４としたが、これを磁極の数：スロットの数：セグメントの数の比が１：４：４となる電機子に応用してもよい。
【０４２２】
また、第１〜第３実施形態では、陽極側ブラシＢ１及び陰極側ブラシＢ２を、それぞれ１個ずつの直流モータ１に具体化したが、陽極側ブラシＢ１及び陰極側ブラシＢ２を、それぞれ複数個ずつ設けた直流モータに具体化してもよい。
【符号の説明】
【０４２３】
１…直流モータ、２…固定子、２ａ…ヨークハウジング、３…電機子、４…回転軸、５…整流子、５ａ…保持部材、６…電機子コア、７…コアバック、ＭＧ１…第１永久磁石、ＭＧ２…第２永久磁石、Ｓ…セグメント、Ｓ１〜Ｓ２４…第１〜第２４セグメント、Ｒ…ライザ、Ｂ１…陽極側ブラシ、Ｂ２…陰極側ブラシ、ＳＬ…スロット、Ｌ１〜Ｌ８…第１〜第８短絡線、Ｔ…ティース、Ｔ１〜Ｔ１２…第１〜第１２ティース、Ｔａ，Ｔ１ａ〜Ｔ１２ａ…第１分岐部、Ｔｂ，Ｔ１ｂ〜Ｔ１２ｂ…第２分岐部、Ｔｃ，Ｔ１ｃ〜Ｔ１２ｃ…内側巻回部、Ｃ１〜Ｃ２４…第１〜第２４巻線、Ｗ１，Ｗ２…第１及び第２導線、Ｏ…中心軸。
【図１】
0006409395.tif 000006
【図２】
0006409395.tif 000007
【図３】
0006409395.tif 000008
【図４】
0006409395.tif 000009
【図５】
0006409395.tif 000010
【図６】
0006409395.tif 000011
【図７】
0006409395.tif 000012
【図８】
0006409395.tif 000013
【図９】
0006409395.tif 000014
【図１０】
0006409395.tif 000015
【図１１】
0006409395.tif 000016
【図１２】
0006409395.tif 000017
【図１３】
0006409395.tif 000018
【図１４】
0006409395.tif 000019
【図１５】
0006409395.tif 000020
【図１６】
0006409395.tif 000021
【図１７】
0006409395.tif 000022
【図１８】
0006409395.tif 000023
【図１９】
0006409395.tif 000024